(57)【要約】  本発明はシングル作業物質の蒸気連合サイクルと連合サイクル蒸気動力装置を提供することであり、エネルギーと動力技術の分野に属する。凝縮器と凝縮液管路はサイクルポンプと予熱器を経由して混合蒸発器と接続される。膨張機と蒸気通路は中温蒸発器を経由して混合蒸発器と接続されて、混合蒸発器と蒸気通路は圧縮機と第二膨張機に接続され、圧縮機と蒸気通路は高温熱交換器と膨張機に接続され、第二膨張機と蒸気通路は凝縮器に接続している。凝縮器と凝縮液管路は第二サイクルポンプと第二予熱器を経由して中温蒸発器と接続された後、蒸気通路を経由して第三膨張機と凝縮器と接続される。高温熱交換器、中温蒸発器、混合蒸発器、予熱器と第二予熱器は熱源媒体通路で外部と連通し、凝縮器と冷却媒体通路も外部と連通し、混合蒸発器と熱源媒体通路は外部と連通し、凝縮器は冷却媒体通路で外部と接続する。膨張機は圧縮機と接続して動力を出力し、膨張機と第二膨張機と第三膨張機は外部に接続して、動力を出力する、以上のように連合サイクル蒸気動力装置を形成する。
2019516057.tif 000002
【特許請求の範囲】
【請求項１】
シングル作業物質の蒸気連合サイクルは、m1キログラム作業物質とm2キログラム作業物質によってそれぞれ行われた熱力サイクルおよび二者の間での混合加熱プロセスプロセスで構成されている。その中には、m1キログラム作業物質が以下の工程順序によって行われる。液状でで低温からの昇圧プロセス1-2、m2キログラム作業物質と混合し、熱を受け取り、蒸気化するプロセス2-3、降圧で仕事に変えるプロセス3-7、冷源へ熱を捨てて凝固するプロセスは7-1、サイクルを形成するプロセス1-2-3-7-1。m2キログラムの作業物質が以下の工程順序によって行われる。昇圧するプロセス3-4、熱源から熱を受け取るプロセス4-5、降圧で仕事に変えるプロセス56、m1キログラム作業物質と混合するために熱を捨てるプロセス6-3、サイクルを形成するプロセス3-4-5-6-3。
【請求項２】
シングル作業物質の蒸気連合サイクルは、m1キログラム作業物質とm2キログラム作業物質によってそれぞれ行われた熱力サイクルおよび二者の間での混合加熱プロセスで構成されている。その中には、m1キログラム作業物質が以下の工程順序によって行われる。液状で低温からの昇圧プロセス1-2、m2キログラム作業物質と混合するとともに、熱源から熱を受け取り、蒸気化するプロセス2-3、降圧で仕事に変えるプロセス3-7、冷源へ熱を捨てて、凝固するプロセスは7-1、サイクルを形成するプロセス1-2-3-7-1。m2キログラムの作業物質が以下の工程順序によって行われる。昇圧するプロセス3-4、熱源から熱を受け取るプロセス4-5、降圧で仕事に変えるプロセス5-6、m1キログラム作業物質と混合するために熱を捨てるプロセス6-3、サイクルを形成するプロセス3-4-5-6-3。
【請求項３】
シングル作業物質の蒸気連合サイクルは、m1キログラム作業物質とm2キログラム作業物質によってそれぞれ行われた熱力サイクルおよび二者の間での混合加熱プロセスで構成されている。その中には、m1キログラム作業物質が以下の工程順序によって行われる。液状で低温からの昇圧プロセス1-2、熱源から熱を受け取るプロセス2-a、m2キログラム作業物質と混合するために熱を受け取り、蒸気化するプロセスa-3、降圧で仕事に変えるプロセス3-7、冷源へ熱を捨てて凝固するプロセスは7-1、サイクルを形成するプロセス1-2-a-3-7-1。m2キログラムの作業物質が以下の工程順序によって行われる。昇圧するプロセス3-4、熱源から熱を受け取るプロセス4-5、降圧で仕事に変えるプロセス5-6、m1キログラム作業物質と混合するために熱を捨てるプロセス6-3、サイクルを形成するプロセス3-4-5-6-3。
【請求項４】
シングル作業物質の蒸気連合サイクルは、m1キログラム作業物質とm2キログラム作業物質によってそれぞれ行われた熱力サイクルおよび二者の間での混合加熱プロセスで構成されている。その中には、m1キログラム作業物質が以下の工程順序によって行われる。液状で低温からの昇圧プロセス1-2、熱源から熱を受け取るプロセス2-a、m2キログラム作業物質と混合するとともに、熱源から熱を受け取り、蒸気化するプロセスa-3、降圧で仕事に変えるプロセス3-7、冷源へ熱を捨てて凝固するプロセスは7-1、サイクルを形成するプロセス1-2-a-3-7-1。m2キログラムの作業物質が以下の工程順序によって行われる。昇圧するプロセス3-4、熱源から熱を受け取るプロセス4-5、降圧で仕事に変えるプロセス5-6、m1キログラム作業物質と混合するために熱を捨てるプロセス6-3、サイクルを形成するプロセス3-4-5-6-3。
【請求項５】
シングル作業物質の蒸気連合サイクルは、m1キログラム作業物質とm2キログラム作業物質によってそれぞれ行われた熱力サイクルおよび二者の間での混合加熱プロセスで構成されている。その中には、m1キログラム作業物質が以下の工程順序によって行われる。液状で(m1-mc)キログラムが低温からの昇圧プロセス1-2、(m1-mc)キログラムとmcキログラムは蒸気を引き混合するプロセス2-b、m1キログラム作業物質の昇圧するプロセスb-c、m1キログラム作業物質とm2キログラム作業物質と混合するとともに、吸熱して蒸気化するプロセスc-3、m1キログラム作業物質は降圧で仕事に変えるプロセス3-a、mcキログラム作業物質と２点状態の(m1-mc)キログラム作業物質と混合し、熱を放つ、凝固するプロセスa-b、(m1-mc)キログラム作業物質は降圧で仕事に変えるプロセスa-7、(m1-mc)キログラム作業物質は冷源へ熱を捨てて凝固するプロセスは7-1、蒸気を引き熱サイクルを形成するプロセス（1-2-b-c-3-7-1+b-c-3-a-b）。m2キログラムの作業物質が以下の工程順序によって行われる。昇圧するプロセス3-4、熱源から熱を受け取るプロセス4-5、降圧で仕事に変えるプロセス5-6、m1キログラム作業物質と混合するために熱を捨てるプロセス6-3、サイクルを形成するプロセス3-4-5-6-3。
【請求項６】
シングル作業物質の蒸気連合サイクルは、m1キログラム作業物質とm2キログラム作業物質によってそれぞれ行われた熱力サイクルおよび二者の間での混合加熱プロセスで構成されている。その中には、m1キログラム作業物質が以下の工程順序によって行われる。液状で(m1-mc)キログラムが低温からの昇圧プロセス1-2、(m1-mc)キログラムとmcキログラムは蒸気を引き混合するプロセス2-b、m1キログラム作業物質は昇圧するプロセスb-c、m1キログラム作業物質とm2キログラム作業物質と混合するとともに、熱源から熱を受け取り、蒸気化するプロセスc-3、m1キログラム作業物質は降圧で仕事に変えるプロセス3-a、mcキログラム作業物質と２点状態の(m1-mc)キログラム作業物質と混合し、熱を捨てて凝固するプロセスa-b、(m1-mc)キログラム作業物質は降圧で仕事に変えるプロセスa-7、(m1-mc)キログラム作業物質は冷源へ熱を捨てて凝固するプロセスは7-1、蒸気を引き熱サイクルを形成するプロセス（1-2-b-c-3-7-1+b-c-3-a-b）。m2キログラムの作業物質が以下の工程順序によって行われる。昇圧するプロセス3-4、熱源から熱を受け取るプロセス4-5、降圧で仕事に変えるプロセス5-6、m1キログラム作業物質と混合するために熱を捨てるプロセス6-3、サイクルを形成するプロセス3-4-5-6-3。
【請求項７】
シングル作業物質の蒸気連合サイクルは、請求項の1〜6項目のいずれかのシングル作業物質の蒸気連合のサイクル中で、m2キログラム作業物質の熱源から吸熱するプロセス4-5を吸熱するプロセス4-eと熱源から吸熱するプロセスe-5に修正した。また、m2キログラム作業物質とm1キログラム作業物質と混合して熱を捨てるプロセス6-3は回熱を捨てるプロセス6-dと混合放熱するプロセスd-3に修正した。このプロセス6-dの放熱は、プロセス4-eの吸熱を満たすために使用され、シングル作業物質の蒸気連合サイクルを形成する。
【請求項８】
シングル作業物質の蒸気連合サイクルは、m1キログラム、m2キログラムとm3キログラム作業物質がそれぞれの熱力のサイクルを行われるプロセスと、m1キログラム作業物質とm3キログラム作業物質の二者の間で行われる混合加熱のプロセスと、及びm1キログラムの熱力のサイクルとm3キログラムの熱力のサイクルとの間に行われる熱交換のプロセスによって構成されている。その中には、m1キログラム作業物質が以下の工程順序によって行われる。液状で低温からの昇圧プロセス1-2、m3キログラム作業物質と混合し、熱を受け取り、蒸気化するプロセス2-3、降圧で仕事に変えるプロセス3-7、冷源へ熱を捨てて凝固するプロセス7-1、サイクルサイクルを形成するプロセス1-2-3-7-1。m2キログラム作業物質が以下の工程順序によって行われる。液体で低温からの昇圧するプロセス1-a、m3キログラム作業物質が放熱するプロセス6-bから提供された熱負荷を吸収し、行われた蒸気化プロセスa-8、降圧で仕事に変えるプロセス8-9、冷源に放熱し、凝固するプロセス9-1、サイクルを形成するプロセス1-a-8-9-1。m3キログラムの作業物質が以下の工程順序によって行われる。昇圧するプロセス3-4、熱源から吸熱するプロセス4-5、降圧で仕事に変えるプロセス5-6、m2キログラム作業物質に放熱するプロセス6-b、m1キログラム作業物質と混合し、行われる放熱プロセスb-3、サイクルを形成するプロセス3-4-5-6-b-3。
【請求項９】
シングル作業物質の蒸気連合サイクルは、m1キログラム、m2キログラムとm3キログラム作業物質がそれぞれの熱力のサイクルを行われるプロセスと、m1キログラム作業物質とm3キログラム作業物質の二者の間で行われる混合加熱のプロセスと、及びm1キログラムの熱力のサイクルとm3キログラムの熱力のサイクルとの間に行われる熱交換のプロセスによって構成されている。その中には、m1キログラム作業物質が以下の工程順序によって行われる。液状で低温からの昇圧プロセス1-2、m3キログラム作業物質と混合し、熱を受け取るとともに熱源からも吸熱を行われる蒸気化するプロセス2-3、降圧で仕事に変えるプロセス3-7、冷源へ熱を捨てて凝固するプロセス7-1、サイクルを形成するプロセス1-2-3-7-1。m2キログラム作業物質が以下の工程順序によって行われる。液体で低温からの昇圧するプロセス1-a、m3キログラム作業物質が放熱するプロセス6-bから提供された熱負荷を吸収し、行われた蒸気化プロセスa-8、降圧で仕事に変えるプロセス8-9、冷源に放熱し、凝固するプロセス9-1、サイクルを形成するプロセス1-a-8-9-1。m3キログラムの作業物質が以下の工程順序によって行われる。昇圧するプロセス3-4、熱源から吸熱するプロセス4-5、降圧で仕事に変えるプロセス5-6、m2キログラム作業物質に放熱するプロセス6-b、m1キログラム作業物質と混合し、行われる放熱プロセスb-3、サイクルを形成するプロセス3-4-5-6-b-3。
【請求項１０】
シングル作業物質の蒸気連合サイクルは、m1キログラム、m2キログラムとm3キログラム作業物質がそれぞれの熱力のサイクルを行われるプロセスと、m1キログラム作業物質とm3キログラム作業物質の二者の間で行われる混合加熱のプロセスと、及びm1キログラムの熱力のサイクルとm3キログラムの熱力のサイクルとの間に行われる熱交換のプロセスによって構成されている。その中には、m1キログラム作業物質が以下の工程順序によって行われる。液状で低温からの昇圧プロセス1-2、m3キログラム作業物質と混合し、熱を受け取り、蒸気化するプロセス2-3、降圧で仕事に変えるプロセス3-7、冷源へ熱を捨てて凝固するプロセス7-1、サイクルを形成するプロセス1-2-3-7-1。m2キログラム作業物質が以下の工程順序によって行われる。液体で低温からの昇圧するプロセス1-a、m3キログラム作業物質が放熱するプロセス6-b提供された熱負荷を吸収し、熱源からも吸熱を行われると、蒸気化するプロセスa-8、降圧で仕事に変えるプロセス8-9、冷源に放熱し、凝固するプロセス9-1、サイクルを形成するプロセス1-a-8-9-1。m3キログラムの作業物質が以下の工程順序によって行われる。昇圧するプロセス3-4、熱源から吸熱するプロセス4-5、降圧で仕事に変えるプロセス5-6、m2キログラム作業物質に放熱するプロセス6-b、m1キログラム作業物質と混合し、行われる放熱プロセスb3、サイクルを形成するプロセス3-4-5-6-b-3。
【請求項１１】
シングル作業物質の蒸気連合サイクルは、m1キログラム、m2キログラムとm3キログラム作業物質がそれぞれの熱力のサイクルを行われるプロセスと、m1キログラム作業物質とm3キログラム作業物質の二者の間で行われる混合加熱のプロセスと、及びm1キログラムの熱力のサイクルとm3キログラムの熱力のサイクルとの間に行われる熱交換のプロセスによって構成されている。その中には、m1キログラム作業物質が以下の工程順序によって行われる。液状で低温からの昇圧プロセス1-2、m2キログラム作業物質と混合し、熱を受け取るとともに、熱源からも吸熱を行われる蒸気化するプロセス2-3、降圧で仕事に変えるプロセス3-7、冷源へ熱を捨てて凝固するプロセス7-1、サイクルを形成するプロセス1-2-3-7-1。m2キログラム作業物質が以下の工程順序によって行われる。液体で低温からの昇圧するプロセス1-a、m3キログラム作業物質が放熱するプロセス6-bから提供された熱負荷を吸収し、熱源からも吸熱を行われる蒸気化するプロセスa-8、降圧で仕事に変えるプロセス8-9、冷源に放熱し、凝固するプロセス9-1、サイクルを形成するプロセス1-a-8-9-1。m3キログラムの作業物質が以下の工程順序によって行われる。昇圧するプロセス3-4、熱源から吸熱するプロセス4-5、降圧で仕事に変えるプロセス5-6、m2キログラム作業物質に放熱するプロセス6-b、m1キログラム作業物質と混合し、行われる放熱プロセスb-3、サイクルを形成するプロセス3-4-5-6-b-3。
【請求項１２】
シングル作業物質の蒸気連合サイクルは、m1キログラム、m2キログラムとm3キログラム作業物質がそれぞれの熱力のサイクルを行われるプロセスと、m1キログラム作業物質とm3キログラム作業物質の二者の間で行われる混合加熱のプロセスと、及びm1キログラムの熱力のサイクルとm3キログラムの熱力のサイクルとの間に行われる熱交換のプロセスによって構成されている。その中には、m1キログラム作業物質が以下の工程順序によって行われる。液状で低温からの昇圧プロセス1-2、外部の熱源から吸熱するプロセス2-c、m3キログラム作業物質と混合し、或は同時に外部の熱源から吸熱を行われる蒸気化するプロセスc-3、降圧で仕事に変えるプロセス3-7、冷源に向かって放熱して冷凝するプロセス7-1、サイクルを形成するプロセス1-2-c-3-7-1。m2キログラム作業物質が以下の工程順序によって行われる。液体で低温からの昇圧するプロセス1-a、m3キログラム作業物質が放熱するプロセス6-b提供された熱負荷を吸収し、吸熱を行われる蒸気化するプロセスa-8、降圧で仕事に変えるプロセス8-9、冷源に放熱し、冷凝するプロセス9-1、サイクルを形成するプロセス1-a-8-9-1。m3キログラムの作業物質が以下の工程順序によって行われる。昇圧するプロセス3-4、熱源から吸熱するプロセス4-5、降圧で仕事に変えるプロセス5-6、m2キログラム作業物質に放熱するプロセス6-b、m1キログラム作業物質と混合し、行われる放熱プロセスb3、サイクルを形成するプロセス3-4-5-6-b-3。
【請求項１３】
シングル作業物質の蒸気連合サイクルは、m1キログラム、m2キログラムとm3キログラム作業物質がそれぞれの熱力のサイクルを行われるプロセスと、m1キログラム作業物質とm3キログラム作業物質の二者の間で行われる混合加熱のプロセスと、及びm1キログラムの熱力のサイクルとm3キログラムの熱力のサイクルとの間に行われる熱交換のプロセスによって構成されている。その中には、m1キログラム作業物質が以下の工程順序によって行われる。液状で低温からの昇圧プロセス1-2、m3キログラム作業物質と混合し、熱を受け取り、蒸気化するプロセス2-3、降圧で仕事に変えるプロセス3-7、冷源に向かって放熱して冷凝するプロセス7-1、サイクルを形成するプロセス1-2-3-7-1。m2キログラム作業物質が以下の工程順序によって行われる。液体で低温からの昇圧するプロセス1-a、外部の熱源から吸熱するプロセスac、m3キログラム作業物質が放熱するプロセス6-bから提供された熱負荷を吸収し、或いは同時に外部の熱源から吸熱を行われる蒸気化するプロセスc-8、降圧で仕事に変えるプロセス8-9、冷源に放熱し、冷凝するプロセス9-1、サイクルを形成するプロセス1-a-c-8-9-1。m3キログラムの作業物質が以下の工程順序によって行われる。昇圧するプロセス3-4、熱源から吸熱するプロセス4-5、降圧で仕事に変えるプロセス5-6、m2キログラム作業物質に放熱するプロセス6-b、m1キログラム作業物質と混合し、行われる放熱プロセスb-3、サイクルを形成するプロセス3-4-5-6-b-3。
【請求項１４】
シングル作業物質の蒸気連合サイクルは、m1キログラム、m2キログラムとm3キログラム作業物質がそれぞれの熱力のサイクルを行われるプロセスと、m1キログラム作業物質とm3キログラム作業物質の二者の間で行われる混合加熱のプロセスと、及びm1キログラムの熱力のサイクルとm3キログラムの熱力のサイクルとの間に行われる熱交換のプロセスによって構成されている。その中には、m1キログラム作業物質が以下の工程順序によって行われる。液状で低温からの昇圧プロセス1-2、外部の熱源から吸熱するプロセス2-c、m3キログラム作業物質と混合し、或は同時に外部の熱源から吸熱を行われる蒸気化するプロセスc-3、降圧で仕事に変えるプロセス3-7、冷源に向かって放熱して冷凝するプロセス7-1、サイクルを形成するプロセス1-2-c-3-7-1。m2キログラム作業物質が以下の工程順序によって行われる。液体で低温からの昇圧するプロセス1-a、外部の熱源から吸熱するプロセスa-d、m3キログラム作業物質が放熱するプロセス6-bから提供された熱負荷を吸収し、或いは同時に外部の熱源から吸熱を行われる蒸気化するプロセスd-8、降圧で仕事に変えるプロセス8-9、冷源に放熱し、冷凝するプロセス9-1、サイクルを形成するプロセス1-a-d-8-9-1。m3キログラムの作業物質が以下の工程順序によって行われる。昇圧するプロセス3-4、熱源から吸熱するプロセス4-5、降圧で仕事に変えるプロセス5-6、m2キログラム作業物質に放熱するプロセス6-b、m1キログラム作業物質と混合し、行われる放熱プロセスb-3、サイクルを形成するプロセス3-4-5-6-b-3。
【請求項１５】
シングル作業物質の蒸気連合サイクルは、m1キログラム、m2キログラムとm3キログラム作業物質がそれぞれの熱力のサイクルを行われるプロセスと、m1キログラム作業物質とm3キログラム作業物質の二者の間で行われる混合加熱のプロセスと、及びm1キログラムの熱力のサイクルとm3キログラムの熱力のサイクルとの間に行われる熱交換のプロセスによって構成されている。その中には、m1キログラム作業物質が以下の工程順序によって行われる。液状で(m1-mc)キログラムが低温からの昇圧プロセス1-2、(m1-mc)キログラムとmcキログラムは蒸気を引き混合するプロセス2-e、m1キログラム作業物質は昇圧するプロセスe-f、m1キログラム作業物質とm3キログラム作業物質と混合する、或は同時に外部の熱源から吸熱を行われる蒸気化するプロセスf-3、m1キログラム作業物質は降圧で仕事に変えるプロセス3-d、mcキログラム作業物質と２点状態の(m1-mc)キログラム作業物質と混合するととも熱を放熱して凝固するプロセスd-e、(m1-mc)キログラム作業物質は降圧で仕事に変えるプロセスd-7、(m1-mc)キログラム作業物質は冷源へ熱を捨てて凝固するプロセスは7-1、蒸気を引く熱サイクルを形成するプロセス（1-2-e-f-3-7-1+e-f-3-d-e）。m2キログラムの作業物質が以下の工程順序によって行われる。液体で低温からの昇圧するプロセス1-a、m3キログラム作業物質が放熱するプロセス6-bから提供された熱負荷を吸収する、或いは同時に外部の熱源から吸熱を行われる蒸気化するプロセスa-8、降圧で仕事に変えるプロセス8-9、冷源に放熱し、冷凝するプロセス9-1、サイクルを形成するプロセス1-a-8-9-1。m3キログラムの作業物質が以下の工程順序によって行われる。昇圧するプロセス3-4、熱源から吸熱するプロセス4-5、降圧で仕事に変えるプロセス5-6、m2キログラム作業物質に放熱するプロセス6-b、m1キログラム作業物質と混合し、行われる放熱プロセスb-3、サイクルを形成するプロセス3-4-5-6-b-3。
【請求項１６】
シングル作業物質の蒸気連合サイクルは、m1キログラム、m2キログラムとm3キログラム作業物質がそれぞれの熱力のサイクルを行われるプロセスと、m1キログラム作業物質とm3キログラム作業物質の二者の間で行われる混合加熱のプロセスと、及びm1キログラムの熱力のサイクルとm3キログラムの熱力のサイクルとの間に行われる熱交換のプロセスによって構成されている。その中には、m1キログラム作業物質が以下の工程順序によって行われる。液状で低温からの昇圧プロセス1-2、m3キログラム作業物質と混合し、熱を受け取り、蒸気化するプロセス2-3、降圧で仕事に変えるプロセス3-7、冷源に向かって放熱して冷凝するプロセス7-1、サイクルを形成するプロセス1-2-3-7-1。m2キログラムの作業物質が以下の工程順序によって行われる。液状で(m2-mc)キログラムが低温からの昇圧プロセス1-2、(m2-mc)キログラムとmcキログラムは蒸気を引き混合するプロセスa-e、m2キログラム作業物質は昇圧するプロセスe-f、m3キログラム作業物質が放熱するプロセス6-bから提供された熱負荷を吸収する、或いは同時に外部の熱源から吸熱を行われる蒸気化するプロセスf8、m2キログラム作業物質は降圧で仕事に変えるプロセス8-d、mcキログラム作業物質と２点状態の(m2-mc)キログラム作業物質と混合するととも熱を放っつて凝固するプロセスd-e、(m2-mc)キログラム作業物質は降圧で仕事に変えるプロセスd-9、(m2-mc)キログラム作業物質は冷源へ熱を捨てて凝固するプロセスは9-1、蒸気を引く熱サイクルを形成するプロセス（1-a-e-f-8-9-1+e-f-8-d-e）。m3キログラムの作業物質が以下の工程順序によって行われる。昇圧するプロセス3-4、熱源から吸熱するプロセス4-5、降圧で仕事に変えるプロセス5-6、m2キログラム作業物質に放熱するプロセス6-b、m1キログラム作業物質と混合し、行われる放熱プロセスb-3、サイクルを形成するプロセス3-4-5-6-b-3。
【請求項１７】
シングル作業物質の蒸気連合サイクルは、m1キログラム、m2キログラムとm3キログラム作業物質がそれぞれの熱力のサイクルを行われるプロセスと、m1キログラム作業物質とm3キログラム作業物質の二者の間で行われる混合加熱のプロセスと、及びm1キログラムの熱力のサイクルとm3キログラムの熱力のサイクルとの間に行われる熱交換のプロセスによって構成されている。その中には、m1キログラム作業物質が以下の工程順序によって行われる。液状で(m1-mc1)キログラムが低温からの昇圧プロセス1-2、(m1-mc1)キログラムとmc1キログラムは蒸気を引き混合するプロセス2-e、m1キログラム作業物質は昇圧するプロセスe-f、m1キログラム作業物質とm3キログラム作業物質と混合する、或は同時に外部の熱源から吸熱を行われる蒸気化するプロセスf-3、m1キログラム作業物質は降圧で仕事に変えるプロセス3-d、mc1キログラム作業物質と２点状態の(m1-mc1)キログラム作業物質と混合するととも熱を放熱して凝固するプロセスd-e、(m1-mc1)キログラム作業物質は降圧で仕事に変えるプロセスd-7、(m1-mc1)キログラム作業物質は冷源へ熱を捨てて凝固するプロセスは7-1、蒸気を引く熱サイクルを形成するプロセス（1-2-e-f-3-7-1+e-f-3-d-e）。m2キログラムの作業物質が以下の工程順序によって行われる。液状で(m2-mc2)キログラムが低温からの昇圧プロセス1-a、(m2-mc2)キログラムとmc2キログラムは蒸気を引き混合するプロセスa-h、m2キログラム作業物質は昇圧するプロセスh-i、m3キログラム作業物質が放熱するプロセス6-bから提供された熱負荷を吸収する、或いは同時に外部の熱源から吸熱を行われる蒸気化するプロセスi-8、m2キログラム作業物質は降圧で仕事に変えるプロセス8-g、mc2キログラム作業物質と２点状態の(m2-mc2)キログラム作業物質と混合するととも熱を放熱して凝固するプロセスg-h、(m2-mc2)キログラム作業物質は降圧で仕事に変えるプロセスg-9、(m2-mc2)キログラム作業物質は冷源へ熱を捨てて凝固するプロセスは9-1、蒸気を引く熱サイクルを形成するプロセス（1-a-h-i-8-9-1+g-h-i-8-g）。m3キログラムの作業物質が以下の工程順序によって行われる。昇圧するプロセス34、熱源から吸熱するプロセス4-5、降圧で仕事に変えるプロセス5-6、m2キログラム作業物質に放熱するプロセス6-b、m1キログラム作業物質と混合し、行われる放熱プロセスb-3、サイクルを形成するプロセス3-4-5-6-b-3。
【請求項１８】
シングル作業物質の蒸気連合サイクルは、請求項の8〜17項目のいずれかのシングル作業物質の蒸気連合のサイクル中で、m3キログラム作業物質の熱源から吸熱するプロセス4-5を吸熱するプロセス4-kと熱源から吸熱するプロセスk5に修正した。また、m3キログラム作業物質がm2キログラム作業物質に熱を捨てるプロセス6-bを吸熱するプロセス4-kの熱需要を満足するための放熱するプロセス6-jとm2キログラム作業物質が熱負荷を提供する放熱プロセスj-bに修正した。これで、シングル作業物質の蒸気連合サイクルを形成する。
【請求項１９】
連合サイクル蒸気動力装置は、主に圧縮機、膨張機、第二膨張機、サイクルポンプ、高温熱交換器、凝縮器と混合蒸発器によって構成されている。凝縮器（6）は冷凝液管路とサイクルポンプ（4）を経由して混合蒸発器（7）と接続される。膨張機（2）と蒸気通路は混合蒸発器（7）と接続されて、混合蒸発器（7）と蒸気通路は圧縮機（1）と第二膨張機（3）と接続され、圧縮機（1）、と蒸気通路は高温熱交換器（5）と膨張機（2）と接続され、第二膨張機（3）と蒸気通路は凝縮器（6）と接続している。高温熱交換器（5）と熱源媒体通路は外部と連通し、凝縮器（6）と冷却媒体通路も外部と連通し、混合蒸発器（7）と熱源媒体通路は外部と連通し、膨張機（2）は圧縮機（1）と接続して動力を伝送する、膨張機（2）と第二膨張機（3）は外部に接続して、動力を出力する、以上のように連合サイクル蒸気動力装置を形成する。その中に、膨張機（2）は圧縮機（1）とサイクルポンプ（4）を接続して、動力を伝送する。
【請求項２０】
連合サイクル蒸気動力装置は、主に圧縮機、膨張機、第二膨張機、サイクルポンプ、高温熱交換器、凝縮器、混合蒸発器、回熱器と第二サイクルポンプによって構成されている。凝縮器（6）は冷凝液管回路でサイクルポンプ（4）経由で回熱器（8）と接続される。第二膨張機（3）は蒸気を引く通路で回熱器（8）と接続されて、回熱器（8）はまた冷凝液管回路で第二サイクルポンプ（9）と混合蒸発器（7）に接続され、膨張機（2）は蒸気通路で混合蒸発器（7）と接続され、混合蒸発器（7）は蒸気通路で圧縮機（1）と第二膨張機（3）と接続され、圧縮機（1）と蒸気通路は高温熱交換器（5）に経由して膨張機（2）と連通して、第二膨張機（3）と蒸気通路は凝縮器（6）と連通する。高温熱交換器（5）と熱源媒体通路は外部と連通し、凝縮器（6）と冷却媒体通路も外部と連通し、混合蒸発器（7）は熱源媒体通路で外部と連通し、膨張機（2）は圧縮機（1）と接続して動力を伝送する、膨張機（2）と第二膨張機（3）は外部に接続して、動力を出力する、以上のように連合サイクル蒸気動力装置を形成する。その中に、膨張機（2）は圧縮機（1）とサイクルポンプ（4）と第二サイクルポンプ（9）と接続して、動力を伝送する。
【請求項２１】
連合サイクル蒸気動力装置は、主に圧縮機、膨張機、第二膨張機、サイクルポンプ、高温熱交換器、凝縮器、混合蒸発器と予熱器によって構成されている。凝縮器（6）は冷凝液管回路でサイクルポンプ（4）経由で予熱器（10）と混合蒸発器（7）と接続される。膨張機（2）は蒸気通路で混合蒸発器（7）と接続され、混合蒸発器（7）は蒸気通路で圧縮機（1）と第二膨張機（3）と接続され、圧縮機（1）と蒸気通路は高温熱交換器（5）に経由して膨張機（2）と連通して、第二膨張機（3）と蒸気通路は凝縮器（6）と連通する。高温熱交換器（5）と熱源媒体通路は外部と連通し、凝縮器（6）と冷却媒体通路も外部と連通し、混合蒸発器（7）と熱源媒体通路は外部と連通し、予熱器（10）と熱源媒体通路は外部と連通し、膨張機（2）は圧縮機（1）と接続して動力を伝送する、膨張機（2）と第二膨張機（3）は外部に接続して、動力を出力する、以上のように連合サイクル蒸気動力装置を形成する。その中に、膨張機（2）は圧縮機（1）とサイクルポンプ（4）を接続して、動力を伝送する。
【請求項２２】
連合サイクル蒸気動力装置は、請求項の19〜21項目のいずれかの連合サイクル蒸気動力装置の中で、新たな圧縮機と高温熱交換器を増設した。圧縮機（1）と蒸気通路は高温熱交熱器（5）を経由して膨張機（2）と連通することを圧縮機（1）と蒸気通路は高温熱交熱器（5）を経由して増設した圧縮機（A）と連通することにに調整した。また、増設した圧縮機（A）と蒸気通路は増設した高温熱交交器（C）を経由して膨張機（2）と連通し、増設した高温熱交換器（C）と熱源媒体通路は外部に接続し、膨張機（2）は新増した圧縮機（A）と連通して、動力を出力し、連合サイクル蒸気動力装置を形成する。
【請求項２３】
連合サイクル蒸気動力装置は、請求項19〜21のいずれかの連合サイクル蒸気動力装置の中で、新たな膨張機と高温熱交換器を増設した。圧縮機（1）と蒸気通路は高温熱交熱器（5）を経由して膨張機（2）と連通することを圧縮機（1）と蒸気通路は高温熱交熱器（5）を経由して増設した膨張機（B）と連通することにに調整した。また、増設した膨張機（B）と蒸気通路は増設した高温熱交交器（C）を経由して膨張機（2）と連通し、増設した高温熱交換器（C）と熱源媒体通路は外部に接続し、増設した膨張機（B）は圧縮機（1）と連通して、動力を出力し、連合サイクル蒸気動力装置を形成する。
【請求項２４】
連合サイクル蒸気動力装置は、請求項19〜21のいずれかの連合サイクル蒸気動力装置の中で、新たな高温回熱器を増設した。圧縮機（1）と蒸気通路は高温熱交熱器（5）を経由して膨張機（2）と連通することを圧縮機（1）と蒸気通路は高温回熱器（11）を経由して高温熱交熱器（5）と膨張機（2）と連通することにに調整する。また、膨張機（2）と蒸気通路は混合蒸発器（7）と連通することを膨張機（2）と蒸気通路が高温回熱器（11）を経由して混合蒸発器（7）と連通し、連合サイクル蒸気動力装置を形成する。
【請求項２５】
連合サイクル蒸気動力装置は、請求項19〜21のいずれかの連合サイクル蒸気動力装置の中で、新たな高温回熱器と圧縮機と高温熱交熱器を増設した。圧縮機（1）と蒸気通路は高温熱交熱器（5）を経由して膨張機（2）と連通することを圧縮機（1）と蒸気通路は高温回熱器（11）を経由して高温熱交熱器（5）と増設した圧縮機（A）と連通することにに調整した。また、増設した圧縮機（A）と蒸気通路は増設した高温熱交換器（C）を経由して膨張機（2）と連通し、膨張機（2）と蒸気通路が混合蒸発器（7）と連通することを、膨張機（2）と蒸気通路が高温回熱器（11）を経由して混合蒸発器（7）と連通することに調整する。増設した高温熱交換器（C）と熱源媒体通路は外部に接続し、膨張機（2）は増設した圧縮機（A）と連通し、動力を出力する。これで、連合サイクル蒸気動力装置を形成する。
【請求項２６】
連合サイクル蒸気動力装置は、請求項19〜21のいずれかの連合サイクル蒸気動力装置の中で、新たな高温回熱器と膨張機と高温熱交熱器を増設した。圧縮機（1）と蒸気通路は高温熱交熱器（5）を経由して膨張機（2）と連通することを圧縮機（1）と蒸気通路は高温回熱器（11）を経由して高温熱交熱器（5）と増設した膨張機（B）と連通することにに調整した。また、増設した膨張機（B）と蒸気通路は増設した高温熱交換器（C）を経由して膨張機（2）と連通し、膨張機（2）と蒸気通路が混合蒸発器（7）と連通することを、膨張機（2）と蒸気通路が高温回熱器（11）を経由して混合蒸発器（7）と連通することに調整する。増設した高温熱交換器（C）と熱源媒体通路は外部に接続し、増設した膨張機（B）は圧縮機（1）と連通し、動力を出力する。これで、連合サイクル蒸気動力装置を形成する。
【請求項２７】
連合サイクル蒸気動力装置は、主に圧縮機、膨張機、第二膨張機、サイクルポンプ、高温熱交換器、凝縮器、混合蒸発器、第三膨張機、第二サイクルポンプと中温蒸発器によって構成されている。凝縮器（6）と凝縮液管路はサイクルポンプ（4）を経由して混合蒸発器（7）と連通し、膨張機（2）と蒸気通路は中温蒸発器（13）を経由して混合蒸発器（7）と連通し、混合蒸発器（7）と蒸気通路はそれぞれ圧縮機（1）と第二膨張機（3）と連通し、圧縮機（1）と蒸気通路は高温熱交熱器（5）を経由して膨張機（2）と連通し、第二膨張機（3）と蒸気通路は凝縮器（6）と連通する。また、凝縮器（6）と凝縮液管路は第二サイクルポンプ（9）を経由して中温蒸発器（13）と連通した後、中温蒸発器（13）と蒸気通路は第三膨張機（12）と連通し、第三膨張機（12）と蒸気通路は凝縮器（6）と連通する。高温熱交熱器（5）と熱源媒体通路は外部と連通し、凝縮器（6）と冷却媒体通路は外部と連通し、膨張機（2）は圧縮機（1）と連通し、動力を出力する。第二膨張機（3）と第三膨張機（12）は外部と連通し、かつ動力を出力する。これで、連合サイクル蒸気動力装置を形成する。
【請求項２８】
連合サイクル蒸気動力装置は、主に圧縮機、膨張機、第二膨張機、サイクルポンプ、高温熱交換器、凝縮器、混合蒸発器、第三膨張機、第二サイクルポンプと中温蒸発器によって構成されている。凝縮器（6）と凝縮液管路はサイクルポンプ（4）を経由して混合蒸発器（7）と連通し、膨張機（2）と蒸気通路は中温蒸発器（13）を経由して混合蒸発器（7）と連通し、混合蒸発器（7）と蒸気通路はそれぞれ圧縮機（1）と第二膨張機（3）と連通し、圧縮機（1）と蒸気通路は高温熱交熱器（5）を経由して膨張機（2）と連通し、第二膨張機（3）と蒸気通路は凝縮器（6）と連通する。また、凝縮器（6）と凝縮液管路は第二サイクルポンプ（9）を経由して中温蒸発器（13）と連通した後、中温蒸発器（13）と蒸気通路は第三膨張機（12）と連通し、第三膨張機（12）と蒸気通路は凝縮器（6）と連通する。高温熱交熱器（5）と熱源媒体通路は外部と連通し、凝縮器（6）と冷却媒体通路は外部と連通し、中温蒸発器（13）或いは混合蒸発器（7）と熱源媒体通路は外部と連通し、膨張機（2）は圧縮機（1）と連通し、かつ動力を出力する。膨張機（2）と第二膨張機（3）と第三膨張機（12）は外部と連通し、かつ動力を出力する。これで、連合サイクル蒸気動力装置を形成する。
【請求項２９】
連合サイクル蒸気動力装置は、主に圧縮機、膨張機、第二膨張機、サイクルポンプ、高温熱交換器、凝縮器、混合蒸発器、第三膨張機、第二サイクルポンプと中温蒸発器によって構成されている。凝縮器（6）と凝縮液管路はサイクルポンプ（4）を経由して混合蒸発器（7）と連通し、膨張機（2）と蒸気通路は中温蒸発器（13）を経由して混合蒸発器（7）と連通し、混合蒸発器（7）と蒸気通路はそれぞれ圧縮機（1）と第二膨張機（3）と連通し、圧縮機（1）と蒸気通路は高温熱交熱器（5）を経由して膨張機（2）と連通し、第二膨張機（3）と蒸気通路は凝縮器（6）と連通する。また、凝縮器（6）と凝縮液管路は第二サイクルポンプ（9）を経由して中温蒸発器（13）と連通した後、中温蒸発器（13）と蒸気通路は第三膨張機（12）と連通し、第三膨張機（12）と蒸気通路は凝縮器（6）と連通する。高温熱交熱器（5）と熱源媒体通路は外部と連通し、凝縮器（6）と冷却媒体通路は外部と連通し、中温蒸発器（13）或いは混合蒸発器（7）と熱源媒体通路は外部と連通し、膨張機（2）は圧縮機（1）と連通し、かつ動力を出力する。膨張機（2）と第二膨張機（3）と第三膨張機（12）は外部と連通し、かつ動力を出力する。これで、連合サイクル蒸気動力装置を形成する。
【請求項３０】
連合サイクル蒸気動力装置は、主に圧縮機、膨張機、第二膨張機、サイクルポンプ、高温熱交換器、凝縮器、混合蒸発器、回熱器、第二サイクルポンプ、第三膨張機、中温蒸発器と第三サイクルポンプによって構成されている。凝縮器（6）と凝縮液管路はサイクルポンプ（4）を経由して回熱器（8）と連通し、第二膨張機（3）或いは第三膨張機（12）と蒸気を引く通路は回熱器（8）と連通し、回熱器（8）と冷凝液管路は第二サイクルポンプ（9）を経由し混合蒸発器（7）と連通し、膨張機（2）と蒸気通路は中温蒸発器（13）を経由して混合蒸発器（7）と連通し、混合蒸発器（7）と蒸気通路はそれぞれ圧縮機（1）と第二膨張機（3）と連通し、圧縮機（1）と蒸気通路は高温熱交熱器（5）を経由して膨張機（2）と連通し、第二膨張機（3）と蒸気通路は凝縮器（6）と連通する。また、凝縮器（6）と凝縮液管路は第三サイクルポンプ（14）を経由して中温蒸発器（13）と連通した後、中温蒸発器（13）と蒸気通路は第三膨張機（12）と連通し、第三膨張機（12）と蒸気通路は凝縮器（6）と連通する。高温熱交熱器（5）と熱源媒体通路は外部と連通し、凝縮器（6）と冷却媒体通路は外部と連通し、膨張機（2）は圧縮機（1）と連通し、かつ動力を出力する。膨張機（2）と第二膨張機（3）と第三膨張機（12）は外部と連通し、かつ動力を出力する。これで、連合サイクル蒸気動力装置を形成する。
【請求項３１】
連合サイクル蒸気動力装置は、主に圧縮機、膨張機、第二膨張機、サイクルポンプ、高温熱交換器、凝縮器、混合蒸発器、回熱器、第二サイクルポンプ、第三膨張機、中温蒸発器と第三サイクルポンプによって構成されている。凝縮器（6）と凝縮液管路はサイクルポンプ（4）を経由して回熱器（8）と連通し、第二膨張機（3）或いは第三膨張機（12）と蒸気を引く通路は回熱器（8）と連通し、回熱器（8）と冷凝液管路は第二サイクルポンプ（9）を経由し混合蒸発器（7）と連通し、膨張機（2）と蒸気通路は中温蒸発器（13）を経由して混合蒸発器（7）と連通し、混合蒸発器（7）と蒸気通路はそれぞれ圧縮機（1）と第二膨張機（3）と連通し、圧縮機（1）と蒸気通路は高温熱交熱器（5）を経由して膨張機（2）と連通し、第二膨張機（3）と蒸気通路は凝縮器（6）と連通する。また、凝縮器（6）と凝縮液管路は第三サイクルポンプ（14）を経由して中温蒸発器（13）と連通した後、中温蒸発器（13）と蒸気通路は第三膨張機（12）と連通し、第三膨張機（12）と蒸気通路は凝縮器（6）と連通する。高温熱交熱器（5）と熱源媒体通路は外部と連通し、凝縮器（6）と冷却媒体通路は外部と連通し、中温蒸発器（13）或いは混合蒸発器（7）と熱源媒体管路は外部と連通し、膨張機（2）は圧縮機（1）と連通し、かつ動力を出力する。膨張機（2）と第二膨張機（3）と第三膨張機（12）は外部と連通し、かつ動力を出力する。これで、連合サイクル蒸気動力装置を形成する。
【請求項３２】
連合サイクル蒸気動力装置は、主に圧縮機、膨張機、第二膨張機、サイクルポンプ、高温熱交換器、凝縮器、混合蒸発器、回熱器、第二サイクルポンプ、第三膨張機、中温蒸発器と第三サイクルポンプによって構成されている。凝縮器（6）と凝縮液管路はサイクルポンプ（4）を経由して回熱器（8）と連通し、第二膨張機（3）或いは第三膨張機（12）と蒸気を引く通路は回熱器（8）と連通し、回熱器（8）と冷凝液管路は第二サイクルポンプ（9）を経由し混合蒸発器（7）と連通し、膨張機（2）と蒸気通路は中温蒸発器（13）を経由して混合蒸発器（7）と連通し、混合蒸発器（7）と蒸気通路はそれぞれ圧縮機（1）と第二膨張機（3）と連通し、圧縮機（1）と蒸気通路は高温熱交熱器（5）を経由して膨張機（2）と連通し、第二膨張機（3）と蒸気通路は凝縮器（6）と連通する。また、凝縮器（6）と凝縮液管路は第三サイクルポンプ（14）を経由して中温蒸発器（13）と連通した後、中温蒸発器（13）と蒸気通路は第三膨張機（12）と連通し、第三膨張機（12）と蒸気通路は凝縮器（6）と連通する。高温熱交熱器（5）と熱源媒体通路は外部と連通し、凝縮器（6）と冷却媒体通路は外部と連通し、中温蒸発器（13）或いは混合蒸発器（7）と熱源媒体管路は外部と連通し、膨張機（2）は圧縮機（1）と連通し、かつ動力を出力する。膨張機（2）と第二膨張機（3）と第三膨張機（12）は外部と連通し、かつ動力を出力する。これで、連合サイクル蒸気動力装置を形成する。
【請求項３３】
連合サイクル蒸気動力装置は、主に圧縮機、膨張機、第二膨張機、サイクルポンプ、高温熱交換器、凝縮器、混合蒸発器、回熱器、第二サイクルポンプ、第三膨張機、中温蒸発器と第三サイクルポンプによって構成されている。凝縮器（6）と凝縮液管路はサイクルポンプ（4）を経由して混合蒸発器（7）と連通し、膨張機（2）と蒸気通路は中温蒸発器（13）を経由して混合蒸発器（7）と連通し、混合蒸発器（7）と蒸気通路はそれぞれ圧縮機（1）と第二膨張機（3）と連通し、圧縮機（1）と蒸気通路は高温熱交熱器（5）を経由して膨張機（2）と連通し、第二膨張機（3）と蒸気通路は凝縮器（6）と連通する。また、凝縮器（6）と凝縮液管路は第二サイクルポンプ（9）を経由して回熱器（8）と連通し、第三膨張機（12）或いは第二膨張機（3）と蒸気を引く管路は回熱器（8）と連通し、回熱器（8）と冷凝液管路は第三サイクルポンプ（14）を経由して中温蒸発器（13）と連通した後、中温蒸発器（13）と蒸気通路は第三膨張機（12）と連通し、第三膨張機（12）と蒸気通路は凝縮器（6）と連通する。高温熱交熱器（5）と熱源媒体通路は外部と連通し、凝縮器（6）と冷却媒体通路は外部と連通し、膨張機（2）は圧縮機（1）と連通し、かつ動力を出力する。膨張機（2）と第二膨張機（3）と第三膨張機（12）は外部と連通し、かつ動力を出力する。これで、連合サイクル蒸気動力装置を形成する。
【請求項３４】
連合サイクル蒸気動力装置は、主に圧縮機、膨張機、第二膨張機、サイクルポンプ、高温熱交換器、凝縮器、混合蒸発器、回熱器、第二サイクルポンプ、第三膨張機、中温蒸発器と第三サイクルポンプによって構成されている。凝縮器（6）と凝縮液管路はサイクルポンプ（4）を経由して混合蒸発器（7）と連通し、膨張機（2）と蒸気通路は中温蒸発器（13）を経由して混合蒸発器（7）と連通し、混合蒸発器（7）と蒸気通路はそれぞれ圧縮機（1）と第二膨張機（3）と連通し、圧縮機（1）と蒸気通路は高温熱交熱器（5）を経由して膨張機（2）と連通し、第二膨張機（3）と蒸気通路は凝縮器（6）と連通する。また、凝縮器（6）と凝縮液管路は第二サイクルポンプ（9）を経由して回熱器（8）と連通し、第三膨張機（12）或いは第二膨張機（3）と蒸気を引く管路は回熱器（8）と連通し、回熱器（8）と冷凝液管路は第三サイクルポンプ（14）を経由して中温蒸発器（13）と連通した後、中温蒸発器（13）と蒸気通路は第三膨張機（12）と連通し、第三膨張機（12）と蒸気通路は凝縮器（6）と連通する。高温熱交熱器（5）と熱源媒体通路は外部と連通し、凝縮器（6）と冷却媒体通路は外部と連通し、中温蒸発器（13）或いは混合蒸発器（7）と熱源媒体管路は外部と連通し、膨張機（2）は圧縮機（1）と連通し、かつ動力を出力する。膨張機（2）と第二膨張機（3）と第三膨張機（12）は外部と連通し、かつ動力を出力する。これで、連合サイクル蒸気動力装置を形成する。
【請求項３５】
連合サイクル蒸気動力装置は、主に圧縮機、膨張機、第二膨張機、サイクルポンプ、高温熱交換器、凝縮器、混合蒸発器、回熱器、第二サイクルポンプ、第三膨張機、中温蒸発器と第三サイクルポンプによって構成されている。凝縮器（6）と凝縮液管路はサイクルポンプ（4）を経由して混合蒸発器（7）と連通し、膨張機（2）と蒸気通路は中温蒸発器（13）を経由して混合蒸発器（7）と連通し、混合蒸発器（7）と蒸気通路はそれぞれ圧縮機（1）と第二膨張機（3）と連通し、圧縮機（1）と蒸気通路は高温熱交熱器（5）を経由して膨張機（2）と連通し、第二膨張機（3）と蒸気通路は凝縮器（6）と連通する。また、凝縮器（6）と凝縮液管路は第二サイクルポンプ（9）を経由して回熱器（8）と連通し、第三膨張機（12）或いは第二膨張機（3）と蒸気を引く管路は回熱器（8）と連通し、回熱器（8）と冷凝液管路は第三サイクルポンプ（14）を経由して中温蒸発器（13）と連通した後、中温蒸発器（13）と蒸気通路は第三膨張機（12）と連通し、第三膨張機（12）と蒸気通路は凝縮器（6）と連通する。高温熱交熱器（5）と熱源媒体通路は外部と連通し、凝縮器（6）と冷却媒体通路は外部と連通し、中温蒸発器（13）或いは混合蒸発器（7）と熱源媒体管路は外部と連通し、膨張機（2）は圧縮機（1）と連通し、かつ動力を出力する。膨張機（2）と第二膨張機（3）と第三膨張機（12）は外部と連通し、かつ動力を出力する。これで、連合サイクル蒸気動力装置を形成する。
【請求項３６】
連合サイクル蒸気動力装置は、主に圧縮機、膨張機、第二膨張機、サイクルポンプ、高温熱交換器、凝縮器、混合蒸発器、回熱器、第二サイクルポンプ、第三膨張機、中温蒸発器、第三サイクルポンプ、第二回熱器と第四サイクルポンプによって構成されている。凝縮器（6）と凝縮液管路はサイクルポンプ（4）を経由して回熱器（8）と連通し、第二膨張機（3）或いは第三膨張機（12）と蒸気を引く通路は回熱器（8）と連通し、回熱器（8）と冷凝液管路は第二サイクルポンプ（9）を経由し混合蒸発器（7）と連通し、膨張機（2）と蒸気通路は中温蒸発器（13）を経由して混合蒸発器（7）と連通し、混合蒸発器（7）と蒸気通路はそれぞれ圧縮機（1）と第二膨張機（3）と連通し、圧縮機（1）と蒸気通路は高温熱交熱器（5）を経由して膨張機（2）と連通し、第二膨張機（3）と蒸気通路は凝縮器（6）と連通する。また、凝縮器（6）と凝縮液管路は第三サイクルポンプ（14）を経由して第二回熱器（15）と連通し、第三膨張機（12）或いは第二膨張機（3）と蒸気を引く管路は第二回熱器（15）と連通し、第二回熱器（15）と冷凝液管路は第四サイクルポンプ（16）を経由して中温蒸発器（13）と連通した後、中温蒸発器（13）と蒸気通路は第三膨張機（12）と連通し、第三膨張機（12）と蒸気通路は凝縮器（6）と連通する。高温熱交熱器（5）と熱源媒体通路は外部と連通し、凝縮器（6）と冷却媒体通路は外部と連通し、膨張機（2）は圧縮機（1）と連通し、かつ動力を出力する。膨張機（2）と第二膨張機（3）と第三膨張機（12）は外部と連通し、かつ動力を出力する。これで、連合サイクル蒸気動力装置を形成する。
【請求項３７】
連合サイクル蒸気動力装置は、主に圧縮機、膨張機、第二膨張機、サイクルポンプ、高温熱交換器、凝縮器、混合蒸発器、回熱器、第二サイクルポンプ、第三膨張機、中温蒸発器、第三サイクルポンプ、第二回熱器と第四サイクルポンプによって構成されている。凝縮器（6）と凝縮液管路はサイクルポンプ（4）を経由して回熱器（8）と連通し、第二膨張機（3）或いは第三膨張機（12）と蒸気を引く通路は回熱器（8）と連通し、回熱器（8）と冷凝液管路は第二サイクルポンプ（9）を経由し混合蒸発器（7）と連通し、膨張機（2）と蒸気通路は中温蒸発器（13）を経由して混合蒸発器（7）と連通し、混合蒸発器（7）と蒸気通路はそれぞれ圧縮機（1）と第二膨張機（3）と連通し、圧縮機（1）と蒸気通路は高温熱交熱器（5）を経由して膨張機（2）と連通し、第二膨張機（3）と蒸気通路は凝縮器（6）と連通する。また、凝縮器（6）と凝縮液管路は第三サイクルポンプ（14）を経由して第二回熱器（15）と連通し、第三膨張機（12）或いは第二膨張機（3）と蒸気を引く管路は第二回熱器（15）と連通し、第二回熱器（15）と冷凝液管路は第四サイクルポンプ（16）を経由して中温蒸発器（13）と連通した後、中温蒸発器（13）と蒸気通路は第三膨張機（12）と連通し、第三膨張機（12）と蒸気通路は凝縮器（6）と連通する。高温熱交熱器（5）と熱源媒体通路は外部と連通し、凝縮器（6）と冷却媒体通路は外部と連通し、中温蒸発器（13）或いは混合蒸発器（7）と熱源媒体管路は外部と連通し、膨張機（2）は圧縮機（1）と連通し、かつ動力を出力する。膨張機（2）と第二膨張機（3）と第三膨張機（12）は外部と連通し、かつ動力を出力する。これで、連合サイクル蒸気動力装置を形成する。
【請求項３８】
連合サイクル蒸気動力装置は、主に圧縮機、膨張機、第二膨張機、サイクルポンプ、高温熱交換器、凝縮器、混合蒸発器、回熱器、第二サイクルポンプ、第三膨張機、中温蒸発器、第三サイクルポンプ、第二回熱器と第四サイクルポンプによって構成されている。凝縮器（6）と凝縮液管路はサイクルポンプ（4）を経由して回熱器（8）と連通し、第二膨張機（3）或いは第三膨張機（12）と蒸気を引く通路は回熱器（8）と連通し、回熱器（8）と冷凝液管路は第二サイクルポンプ（9）を経由し混合蒸発器（7）と連通し、膨張機（2）と蒸気通路は中温蒸発器（13）を経由して混合蒸発器（7）と連通し、混合蒸発器（7）と蒸気通路はそれぞれ圧縮機（1）と第二膨張機（3）と連通し、圧縮機（1）と蒸気通路は高温熱交熱器（5）を経由して膨張機（2）と連通し、第二膨張機（3）と蒸気通路は凝縮器（6）と連通する。また、凝縮器（6）と凝縮液管路は第三サイクルポンプ（14）を経由して第二回熱器（15）と連通し、第三膨張機（12）或いは第二膨張機（3）と蒸気を引く管路は第二回熱器（15）と連通し、第二回熱器（15）と冷凝液管路は第四サイクルポンプ（16）を経由して中温蒸発器（13）と連通した後、中温蒸発器（13）と蒸気通路は第三膨張機（12）と連通し、第三膨張機（12）と蒸気通路は凝縮器（6）と連通する。高温熱交熱器（5）と熱源媒体通路は外部と連通し、凝縮器（6）と冷却媒体通路は外部と連通し、中温蒸発器（13）と混合蒸発器（7）はそれぞれ熱源媒体管路で外部と連通し、膨張機（2）は圧縮機（1）と連通し、かつ動力を出力する。膨張機（2）と第二膨張機（3）と第三膨張機（12）は外部と連通し、かつ動力を出力する。これで、連合サイクル蒸気動力装置を形成する。
【請求項３９】
連合サイクル蒸気動力装置は、主に圧縮機、膨張機、第二膨張機、サイクルポンプ、高温熱交換器、凝縮器、混合蒸発器、第二サイクルポンプ、予熱器、第三膨張機と中温蒸発器によって構成されている。凝縮器（6）と凝縮液管路はサイクルポンプ（4）を経由して予熱器（10）と混合蒸発器（7）と連通し、膨張機（2）と蒸気通路は中温蒸発器（13）を経由して混合蒸発器（7）と連通し、混合蒸発器（7）と蒸気通路はそれぞれ圧縮機（1）と第二膨張機（3）と連通し、圧縮機（1）と蒸気通路は高温熱交熱器（5）を経由して膨張機（2）と連通し、第二膨張機（3）と蒸気通路は凝縮器（6）と連通する。また、凝縮器（6）と凝縮液管路は第二サイクルポンプ（9）を経由して中温蒸発器（13）と連通した後、中温蒸発器（13）と蒸気通路は第三膨張機（12）と連通し、第三膨張機（12）と蒸気通路は凝縮器（6）と連通する。高温熱交熱器（5）と熱源媒体通路は外部と連通し、凝縮器（6）と冷却媒体通路は外部と連通し、予熱器（10）と熱源媒体管路は外部と連通し、膨張機（2）は圧縮機（1）と連通し、かつ動力を出力する。膨張機（2）と第二膨張機（3）と第三膨張機（12）は外部と連通し、かつ動力を出力する。これで、連合サイクル蒸気動力装置を形成する。
【請求項４０】
連合サイクル蒸気動力装置は、主に圧縮機、膨張機、第二膨張機、サイクルポンプ、高温熱交換器、凝縮器、混合蒸発器、第二サイクルポンプ、予熱器、第三膨張機と中温蒸発器によって構成されている。凝縮器（6）と凝縮液管路はサイクルポンプ（4）を経由して予熱器（10）と混合蒸発器（7）と連通し、膨張機（2）と蒸気通路は中温蒸発器（13）を経由して混合蒸発器（7）と連通し、混合蒸発器（7）と蒸気通路はそれぞれ圧縮機（1）と第二膨張機（3）と連通し、圧縮機（1）と蒸気通路は高温熱交熱器（5）を経由して膨張機（2）と連通し、第二膨張機（3）と蒸気通路は凝縮器（6）と連通する。また、凝縮器（6）と凝縮液管路は第二サイクルポンプ（9）を経由して中温蒸発器（13）と連通した後、中温蒸発器（13）と蒸気通路は第三膨張機（12）と連通し、第三膨張機（12）と蒸気通路は凝縮器（6）と連通する。高温熱交熱器（5）と熱源媒体通路は外部と連通し、凝縮器（6）と冷却媒体通路は外部と連通し、中温蒸発器（13）或いは混合蒸発器（7）は熱源媒体管路で外部と連通し、予熱器（10）と熱源媒体管路は外部と連通し、膨張機（2）は圧縮機（1）と連通し、かつ動力を出力する。膨張機（2）と第二膨張機（3）と第三膨張機（12）は外部と連通し、かつ動力を出力する。これで、連合サイクル蒸気動力装置を形成する。
【請求項４１】
連合サイクル蒸気動力装置は、主に圧縮機、膨張機、第二膨張機、サイクルポンプ、高温熱交換器、凝縮器、混合蒸発器、第二サイクルポンプ、予熱器、第三膨張機と中温蒸発器によって構成されている。凝縮器（6）と凝縮液管路はサイクルポンプ（4）を経由して予熱器（10）と混合蒸発器（7）と連通し、膨張機（2）と蒸気通路は中温蒸発器（13）を経由して混合蒸発器（7）と連通し、混合蒸発器（7）と蒸気通路はそれぞれ圧縮機（1）と第二膨張機（3）と連通し、圧縮機（1）と蒸気通路は高温熱交熱器（5）を経由して膨張機（2）と連通し、第二膨張機（3）と蒸気通路は凝縮器（6）と連通する。また、凝縮器（6）と凝縮液管路は第二サイクルポンプ（9）を経由して中温蒸発器（13）と連通した後、中温蒸発器（13）と蒸気通路は第三膨張機（12）と連通し、第三膨張機（12）と蒸気通路は凝縮器（6）と連通する。高温熱交熱器（5）と熱源媒体通路は外部と連通し、凝縮器（6）と冷却媒体通路は外部と連通し、中温蒸発器（13）と混合蒸発器（7）はそれぞれ熱源媒体管路で外部と連通し、予熱器（10）と熱源媒体管路は外部と連通し、膨張機（2）は圧縮機（1）と連通し、かつ動力を出力する。膨張機（2）と第二膨張機（3）と第三膨張機（12）は外部と連通し、かつ動力を出力する。これで、連合サイクル蒸気動力装置を形成する。
【請求項４２】
連合サイクル蒸気動力装置は、主に圧縮機、膨張機、第二膨張機、サイクルポンプ、高温熱交換器、凝縮器、混合蒸発器、第二サイクルポンプ、予熱器、第三膨張機と中温蒸発器によって構成されている。凝縮器（6）と凝縮液管路はサイクルポンプ（4）を経由して混合蒸発器（7）と連通し、膨張機（2）と蒸気通路は中温蒸発器（13）を経由して混合蒸発器（7）と連通し、混合蒸発器（7）と蒸気通路はそれぞれ圧縮機（1）と第二膨張機（3）と連通し、圧縮機（1）と蒸気通路は高温熱交熱器（5）を経由して膨張機（2）と連通し、第二膨張機（3）と蒸気通路は凝縮器（6）と連通する。また、凝縮器（6）と凝縮液管路は第二サイクルポンプ（9）と予熱器（10）を経由して中温蒸発器（13）連通した後、中温蒸発器（13）と蒸気通路は第三膨張機（12）と連通し、第三膨張機（12）と蒸気通路は凝縮器（6）と連通する。高温熱交熱器（5）と熱源媒体通路は外部と連通し、凝縮器（6）と冷却媒体通路は外部と連通し、予熱器（10）と熱源媒体管路は外部と連通し、膨張機（2）は圧縮機（1）と連通し、かつ動力を出力する。膨張機（2）と第二膨張機（3）と第三膨張機（12）は外部と連通し、かつ動力を出力する。これで、連合サイクル蒸気動力装置を形成する。
【請求項４３】
連合サイクル蒸気動力装置は、主に圧縮機、膨張機、第二膨張機、サイクルポンプ、高温熱交換器、凝縮器、混合蒸発器、第二サイクルポンプ、予熱器、第三膨張機と中温蒸発器によって構成されている。凝縮器（6）と凝縮液管路はサイクルポンプ（4）を経由して混合蒸発器（7）と連通し、膨張機（2）と蒸気通路は中温蒸発器（13）を経由して混合蒸発器（7）と連通し、混合蒸発器（7）と蒸気通路はそれぞれ圧縮機（1）と第二膨張機（3）と連通し、圧縮機（1）と蒸気通路は高温熱交熱器（5）を経由して膨張機（2）と連通し、第二膨張機（3）と蒸気通路は凝縮器（6）と連通する。また、凝縮器（6）と凝縮液管路は第二サイクルポンプ（9）と予熱器（10）を経由して中温蒸発器（13）連通した後、中温蒸発器（13）と蒸気通路は第三膨張機（12）と連通し、第三膨張機（12）と蒸気通路は凝縮器（6）と連通する。高温熱交熱器（5）と熱源媒体通路は外部と連通し、凝縮器（6）と冷却媒体通路は外部と連通し、中温蒸発器（13）或いは混合蒸発器（7）と熱源媒体管路は外部と連通し、予熱器（10）と熱源媒体管路は外部と連通し、膨張機（2）は圧縮機（1）と連通し、かつ動力を出力する。膨張機（2）と第二膨張機（3）と第三膨張機（12）は外部と連通し、かつ動力を出力する。これで、連合サイクル蒸気動力装置を形成する。
【請求項４４】
連合サイクル蒸気動力装置は、主に圧縮機、膨張機、第二膨張機、サイクルポンプ、高温熱交換器、凝縮器、混合蒸発器、第二サイクルポンプ、予熱器、第三膨張機と中温蒸発器によって構成されている。凝縮器（6）と凝縮液管路はサイクルポンプ（4）を経由して混合蒸発器（7）と連通し、膨張機（2）と蒸気通路は中温蒸発器（13）を経由して混合蒸発器（7）と連通し、混合蒸発器（7）と蒸気通路はそれぞれ圧縮機（1）と第二膨張機（3）と連通し、圧縮機（1）と蒸気通路は高温熱交熱器（5）を経由して膨張機（2）と連通し、第二膨張機（3）と蒸気通路は凝縮器（6）と連通する。また、凝縮器（6）と凝縮液管路は第二サイクルポンプ（9）と予熱器（10）を経由して中温蒸発器（13）連通した後、中温蒸発器（13）と蒸気通路は第三膨張機（12）と連通し、第三膨張機（12）と蒸気通路は凝縮器（6）と連通する。高温熱交熱器（5）と熱源媒体通路は外部と連通し、凝縮器（6）と冷却媒体通路は外部と連通し、中温蒸発器（13）と混合蒸発器（7）はそれぞれ熱源媒体管路で外部と連通し、予熱器（10）と熱源媒体管路は外部と連通し、膨張機（2）は圧縮機（1）と連通し、かつ動力を出力する。膨張機（2）と第二膨張機（3）と第三膨張機（12）は外部と連通し、かつ動力を出力する。これで、連合サイクル蒸気動力装置を形成する。
【請求項４５】
連合サイクル蒸気動力装置は、主に圧縮機、膨張機、第二膨張機、サイクルポンプ、高温熱交換器、凝縮器、混合蒸発器、第二サイクルポンプ、予熱器、第三膨張機、中温蒸発器と第二予熱器によって構成されている。凝縮器（6）と凝縮液管路はサイクルポンプ（4）を経由して予熱器（10）と混合蒸発器（7）と連通し、膨張機（2）と蒸気通路は中温蒸発器（13）を経由して混合蒸発器（7）と連通し、混合蒸発器（7）と蒸気通路はそれぞれ圧縮機（1）と第二膨張機（3）と連通し、圧縮機（1）と蒸気通路は高温熱交熱器（5）を経由して膨張機（2）と連通し、第二膨張機（3）と蒸気通路は凝縮器（6）と連通する。また、凝縮器（6）と凝縮液管路は第二サイクルポンプ（9）と第二予熱器（17）を経由して中温蒸発器（13）連通した後、中温蒸発器（13）と蒸気通路は第三膨張機（12）と連通し、第三膨張機（12）と蒸気通路は凝縮器（6）と連通する。高温熱交熱器（5）と熱源媒体通路は外部と連通し、凝縮器（6）と冷却媒体通路は外部と連通し、予熱器（10）と第二予熱器（17）はそれぞれ熱源媒体管路で外部と連通し、膨張機（2）は圧縮機（1）と連通し、かつ動力を出力する。膨張機（2）と第二膨張機（3）と第三膨張機（12）は外部と連通し、かつ動力を出力する。これで、連合サイクル蒸気動力装置を形成する。
【請求項４６】
連合サイクル蒸気動力装置は、主に圧縮機、膨張機、第二膨張機、サイクルポンプ、高温熱交換器、凝縮器、混合蒸発器、第二サイクルポンプ、予熱器、第三膨張機、中温蒸発器と第二予熱器によって構成されている。凝縮器（6）と凝縮液管路はサイクルポンプ（4）を経由して予熱器（10）と混合蒸発器（7）と連通し、膨張機（2）と蒸気通路は中温蒸発器（13）を経由して混合蒸発器（7）と連通し、混合蒸発器（7）と蒸気通路はそれぞれ圧縮機（1）と第二膨張機（3）と連通し、圧縮機（1）と蒸気通路は高温熱交熱器（5）を経由して膨張機（2）と連通し、第二膨張機（3）と蒸気通路は凝縮器（6）と連通する。また、凝縮器（6）と凝縮液管路は第二サイクルポンプ（9）と第二予熱器（17）を経由して中温蒸発器（13）連通後、中温蒸発器（13）と蒸気通路は第三膨張機（12）と連通し、第三膨張機（12）と蒸気通路は凝縮器（6）と連通する。高温熱交熱器（5）と熱源媒体通路は外部と連通し、凝縮器（6）と冷却媒体通路は外部と連通し、中温蒸発器（13）或いは混合蒸発器（7）は熱源媒体管路で外部と連通し、予熱器（10）と第二予熱器（17）はそれぞれ熱源媒体管路で外部と連通し、膨張機（2）は圧縮機（1）と連通し、かつ動力を出力する。膨張機（2）と第二膨張機（3）と第三膨張機（12）は外部と連通し、かつ動力を出力する。これで、連合サイクル蒸気動力装置を形成する。
【請求項４７】
連合サイクル蒸気動力装置は、主に圧縮機、膨張機、第二膨張機、サイクルポンプ、高温熱交換器、凝縮器、混合蒸発器、第二サイクルポンプ、予熱器、第三膨張機、中温蒸発器と第二予熱器によって構成されている。凝縮器（6）と凝縮液管路はサイクルポンプ（4）を経由して予熱器（10）と混合蒸発器（7）と連通し、膨張機（2）と蒸気通路は中温蒸発器（13）を経由して混合蒸発器（7）と連通し、混合蒸発器（7）と蒸気通路はそれぞれ圧縮機（1）と第二膨張機（3）と連通し、圧縮機（1）と蒸気通路は高温熱交熱器（5）を経由して膨張機（2）と連通し、第二膨張機（3）と蒸気通路は凝縮器（6）と連通する。また、凝縮器（6）と凝縮液管路は第二サイクルポンプ（9）と第二予熱器（17）を経由して中温蒸発器（13）連通した後、中温蒸発器（13）と蒸気通路は第三膨張機（12）と連通し、第三膨張機（12）と蒸気通路は凝縮器（6）と連通する。高温熱交熱器（5）と熱源媒体通路は外部と連通し、凝縮器（6）と冷却媒体通路は外部と連通し、中温蒸発器（13）と混合蒸発器（7）はそれぞれ熱源媒体管路で外部と連通し、予熱器（10）と第二予熱器（17）はそれぞれ熱源媒体管路で外部と連通し、膨張機（2）は圧縮機（1）と連通し、かつ動力を出力する。膨張機（2）と第二膨張機（3）と第三膨張機（12）は外部と連通し、かつ動力を出力する。これで、連合サイクル蒸気動力装置を形成する。
【請求項４８】
連合サイクル蒸気動力装置は、主に圧縮機、膨張機、第二膨張機、サイクルポンプ、高温熱交換器、凝縮器、混合蒸発器、第二サイクルポンプ、予熱器、中温蒸発器と第二予熱器によって構成されている。凝縮器（6）と凝縮液管路はサイクルポンプ（4）を経由して予熱器（10）と混合蒸発器（7）と連通し、膨張機（2）と蒸気通路は中温蒸発器（13）を経由して混合蒸発器（7）と連通し、混合蒸発器（7）と蒸気通路は圧縮機（1）と連通し、混合蒸発器（7）と中間蒸気を入れる通路は第二膨張機（3）と連通し、圧縮機（1）と蒸気通路は高温熱交熱器（5）を経由して膨張機（2）と連通する。また、凝縮器（6）と凝縮液管路は第二サイクルポンプ（9）と第二予熱器（17）を経由して中温蒸発器（13）連通した後、中温蒸発器（13）と蒸気通路は第二膨張機（3）と連通し、第二膨張機（3）と蒸気通路は凝縮器（6）と連通する。高温熱交熱器（5）と熱源媒体通路は外部と連通し、凝縮器（6）と冷却媒体通路は外部と連通し、中温蒸発器（13）と混合蒸発器（7）はそれぞれ熱源媒体管路で外部と連通し、予熱器（10）と第二予熱器（17）はそれぞれ熱源媒体管路で外部と連通し、膨張機（2）は圧縮機（1）と連通し、かつ動力を出力する。膨張機（2）と第二膨張機（3）と第三膨張機（12）は外部と連通し、かつ動力を出力する。これで、連合サイクル蒸気動力装置を形成する。
【請求項４９】
連合サイクル蒸気動力装置は、請求項の27〜47項目のいずれかの連合サイクル蒸気動力装置の中で、新たな中間再熱器を増設した。中温蒸発器（13）と蒸気通路は第三膨張機（12）と連通し、第三膨張機（12）と蒸気通路は凝縮器（6）と連通することを、中温蒸発器（13）と蒸気通路は第三膨張機（12）と連通し、第三膨張機（12）と中間再熱蒸気通路は中間再熱器（19）を経由して第三膨張機（12）と連通し、第三膨張機（12）と蒸気通路は凝縮器（6）と連通することに調整した。中間再熱器（19）と熱源媒体通路は外部と連通し、連合サイクル蒸気動力装置を形成する。
【請求項５０】
連合サイクル蒸気動力装置は、請求項の27〜47項目のいずれかの連合サイクル蒸気動力装置の中で、第三膨張機（12）と蒸気通路は凝縮器（6）と連通することを第三膨張機（12）と蒸気通路は第二膨張機（3）と連通することに調整した。これで、連合サイクル蒸気動力装置を形成する。
【請求項５１】
連合サイクル蒸気動力装置は、請求項の45〜47項目のいずれかの連合サイクル蒸気動力装置の中で、新たに第二凝縮器を増設した。第三膨張機（12）と蒸気通路は凝縮器（6）と連通することを、第三膨張機（12）と蒸気通路は第二凝縮器（18）と連通することに調整した。また、凝縮器（6）と凝縮液管路は第二サイクルポンプ（9）と第二予熱器（17）を経由して中温蒸発器（13）連通することを第二凝縮器（18）と凝縮液管路は第二サイクルポンプ（9）と第二予熱器（17）を経由して中温蒸発器（13）連通することに調整した。第二凝縮器（18）と冷却媒体通路は外部と連通し、連合サイクル蒸気動力装置を形成する。
【請求項５２】
連合サイクル蒸気動力装置は、請求項の45〜47項目のいずれかの連合サイクル蒸気動力装置の中で、凝縮器（6）と凝縮液管路はサイクルポンプ（4）を経由して予熱器（10）と混合蒸発器（7）と連通することと、凝縮器（6）と凝縮液管路は第二サイクルポンプ（9）と第二予熱器（17）を経由して中温蒸発器（13）に連通することと合わせて、凝縮器（6）と凝縮液管路はサイクルポンプ（4）と予熱器（10）を経由して二つのルートに分けて、一つ目は混合蒸発器（7）と直接に連通し、二つ目は第二サイクルポンプ（9）と第二予熱器（17）を経由して中温蒸発器（13）と連通することに調整した。これで、連合サイクル蒸気動力装置を形成する。
【請求項５３】
連合サイクル蒸気動力装置は、請求項の27〜52項目のいずれかの連合サイクル蒸気動力装置の中で、新たに圧縮機と高温熱交換器を増設した。圧縮機（1）と蒸気通路は高温熱交換器（5）を経由して膨張機（2）と連通することを、圧縮機（1）と蒸気通路は高温熱交換器（5）を経由して増設した圧縮機（A）と連通し、増設した圧縮機（A）と蒸気通路は増設した高温熱交換器（C）を経由して膨張機（2）と連通し、増設した高温熱交換器（C）と熱源媒体通路は外部と連通することに調整した。膨張機（2）は増設した圧縮機（A）と連通し、かつ動力を出力する。これで、連合サイクル蒸気動力装置を形成する。
【請求項５４】
連合サイクル蒸気動力装置は、請求項の27〜52項目のいずれかの連合サイクル蒸気動力装置の中で、新たに高温回熱器を増設した。圧縮機（1）と蒸気通路は高温熱交換器（5）を経由して膨張機（2）と連通することを、圧縮機（1）と蒸気通路は高温回熱器（11）と高温熱交換器（5）を経由して膨張機（2）と連通することに調整した。膨張機（2）と蒸気通路は中温蒸発器（13）を経由して混合蒸発器（7）と連通することを、膨張機（2）と蒸気通路は高温回熱器（11）と中温蒸発器（13）を経由して混合蒸発器（7）と連通することに調整した。これで、連合サイクル蒸気動力装置を形成する。
【請求項５５】
連合サイクル蒸気動力装置は、請求項の27〜52項目のいずれかの連合サイクル蒸気動力装置の中で、新たに高温回熱器、圧縮機と高温熱交換器を増設した。圧縮機（1）と蒸気通路は高温熱交換器（5）を経由して膨張機（2）と連通することを、圧縮機（1）と蒸気通路は高温回熱器（11）と高温熱交換器（5）を経由して増設した圧縮機（A）と連通することに調整した。増設した圧縮機（A）と蒸気通路は増設した高温熱交換器（C）を経由して膨張機（2）と連通する。また、膨張機（2）と蒸気通路は中温蒸発器（13）を経由して混合蒸発器（7）と連通することを、膨張機（2）と蒸気通路は高温回熱器（11）と中温蒸発器（13）を経由して混合蒸発器（7）と連通することに調整した。増設した高温熱交換器（C）と熱源媒体通路は外部と連通し、膨張機（2）は増設した圧縮機（A）と連通し、かつ動力を出力する。これで、連合サイクル蒸気動力装置を形成する。
【請求項５６】
連合サイクル蒸気動力装置は、請求項の27〜52項目のいずれかの連合サイクル蒸気動力装置の中で、新たに膨張機と高温熱交換器を増設した。圧縮機（1）と蒸気通路は高温熱交換器（5）を経由して膨張機（2）と連通することを、圧縮機（1）と蒸気通路は高温熱交換器（5）を経由して増設した膨張機（B）と連通することに調整した。増設した膨張機（B）と蒸気通路は増設した高温熱交換器（C）を経由して膨張機（2）と連通し、増設した高温熱交換器（C）と熱源媒体通路は外部と連通し、増設した膨張機（B）は圧縮機（1）と連通し、かつ動力を出力する。これで、連合サイクル蒸気動力装置を形成する。
【請求項５７】
連合サイクル蒸気動力装置は、請求項の27〜52項目のいずれかの連合サイクル蒸気動力装置の中で、新たに高温回熱器、膨張機と高温熱交換器を増設した。圧縮機（1）と蒸気通路は高温熱交換器（5）を経由して膨張機（2）と連通することを、圧縮機（1）と蒸気通路は高温回熱器（11）と高温熱交換器（5）を経由して増設した膨張機（B）と連通することに調整した。増設した膨張機（B）と蒸気通路は増設した高温熱交換器（C）を経由して膨張機（2）と連通する。また、膨張機（2）と蒸気通路は中温蒸発器（13）を経由して混合蒸発器（7）と連通することを、膨張機（2）と蒸気通路は高温回熱器（11）と中温蒸発器（13）を経由して混合蒸発器（7）と連通することに調整した。増設した高温熱交換器（C）と熱源媒体通路は外部と連通し、増設した膨張機（B）は圧縮機（1）と連通し、かつ動力を出力する。これで、連合サイクル蒸気動力装置を形成する。
【請求項５８】
連合サイクル蒸気動力装置は、請求項の27〜53項目のいずれかの連合サイクル蒸気動力装置の中で、新たに膨張機、中温蒸発器とサイクルポンプを増設した。凝縮器（6）と増設した冷凝液管路は増設したサイクルポンプ（E）を経由して増設した中温蒸発器（D）と連通した後、増設した中温蒸発器（D）と蒸気通路は増設した膨張機（B）と連通し、増設した膨張機（B）と蒸気通路は凝縮器（6）と連通する。膨張機（2）と蒸気通路は中温蒸発器（13）を経由して混合蒸発器（7）と連通することを、膨張機（2）と蒸気通路は増設した中温蒸発器（D）と中温蒸発器（13）を経由して混合蒸発器（7）と連通することに調整した。増設した中温蒸発器（D）と熱源媒体通路は外部と連通し、増設した膨張機（B）は外部と連通し、かつ動力を出力する。これで、連合サイクル蒸気動力装置を形成する。
【請求項５９】
連合サイクル蒸気動力装置は、請求項の27〜53項目のいずれかの連合サイクル蒸気動力装置の中で、新たに膨張機、中温蒸発器、サイクルポンプと予熱器を増設した。凝縮器（6）と増設した冷凝液管路は増設したサイクルポンプ（E）と増設した予熱器（F）を経由して増設した中温蒸発器（D）と連通した後、増設した中温蒸発器（D）と蒸気通路は増設した膨張機（B）と連通し、増設した膨張機（B）と蒸気通路は凝縮器（6）と連通する。膨張機（2）と蒸気通路は中温蒸発器（13）を経由して混合蒸発器（7）と連通することを、膨張機（2）と蒸気通路は増設した中温蒸発器（D）と中温蒸発器（13）を経由して混合蒸発器（7）と連通することに調整した。増設した予熱器（F）と熱源媒体通路は外部と連通し、増設した中温蒸発器（D）と熱源媒体通路は外部と連通し、増設した膨張機（B）は外部と連通し、かつ動力を出力する。これで、連合サイクル蒸気動力装置を形成する。
【請求項６０】
連合サイクル蒸気動力装置は、請求項の27〜53項目のいずれかの連合サイクル蒸気動力装置の中で、新たに膨張機、中温蒸発器、サイクルポンプ、回熱器と第二サイクルポンプを増設した。凝縮器（6）と増設した冷凝液管路は増設したサイクルポンプ（E）を経由して増設した回熱器と連通する。増設した膨張機（B）或いは第三膨張機（12）と蒸気を引く通路は増設した回熱器と連通する。増設した回熱器と冷凝液管路は第二サイクルポンプを経由して増設した中温蒸発器（D）と連通した後、中温蒸発器（D）と蒸気通路は増設した膨張機（B）と連通し、増設した膨張機（B）と蒸気通路は凝縮器（6）と連通する。膨張機（2）と蒸気通路は中温蒸発器（13）を経由して混合蒸発器（7）と連通することを、膨張機（2）と蒸気通路は増設した中温蒸発器（D）と中温蒸発器（13）を経由して混合蒸発器（7）と連通することに調整した。増設した中温蒸発器（D）と熱源媒体通路は外部と連通し、増設した膨張機（B）は外部と連通し、かつ動力を出力する。これで、連合サイクル蒸気動力装置を形成する。
【請求項６１】
連合サイクル蒸気動力装置は、請求項の54〜55項目のいずれかの連合サイクル蒸気動力装置の中で、新たに膨張機、中温蒸発器、サイクルポンプを増設した。凝縮器（6）と増設した冷凝液管路は増設したサイクルポンプ（E）を経由して増設した中温蒸発器（D）と連通した後、増設した中温蒸発器（D）と蒸気通路は増設した膨張機（B）と連通し、増設した膨張機（B）と蒸気通路は凝縮器（6）と連通する。また、膨張機（2）と蒸気通路は高温回熱器（11）と中温蒸発器（13）を経由して混合蒸発器（7）と連通することを、膨張機（2）と蒸気通路は高温回熱器（11）と増設した中温蒸発器（D）と中温蒸発器（13）を経由して混合蒸発器（7）と連通することに調整した。増設した中温蒸発器（D）と熱源媒体通路は外部と連通し、増設した膨張機（B）は外部と連通し、かつ動力を出力する。これで、連合サイクル蒸気動力装置を形成する。
【請求項６２】
連合サイクル蒸気動力装置は、請求項の54〜55項目のいずれかの連合サイクル蒸気動力装置の中で、新たに膨張機、中温蒸発器、サイクルポンプと予熱器を増設した。凝縮器（6）と増設した冷凝液管路は増設したサイクルポンプ（E）を経由して増設した予熱器（F）と増設した中温蒸発器（D）と連通した後、増設した中温蒸発器（D）と蒸気通路は増設した膨張機（B）と連通し、増設した膨張機（B）と蒸気通路は凝縮器（6）と連通する。また、膨張機（2）と蒸気通路は高温回熱器（11）と中温蒸発器（13）を経由して混合蒸発器（7）と連通することを、膨張機（2）と蒸気通路は高温回熱器（11）と増設した中温蒸発器（D）と中温蒸発器（13）を経由して混合蒸発器（7）と連通することに調整した。増設した予熱器（F）と熱源媒体通路は外部と連通し、増設した中温蒸発器（D）と熱源媒体通路は外部と連通し、増設した膨張機（B）は外部と連通し、かつ動力を出力する。これで、連合サイクル蒸気動力装置を形成する。
【請求項６３】
連合サイクル蒸気動力装置は、請求項の54〜55項目のいずれかの連合サイクル蒸気動力装置の中で、新たに膨張機、中温蒸発器、サイクルポンプ、回熱器と第二サイクルポンプを増設した。凝縮器（6）と増設した冷凝液管路は増設したサイクルポンプ（E）を経由して増設した回熱器と連通する。増設した膨張機（B）或いは第三膨張機（12）と蒸気を引く通路は増設した回熱器と連通する。増設した回熱器と冷凝液管路は増設した第二サイクルポンプを経由して増設した中温蒸発器（D）と連通した後、増設した中温蒸発器（D）と蒸気通路は増設した膨張機（B）と連通し、増設した膨張機（B）と蒸気通路は凝縮器（6）と連通する。また、膨張機（2）と蒸気通路は高温回熱器（11）と中温蒸発器（13）を経由して混合蒸発器（7）と連通することを、膨張機（2）と蒸気通路は高温回熱器（11）と増設した中温蒸発器（D）と中温蒸発器（13）を経由して混合蒸発器（7）と連通することに調整した。増設した中温蒸発器（D）と熱源媒体通路は外部と連通し、増設した膨張機（B）は外部と連通し、かつ動力を出力する。これで、連合サイクル蒸気動力装置を形成する。
【請求項６４】
連合サイクル蒸気動力装置は、請求項の56項目目の連合サイクル蒸気動力装置の中で、新たに第二膨張機、中温蒸発器とサイクルポンプを増設した。凝縮器（6）と増設した冷凝液管路は増設したサイクルポンプ（E）を経由して増設した中温蒸発器（D）と連通した後、増設した中温蒸発器（D）と蒸気通路は増設した第二膨張機（G）と連通し、増設した第二膨張機（G）と蒸気通路は凝縮器（6）と連通する。また、膨張機（2）と蒸気通路は中温蒸発器（13）を経由して混合蒸発器（7）と連通することを、膨張機（2）と蒸気通路は増設した中温蒸発器（D）と中温蒸発器（13）を経由して混合蒸発器（7）と連通することに調整した。増設した中温蒸発器（D）と熱源媒体通路は外部と連通し、増設した膨張機（B）は外部と連通し、かつ動力を出力する。これで、連合サイクル蒸気動力装置を形成する。
【請求項６５】
連合サイクル蒸気動力装置は、請求項の56項目目の連合サイクル蒸気動力装置の中で、新たに第二膨張機、中温蒸発器、サイクルポンプと予熱器を増設した。凝縮器（6）と増設した冷凝液管路は増設したサイクルポンプ（E）と増設した予熱器（F）を経由して増設した中温蒸発器（D）と連通した後、増設した中温蒸発器（D）と蒸気通路は増設した第二膨張機（G）と連通し、増設した第二膨張機（G）と蒸気通路は凝縮器（6）と連通する。また、膨張機（2）と蒸気通路は中温蒸発器（13）を経由して混合蒸発器（7）と連通することを、膨張機（2）と蒸気通路は増設した中温蒸発器（D）と中温蒸発器（13）を経由して混合蒸発器（7）と連通することに調整した。増設した熱器（F）と熱源媒体通路は外部と連通し、増設した中温蒸発器（D）と熱源媒体通路は外部と連通し、増設した第二膨張機（G）は外部と連通し、かつ動力を出力する。これで、連合サイクル蒸気動力装置を形成する。
【請求項６６】
連合サイクル蒸気動力装置は、請求項の56項目目の連合サイクル蒸気動力装置の中で、新たに第二膨張機、中温蒸発器、サイクルポンプ、回熱器と第二サイクルポンプを増設した。凝縮器（6）と増設した冷凝液管路は増設したサイクルポンプ（E）を経由して増設した回熱器と連通し、増設した第二膨張機（G）或いは第三膨張機（12）と蒸気を引く通路は増設した回熱器と連通する。増設した回熱器と冷凝液管路は増設した第二サイクルポンプを経由して増設した中温蒸発器（D）と連通した後、増設した中温蒸発器（D）と蒸気通路は増設した第二膨張機（G）と連通し、増設した第二膨張機（G）と蒸気通路は凝縮器（6）と連通する。また、膨張機（2）と蒸気通路は中温蒸発器（13）を経由して混合蒸発器（7）と連通することを、膨張機（2）と蒸気通路は増設した中温蒸発器（D）と中温蒸発器（13）を経由して混合蒸発器（7）と連通することに調整した。増設した中温蒸発器（D）と熱源媒体通路は外部と連通し、増設した第二膨張機（G）は外部と連通し、かつ動力を出力する。これで、連合サイクル蒸気動力装置を形成する。
【請求項６７】
連合サイクル蒸気動力装置は、請求項の57項目目の連合サイクル蒸気動力装置の中で、新たに第二膨張機、中温蒸発器とサイクルポンプを増設した。凝縮器（6）と増設した冷凝液管路は増設したサイクルポンプ（E）を経由して増設した中温蒸発器（D）と連通した後、増設した中温蒸発器（D）と蒸気通路は増設した第二膨張機（G）と連通し、増設した第二膨張機（G）と蒸気通路は凝縮器（6）と連通する。また、膨張機（2）と蒸気通路は高温回熱器（11）と中温蒸発器（13）を経由して混合蒸発器（7）と連通することを、膨張機（2）と蒸気通路は高温回熱器（11）と増設した中温蒸発器（D）と中温蒸発器（13）を経由して混合蒸発器（7）と連通することに調整した。増設した中温蒸発器（D）または熱源媒体通路は外部と連通し、増設した第二膨張機（G）は外部と連通し、かつ動力を出力する。これで、連合サイクル蒸気動力装置を形成する。
【請求項６８】
連合サイクル蒸気動力装置は、請求項の57項目目の連合サイクル蒸気動力装置の中で、新たに第二膨張機、中温蒸発器、サイクルポンプと予熱器を増設した。凝縮器（6）と増設した冷凝液管路は増設したサイクルポンプ（E）と増設した予熱器（F）を経由して増設した中温蒸発器（D）と連通した後、増設した中温蒸発器（D）と蒸気通路は増設した第二膨張機（G）と連通し、増設した第二膨張機（G）と蒸気通路は凝縮器（6）と連通する。また、膨張機（2）と蒸気通路は高温回熱器（11）と中温蒸発器（13）を経由して混合蒸発器（7）と連通することを、膨張機（2）と蒸気通路は高温回熱器（11）と増設した中温蒸発器（D）と中温蒸発器（13）を経由して混合蒸発器（7）と連通することに調整した。増設した予熱器（F）と熱源媒体通路は外部と連通し、増設した中温蒸発器（D）と熱源媒体通路は外部と連通し、増設した第二膨張機（G）は外部と連通し、かつ動力を出力する。これで、連合サイクル蒸気動力装置を形成する。
【請求項６９】
連合サイクル蒸気動力装置は、請求項の57項目目の連合サイクル蒸気動力装置の中で、新たに第二膨張機、中温蒸発器、サイクルポンプ、回熱器と第二サイクルポンプを増設した。凝縮器（6）と増設した冷凝液管路は増設したサイクルポンプ（E）を経由して増設した回熱器と連通し、増設した第二膨張機（G）或いは第三膨張機（12）と蒸気を引く通路は増設した回熱器と連通する。増設した回熱器と冷凝液管路は増設した第二サイクルポンプを経由して増設した中温蒸発器（D）と連通した後、増設した中温蒸発器（D）と蒸気通路は増設した第二膨張機（G）と連通し、増設した第二膨張機（G）と蒸気通路は凝縮器（6）と連通する。また、膨張機（2）と蒸気通路は高温回熱器（11）と中温蒸発器（13）を経由して混合蒸発器（7）と連通することを、膨張機（2）と蒸気通路は高温回熱器（11）と増設した中温蒸発器（D）と中温蒸発器（13）を経由して混合蒸発器（7）と連通することに調整した。増設した中温蒸発器（D）と熱源媒体通路は外部と連通し、増設した第二膨張機（G）は外部と連通し、かつ動力を出力する。これで、連合サイクル蒸気動力装置を形成する。
【発明の詳細な説明】
【発明の詳細な説明】
【０００１】
〔技術分野〕
本発明はエネルギーと動力技術の分野に属する。
【０００２】
〔背景技術〕
冷需要、熱需要と動力需要は、人類の生活と生産の中でよく見られる。動力需要技術の分野では、熱エネルギーを利用して機械的に変換して動力を提供するのは重要な方法である。核反応で駆動エネルギーや熱源に温度が高い場合や、水蒸気をサイクル作業物質とする外燃的な蒸気動力装置にとって、蒸気で熱変を実現する際には、材料の熱耐圧性や安全性の制限を受けているため、サイクル作業物質と熱源の間に利用されていない温度差は非常に大きい。すなわち、不可逆損失が大きく、熱効率が低い。これも熱効率を高める潜在力が大きいことを意味している。
【０００３】
水蒸気をサイクル作業物質とする外燃式の蒸気動力装置を例にして、作業媒体と低温放熱の部分と動力の負荷範囲などの面において顕著な利点がある。例えば、水蒸気が広い作業範囲のパラメータを持ち、サイクルする放熱温度は外部環境の温度に近く、装置の負荷範囲が広いである。熱エネルギーを機械的エネルギーに効率的に転換するため、現行の主な措置は水蒸気を臨界、超臨界あるいは超超の臨界状態にしている。この場合、熱を通る配管は高圧または高温に耐えなければならない。これは極めて困難で、蒸気とガスの間の温度差は依然として大きい。そこに束縛されている材料の性能、または水蒸気の平均ヒート温度と熱源（例えば高温ガス）平均放熱温度の間に存在している大きな温度差は熱効率の向上に実質的な突破を取りにくいである。また、臨界、超臨界や超臨界パラメータで運行したら、蒸気動力装置の運行安全性の低下をもたらした。
【０００４】
高温熱能を機械能に転換する際、熱効率を高めるため、固体燃料（例えば石炭）を投入する際、蒸気動力装置の熱効率を高めるため、かつ蒸気動力装置の利点を保つことを考慮し、蒸気動力装置が熱効率や安全性において存在する重大な欠陥を克服するため、本発明はシングル作業物質の蒸気連合サイクルと連合サイクル蒸気動力装置を提出した。本発明は蒸気の動力装置の長所を保留すると同時に、蒸気動力装置の熱効率と装置運行の安全性を大幅に向上させることができる。
【０００５】
〔発明の内容〕
本発明の主な目的は、シングル作業物質の蒸気連合サイクルと連合サイクル蒸気動力装置を提供することである。発明の具体的な内容は以下の項目で述べる。
【０００６】
1. シングル作業物質の蒸気連合サイクルは、ｍ1キログラム作業物質とm2キログラム作業物質によってそれぞれ行われた熱力サイクルおよび二者の間での混合加熱プロセスプロセスで構成されている。その中には、m1キログラム作業物質が以下の工程順序によって行われる。液状でで低温からの昇圧プロセス1-2、m2キログラム作業物質と混合し、熱を受け取り、蒸気化するプロセス2-3、降圧で仕事に変えるプロセス3-7、冷源へ熱を捨てて凝固するプロセスは7-1、サイクルを形成するプロセス1-2-3-7-1。m2キログラムの作業物質が以下の工程順序によって行われる。昇圧するプロセス3-4、熱源から熱を受け取るプロセス4-5、降圧で仕事に変えるプロセス5-6、m1キログラム作業物質と混合するために熱を捨てるプロセス6-3、サイクルを形成するプロセス3-4-5-6-3。
【０００７】
2. シングル作業物質の蒸気連合サイクルは、m1キログラム作業物質とm2キログラム作業物質によってそれぞれ行われた熱力サイクルおよび二者の間での混合加熱プロセスで構成されている。その中には、m1キログラム作業物質が以下の工程順序によって行われる。液状で低温からの昇圧プロセス1-2、m2キログラム作業物質と混合するとともに、熱源から熱を受け取り、蒸気化するプロセス2-3、降圧で仕事に変えるプロセス3-7、冷源へ熱を捨てて、凝固するプロセスは7-1、サイクルを形成するプロセス1-2-3-7-1。m2キログラムの作業物質が以下の工程順序によって行われる。昇圧するプロセス3-4、熱源から熱を受け取るプロセス4-5、降圧で仕事に変えるプロセス5-6、m1キログラム作業物質と混合するために熱を捨てるプロセス63、サイクルを形成するプロセス3-4-5-6-3。
【０００８】
3. シングル作業物質の蒸気連合サイクルは、m1キログラム作業物質とm2キログラム作業物質によってそれぞれ行われた熱力サイクルおよび二者の間での混合加熱プロセスで構成されている。その中には、m1キログラム作業物質が以下の工程順序によって行われる。液状で低温からの昇圧プロセス1-2、熱源から熱を受け取るプロセス2-a、m2キログラム作業物質と混合するために熱を受け取り、蒸気化するプロセスa-3、降圧で仕事に変えるプロセス3-7、冷源へ熱を捨てて凝固するプロセスは7-1、サイクルを形成するプロセス1-2-a-3-7-1。m2キログラムの作業物質が以下の工程順序によって行われる。昇圧するプロセス3-4、熱源から熱を受け取るプロセス4-5、降圧で仕事に変えるプロセス5-6、m1キログラム作業物質と混合するために熱を捨てるプロセス6-3、サイクルを形成するプロセス3-4-5-6-3。
【０００９】
4. シングル作業物質の蒸気連合サイクルは、m1キログラム作業物質とm2キログラム作業物質によってそれぞれ行われた熱力サイクルおよび二者の間での混合加熱プロセスで構成されている。その中には、m1キログラム作業物質が以下の工程順序によって行われる。液状で低温からの昇圧プロセス1-2、熱源から熱を受け取るプロセス2-a、m2キログラム作業物質と混合するとともに、熱源から熱を受け取り、蒸気化するプロセスa-3、降圧で仕事に変えるプロセス3-7、冷源へ熱を捨てて凝固するプロセスは7-1、サイクルを形成するプロセス1-2-a-3-7-1。m2キログラムの作業物質が以下の工程順序によって行われる。昇圧するプロセス3-4、熱源から熱を受け取るプロセス4-5、降圧で仕事に変えるプロセス5-6、m1キログラム作業物質と混合するために熱を捨てるプロセス6-3、サイクルを形成するプロセス3-4-5-6-3。
【００１０】
5. シングル作業物質の蒸気連合サイクルは、m1キログラム作業物質とm2キログラム作業物質によってそれぞれ行われた熱力サイクルおよび二者の間での混合加熱プロセスで構成されている。その中には、m1キログラム作業物質が以下の工程順序によって行われる。液状で(m1-mc)キログラムが低温からの昇圧プロセス1-2、(m1-mc)キログラムとmcキログラムは蒸気を引き混合するプロセス2-b、m1キログラム作業物質の昇圧するプロセスb-c、m1キログラム作業物質とm2キログラム作業物質と混合するとともに、吸熱して蒸気化するプロセスc-3、m1キログラム作業物質は降圧で仕事に変えるプロセス3-a、mcキログラム作業物質と２点状態の(m1-mc)キログラム作業物質と混合し、熱を放つ、凝固するプロセスa-b、(m1-mc)キログラム作業物質は降圧で仕事に変えるプロセスa-7、(m1-mc)キログラム作業物質は冷源へ熱を捨てて凝固するプロセスは7-1、蒸気を引き熱サイクルを形成するプロセス（1-2-b-c-3-7-1+b-c-3-a-b）。m2キログラムの作業物質が以下の工程順序によって行われる。昇圧するプロセス3-4、熱源から熱を受け取るプロセス4-5、降圧で仕事に変えるプロセス5-6、m1キログラム作業物質と混合するために熱を捨てるプロセス6-3、サイクルを形成するプロセス3-4-5-6-3。 
【００１１】
6. シングル作業物質の蒸気連合サイクルは、m1キログラム作業物質とm2キログラム作業物質によってそれぞれ行われた熱力サイクルおよび二者の間での混合加熱プロセスで構成されている。その中には、m1キログラム作業物質が以下の工程順序によって行われる。液状で(m1-mc)キログラムが低温からの昇圧プロセス1-2、(m1-mc)キログラムとmcキログラムは蒸気を引き混合するプロセス2-b、m1キログラム作業物質は昇圧するプロセスb-c、m1キログラム作業物質とm2キログラム作業物質と混合するとともに、熱源から熱を受け取り、蒸気化するプロセスc-3、m1キログラム作業物質は降圧で仕事に変えるプロセス3-a、mcキログラム作業物質と２点状態の(m1-mc)キログラム作業物質と混合し、熱を捨てて凝固するプロセスa-b、(m1-mc)キログラム作業物質は降圧で仕事に変えるプロセスa-7、(m1-mc)キログラム作業物質は冷源へ熱を捨てて凝固するプロセスは7-1、蒸気を引き熱サイクルを形成するプロセス（1-2-b-c-3-7-1+b-c-3-a-b）。m2キログラムの作業物質が以下の工程順序によって行われる。昇圧するプロセス3-4、熱源から熱を受け取るプロセス4-5、降圧で仕事に変えるプロセス5-6、m1キログラム作業物質と混合するために熱を捨てるプロセス6-3、サイクルを形成するプロセス3-4-5-6-3。
【００１２】
7. シングル作業物質の蒸気連合サイクルは、請求項の1〜6項目のいずれかのシングル作業物質の蒸気連合のサイクル中で、m2キログラム作業物質の熱源から吸熱するプロセス4-5を吸熱するプロセス4-eと熱源から吸熱するプロセスe-5に修正した。また、m2キログラム作業物質とm1キログラム作業物質と混合して熱を捨てるプロセス6-3は回熱を捨てるプロセス6-dと混合放熱するプロセスd-3に修正した。このプロセス6-dの放熱は、プロセス4-eの吸熱を満たすために使用され、シングル作業物質の蒸気連合サイクルを形成する。
【００１３】
8. シングル作業物質の蒸気連合サイクルは、m1キログラム、m2キログラムとm3キログラム作業物質がそれぞれの熱力のサイクルを行われるプロセスと、m1キログラム作業物質とm3キログラム作業物質の二者の間で行われる混合加熱のプロセスと、及びm1キログラムの熱力のサイクルとm3キログラムの熱力のサイクルとの間に行われる熱交換のプロセスによって構成されている。その中には、m1キログラム作業物質が以下の工程順序によって行われる。液状で低温からの昇圧プロセス1-2、m3キログラム作業物質と混合し、熱を受け取り、蒸気化するプロセス2-3、降圧で仕事に変えるプロセス3-7、冷源へ熱を捨てて凝固するプロセス7-1、サイクルサイクルを形成するプロセス1-2-3-7-1。m2キログラム作業物質が以下の工程順序によって行われる。液体で低温からの昇圧するプロセス1-a、m3キログラム作業物質が放熱するプロセス6-bから提供された熱負荷を吸収し、行われた蒸気化プロセスa-8、降圧で仕事に変えるプロセス8-9、冷源に放熱し、凝固するプロセス9-1、サイクルを形成するプロセス1-a-8-9-1。m3キログラムの作業物質が以下の工程順序によって行われる。昇圧するプロセス3-4、熱源から吸熱するプロセス4-5、降圧で仕事に変えるプロセス5-6、m2キログラム作業物質に放熱するプロセス6-b、m1キログラム作業物質と混合し、行われる放熱プロセスb-3、サイクルを形成するプロセス3-4-5-6-b-3。
【００１４】
9. シングル作業物質の蒸気連合サイクルは、m1キログラム、m2キログラムとm3キログラム作業物質がそれぞれの熱力のサイクルを行われるプロセスと、m1キログラム作業物質とm3キログラム作業物質の二者の間で行われる混合加熱のプロセスと、及びm1キログラムの熱力のサイクルとm3キログラムの熱力のサイクルとの間に行われる熱交換のプロセスによって構成されている。その中には、m1キログラム作業物質が以下の工程順序によって行われる。液状で低温からの昇圧プロセス1-2、m3キログラム作業物質と混合し、熱を受け取るとともに熱源からも吸熱を行われる蒸気化するプロセス2-3、降圧で仕事に変えるプロセス3-7、冷源へ熱を捨てて凝固するプロセス7-1、サイクルを形成するプロセス1-2-3-7-1。m2キログラム作業物質が以下の工程順序によって行われる。液体で低温からの昇圧するプロセス1-a、m3キログラム作業物質が放熱するプロセス6-bから提供された熱負荷を吸収し、行われた蒸気化プロセスa-8、降圧で仕事に変えるプロセス8-9、冷源に放熱し、凝固するプロセス9-1、サイクルを形成するプロセス1-a-8-9-1。m3キログラムの作業物質が以下の工程順序によって行われる。昇圧するプロセス3-4、熱源から吸熱するプロセス4-5、降圧で仕事に変えるプロセス5-6、m2キログラム作業物質に放熱するプロセス6-b、m1キログラム作業物質と混合し、行われる放熱プロセスb-3、サイクルを形成するプロセス3-4-5-6-b-3。
【００１５】
10. シングル作業物質の蒸気連合サイクルは、m1キログラム、m2キログラムとm3キログラム作業物質がそれぞれの熱力のサイクルを行われるプロセスと、m1キログラム作業物質とm3キログラム作業物質の二者の間で行われる混合加熱のプロセスと、及びm1キログラムの熱力のサイクルとm3キログラムの熱力のサイクルとの間に行われる熱交換のプロセスによって構成されている。その中には、m1キログラム作業物質が以下の工程順序によって行われる。液状で低温からの昇圧プロセス1-2、m3キログラム作業物質と混合し、熱を受け取り、蒸気化するプロセス2-3、降圧で仕事に変えるプロセス3-7、冷源へ熱を捨てて凝固するプロセス7-1、サイクルを形成するプロセス1-2-3-7-1。m2キログラム作業物質が以下の工程順序によって行われる。液体で低温からの昇圧するプロセス1-a、m3キログラム作業物質が放熱するプロセス6-b提供された熱負荷を吸収し、熱源からも吸熱を行われると、蒸気化するプロセスa-8、降圧で仕事に変えるプロセス8-9、冷源に放熱し、凝固するプロセス9-1、サイクルを形成するプロセス1-a-8-9-1。m3キログラムの作業物質が以下の工程順序によって行われる。昇圧するプロセス3-4、熱源から吸熱するプロセス4-5、降圧で仕事に変えるプロセス5-6、m2キログラム作業物質に放熱するプロセス6-b、m1キログラム作業物質と混合し、行われる放熱プロセスb-3、サイクルを形成するプロセス3-4-5-6-b-3。
【００１６】
11. シングル作業物質の蒸気連合サイクルは、m1キログラム、m2キログラムとm3キログラム作業物質がそれぞれの熱力のサイクルを行われるプロセスと、m1キログラム作業物質とm3キログラム作業物質の二者の間で行われる混合加熱のプロセスと、及びm1キログラムの熱力のサイクルとm3キログラムの熱力のサイクルとの間に行われる熱交換のプロセスによって構成されている。その中には、m1キログラム作業物質が以下の工程順序によって行われる。液状で低温からの昇圧プロセス1-2、m2キログラム作業物質と混合し、熱を受け取るとともに、熱源からも吸熱を行われる蒸気化するプロセス2-3、降圧で仕事に変えるプロセス3-7、冷源へ熱を捨てて凝固するプロセス7-1、サイクルを形成するプロセス1-2-3-7-1。m2キログラム作業物質が以下の工程順序によって行われる。液体で低温からの昇圧するプロセス1-a、m3キログラム作業物質が放熱するプロセス6-bから提供された熱負荷を吸収し、熱源からも吸熱を行われる蒸気化するプロセスa-8、降圧で仕事に変えるプロセス8-9、冷源に放熱し、凝固するプロセス9-1、サイクルを形成するプロセス1-a-8-9-1。m3キログラムの作業物質が以下の工程順序によって行われる。昇圧するプロセス3-4、熱源から吸熱するプロセス4-5、降圧で仕事に変えるプロセス5-6、m2キログラム作業物質に放熱するプロセス6-b、m1キログラム作業物質と混合し、行われる放熱プロセスb-3、サイクルを形成するプロセス3-4-5-6-b-3。
【００１７】
12. シングル作業物質の蒸気連合サイクルは、m1キログラム、m2キログラムとm3キログラム作業物質がそれぞれの熱力のサイクルを行われるプロセスと、m1キログラム作業物質とm3キログラム作業物質の二者の間で行われる混合加熱のプロセスと、及びm1キログラムの熱力のサイクルとm3キログラムの熱力のサイクルとの間に行われる熱交換のプロセスによって構成されている。その中には、m1キログラム作業物質が以下の工程順序によって行われる。液状で低温からの昇圧プロセス1-2、外部の熱源から吸熱するプロセス2-c、m3キログラム作業物質と混合し、或は同時に外部の熱源から吸熱を行われる蒸気化するプロセスc-3、降圧で仕事に変えるプロセス3-7、冷源に向かって放熱して冷凝するプロセス7-1、サイクルを形成するプロセス1-2-c-3-7-1。m2キログラム作業物質が以下の工程順序によって行われる。液体で低温からの昇圧するプロセス1-a、m3キログラム作業物質が放熱するプロセス6-b、提供された熱負荷を吸収し、吸熱を行われる蒸気化するプロセスa-8、降圧で仕事に変えるプロセス8-9、冷源に放熱し、冷凝するプロセス9-1、サイクルを形成するプロセス1-a-8-9-1。m3キログラムの作業物質が以下の工程順序によって行われる。昇圧するプロセス3-4、熱源から吸熱するプロセス4-5、降圧で仕事に変えるプロセス5-6、m2キログラム作業物質に放熱するプロセス6-b、m1キログラム作業物質と混合し、行われる放熱プロセスb-3、サイクルを形成するプロセス3-4-5-6-b-3。
【００１８】
13. シングル作業物質の蒸気連合サイクルは、m1キログラム、m2キログラムとm3キログラム作業物質がそれぞれの熱力のサイクルを行われるプロセスと、m1キログラム作業物質とm3キログラム作業物質の二者の間で行われる混合加熱のプロセスと、及びm1キログラムの熱力のサイクルとm3キログラムの熱力のサイクルとの間に行われる熱交換のプロセスによって構成されている。その中には、m1キログラム作業物質が以下の工程順序によって行われる。液状で低温からの昇圧プロセス1-2、m3キログラム作業物質と混合し、熱を受け取り、蒸気化するプロセス2-3、降圧で仕事に変えるプロセス3-7、冷源に向かって放熱して冷凝するプロセス7-1、サイクルを形成するプロセス1-2-3-7-1。m2キログラム作業物質が以下の工程順序によって行われる。液体で低温からの昇圧するプロセス1-a、外部の熱源から吸熱するプロセスa-c、m3キログラム作業物質が放熱するプロセス6-bから提供された熱負荷を吸収し、或いは同時に外部の熱源から吸熱を行われる蒸気化するプロセスc-8、降圧で仕事に変えるプロセス8-9、冷源に放熱し、冷凝するプロセス9-1、サイクルを形成するプロセス1-a-c-8-9-1。m3キログラムの作業物質が以下の工程順序によって行われる。昇圧するプロセス3-4、熱源から吸熱するプロセス4-5、降圧で仕事に変えるプロセス5-6、m2キログラム作業物質に放熱するプロセス6-b、m1キログラム作業物質と混合し、行われる放熱プロセスb-3、サイクルを形成するプロセス3-4-5-6-b-3。
【００１９】
14. シングル作業物質の蒸気連合サイクルは、m1キログラム、m2キログラムとm3キログラム作業物質がそれぞれの熱力のサイクルを行われるプロセスと、m1キログラム作業物質とm3キログラム作業物質の二者の間で行われる混合加熱のプロセスと、及びm1キログラムの熱力のサイクルとm3キログラムの熱力のサイクルとの間に行われる熱交換のプロセスによって構成されている。その中には、m1キログラム作業物質が以下の工程順序によって行われる。液状で低温からの昇圧プロセス1-2、外部の熱源から吸熱するプロセス2-c、m3キログラム作業物質と混合し、或は同時に外部の熱源から吸熱を行われる蒸気化するプロセスc-3、降圧で仕事に変えるプロセス3-7、冷源に向かって放熱して冷凝するプロセス7-1、サイクルを形成するプロセス1-2-c-3-7-1。m2キログラム作業物質が以下の工程順序によって行われる。液体で低温からの昇圧するプロセス1-a、外部の熱源から吸熱するプロセスa-d、m3キログラム作業物質が放熱するプロセス6-bから提供された熱負荷を吸収し、或いは同時に外部の熱源から吸熱を行われる蒸気化するプロセスd-8、降圧で仕事に変えるプロセス8-9、冷源に放熱し、冷凝するプロセス9-1、サイクルを形成するプロセス1-a-d-8-9-1。m3キログラムの作業物質が以下の工程順序によって行われる。昇圧するプロセス3-4、熱源から吸熱するプロセス4-5、降圧で仕事に変えるプロセス5-6、m2キログラム作業物質に放熱するプロセス6-b、m1キログラム作業物質と混合し、行われる放熱プロセスb-3、サイクルを形成するプロセス3-4-5-6-b-3。
【００２０】
15. シングル作業物質の蒸気連合サイクルは、m1キログラム、m2キログラムとm3キログラム作業物質がそれぞれの熱力のサイクルを行われるプロセスと、m1キログラム作業物質とm3キログラム作業物質の二者の間で行われる混合加熱のプロセスと、及びm1キログラムの熱力のサイクルとm3キログラムの熱力のサイクルとの間に行われる熱交換のプロセスによって構成されている。その中には、m1キログラム作業物質が以下の工程順序によって行われる。液状で(m1-mc)キログラムが低温からの昇圧プロセス1-2、(m1-mc)キログラムとmcキログラムは蒸気を引き混合するプロセス2-e、m1キログラム作業物質は昇圧するプロセスe-f、m1キログラム作業物質とm3キログラム作業物質と混合する、或は同時に外部の熱源から吸熱を行われる蒸気化するプロセスf-3、m1キログラム作業物質は降圧で仕事に変えるプロセス3-d、mcキログラム作業物質と２点状態の(m1-mc)キログラム作業物質と混合するととも熱を放熱して凝固するプロセスd-e、(m1-mc)キログラム作業物質は降圧で仕事に変えるプロセスd-7、(m1-mc)キログラム作業物質は冷源へ熱を捨てて凝固するプロセスは7-1、蒸気を引く熱サイクルを形成するプロセス（1-2-e-f-3-7-1+e-f-3-d-e）。m2キログラムの作業物質が以下の工程順序によって行われる。液体で低温からの昇圧するプロセス1-a、m3キログラム作業物質が放熱するプロセス6-bから提供された熱負荷を吸収する、或いは同時に外部の熱源から吸熱を行われる蒸気化するプロセスa-8、降圧で仕事に変えるプロセス8-9、冷源に放熱し、冷凝するプロセス9-1、サイクルを形成するプロセス1-a-8-9-1。m3キログラムの作業物質が以下の工程順序によって行われる。昇圧するプロセス3-4、熱源から吸熱するプロセス4-5、降圧で仕事に変えるプロセス5-6、m2キログラム作業物質に放熱するプロセス6-b、m1キログラム作業物質と混合し、行われる放熱プロセスb-3、サイクルを形成するプロセス3-4-5-6-b-3。
【００２１】
16. シングル作業物質の蒸気連合サイクルは、m1キログラム、m2キログラムとm3キログラム作業物質がそれぞれの熱力のサイクルを行われるプロセスと、m1キログラム作業物質とm3キログラム作業物質の二者の間で行われる混合加熱のプロセスと、及びm1キログラムの熱力のサイクルとm3キログラムの熱力のサイクルとの間に行われる熱交換のプロセスによって構成されている。その中には、m1キログラム作業物質が以下の工程順序によって行われる。液状で低温からの昇圧プロセス1-2、m3キログラム作業物質と混合し、、熱を受け取り、蒸気化するプロセス2-3、降圧で仕事に変えるプロセス3-7、冷源に向かって放熱して冷凝するプロセス7-1、サイクルを形成するプロセス1-2-3-7-1。m2キログラムの作業物質が以下の工程順序によって行われる。液状で(m2-mc)キログラムが低温からの昇圧プロセス1-a、(m2-mc)キログラムとmcキログラムは蒸気を引き混合するプロセスa-e、m2キログラム作業物質は昇圧するプロセスe-f、m3キログラム作業物質が放熱するプロセス6-bから提供された熱負荷を吸収する、或いは同時に外部の熱源から吸熱を行われる蒸気化するプロセスf-8、m2キログラム作業物質は降圧で仕事に変えるプロセス8-d、mcキログラム作業物質と２点状態の(m2-mc)キログラム作業物質と混合するととも熱を放って凝固するプロセスd-e、(m2-mc)キログラム作業物質は降圧で仕事に変えるプロセスd-9、(m2-mc)キログラム作業物質は冷源へ熱を捨てて凝固するプロセスは9-1、蒸気を引く熱サイクルを形成するプロセス（1-a-e-f-8-9-1+e-f-8-d-e）。m3キログラムの作業物質が以下の工程順序によって行われる。昇圧するプロセス3-4、熱源から吸熱するプロセス4-5、降圧で仕事に変えるプロセス5-6、m2キログラム作業物質に放熱するプロセス6-b、m1キログラム作業物質と混合し、行われる放熱プロセスb-3、サイクルを形成するプロセス3-4-5-6-b-3。
【００２２】
17. シングル作業物質の蒸気連合サイクルは、m1キログラム、m2キログラムとm3キログラム作業物質がそれぞれの熱力のサイクルを行われるプロセスと、m1キログラム作業物質とm3キログラム作業物質の二者の間で行われる混合加熱のプロセスと、及びm1キログラムの熱力のサイクルとm3キログラムの熱力のサイクルとの間に行われる熱交換のプロセスによって構成されている。その中には、m1キログラム作業物質が以下の工程順序によって行われる。液状で(m1-mc1)キログラムが低温からの昇圧プロセス1-2、(m1-mc1)キログラムとmc1キログラムは蒸気を引き混合するプロセス2-e、m1キログラム作業物質は昇圧するプロセスe-f、m1キログラム作業物質とm3キログラム作業物質と混合する、或は同時に外部の熱源から吸熱を行われる蒸気化するプロセスf-3、m1キログラム作業物質は降圧で仕事に変えるプロセス3-d、mc1キログラム作業物質と２点状態の(m1-mc1)キログラム作業物質と混合するととも熱を放熱して凝固するプロセスd-e、(m1-mc1)キログラム作業物質は降圧で仕事に変えるプロセスd-7、(m1-mc1)キログラム作業物質は冷源へ熱を捨てて凝固するプロセスは7-1、蒸気を引く熱サイクルを形成するプロセス（1-2-e-f-3-7-1+e-f-3-d-e）。m2キログラムの作業物質が以下の工程順序によって行われる。液状で(m2-mc2)キログラムが低温からの昇圧プロセス1-a、(m2-mc2)キログラムとmc2キログラムは蒸気を引き混合するプロセスa-h、m2キログラム作業物質は昇圧するプロセスh-i、m3キログラム作業物質が放熱するプロセス6-bから提供された熱負荷を吸収する、或いは同時に外部の熱源から吸熱を行われる蒸気化するプロセスi-8、m2キログラム作業物質は降圧で仕事に変えるプロセス8-g、mc2キログラム作業物質と２点状態の(m2-mc2)キログラム作業物質と混合するととも熱を放熱して凝固するプロセスg-h、(m2-mc2)キログラム作業物質は降圧で仕事に変えるプロセスg-9、(m2-mc2)キログラム作業物質は冷源へ熱を捨てて凝固するプロセスは9-1、蒸気を引く熱サイクルを形成するプロセス（1-a-h-i-8-9-1+g-h-i-8-g）。m3キログラムの作業物質が以下の工程順序によって行われる。昇圧するプロセス3-4、熱源から吸熱するプロセス4-5、降圧で仕事に変えるプロセス5-6、m2キログラム作業物質に放熱するプロセス6-b、m1キログラム作業物質と混合し、行われる放熱プロセスb-3、サイクルを形成するプロセス3-4-5-6-b-3。
【００２３】
18. シングル作業物質の蒸気連合サイクルは、請求項の8〜17項目のいずれかのシングル作業物質の蒸気連合のサイクル中で、m3キログラム作業物質の熱源から吸熱するプロセス4-5を吸熱するプロセス4-kと熱源から吸熱するプロセスk-5に修正した。また、m3キログラム作業物質がm2キログラム作業物質に熱を捨てるプロセス6-bを吸熱するプロセス4-kの熱需要を満足するための放熱するプロセス6-jとm2キログラム作業物質が熱負荷を提供する放熱プロセスj-bに修正した。これで、シングル作業物質の蒸気連合サイクルを形成する。
【００２４】
19. 連合サイクル蒸気動力装置は、主に圧縮機、膨張機、第二膨張機、サイクルポンプ、高温熱交換器、凝縮器と混合蒸発器によって構成されている。凝縮器は冷凝液管路とサイクルポンプを経由して混合蒸発器と接続される。膨張機と蒸気通路は混合蒸発器と接続されて、混合蒸発器と蒸気通路は圧縮機と第二膨張機と接続され、圧縮機、と蒸気通路は高温熱交換器と膨張機と接続され、第二膨張機と蒸気通路は凝縮器と接続している。高温熱交換器と熱源媒体通路は外部と連通し、凝縮器と冷却媒体通路も外部と連通し、混合蒸発器と熱源媒体通路は外部と連通し、膨張機は圧縮機と接続して動力を伝送する、膨張機と第二膨張機は外部に接続して、動力を出力する、以上のように連合サイクル蒸気動力装置を形成する。その中に、膨張機は圧縮機とサイクルポンプを接続して、動力を伝送する。
【００２５】
20. 連合サイクル蒸気動力装置は、主に圧縮機、膨張機、第二膨張機、サイクルポンプ、高温熱交換器、凝縮器、混合蒸発器、回熱器と第二サイクルポンプによって構成されている。凝縮器は冷凝液管回路でサイクルポンプ経由で回熱器と接続される。第二膨張機は蒸気を引く通路で回熱器と接続されて、回熱器はまた冷凝液管回路で第二サイクルポンプと混合蒸発器に接続され、膨張機は蒸気通路で混合蒸発器と接続され、混合蒸発器は蒸気通路で圧縮機と第二膨張機と接続され、圧縮機と蒸気通路は高温熱交換器に経由して膨張機と連通して、第二膨張機と蒸気通路は凝縮器と連通する。高温熱交換器と熱源媒体通路は外部と連通し、凝縮器と冷却媒体通路も外部と連通し、混合蒸発器は熱源媒体通路で外部と連通し、膨張機は圧縮機と接続して動力を伝送する、膨張機と第二膨張機は外部に接続して、動力を出力する、以上のように連合サイクル蒸気動力装置を形成する。その中に、膨張機は圧縮機とサイクルポンプと第二サイクルポンプと接続して、動力を伝送する。
【００２６】
21. 連合サイクル蒸気動力装置は、主に圧縮機、膨張機、第二膨張機、サイクルポンプ、高温熱交換器、凝縮器、混合蒸発器と予熱器によって構成されている。凝縮器は冷凝液管回路でサイクルポンプ経由で予熱器と混合蒸発器と接続される。膨張機は蒸気通路で混合蒸発器と接続され、混合蒸発器は蒸気通路で圧縮機と第二膨張機と接続され、圧縮機と蒸気通路は高温熱交換器に経由して膨張機と連通して、第二膨張機と蒸気通路は凝縮器と連通する。高温熱交換器と熱源媒体通路は外部と連通し、凝縮器と冷却媒体通路も外部と連通し、混合蒸発器と熱源媒体通路は外部と連通し、予熱器と熱源媒体通路は外部と連通し、膨張機は圧縮機と接続して動力を伝送する、膨張機と第二膨張機は外部に接続して、動力を出力する、以上のように連合サイクル蒸気動力装置を形成する。その中に、膨張機は圧縮機とサイクルポンプを接続して、動力を伝送する。
【００２７】
22. 連合サイクル蒸気動力装置は、請求項の19〜21項目のいずれかの連合サイクル蒸気動力装置の中で、新たな圧縮機と高温熱交換器を増設した。圧縮機と蒸気通路は高温熱交熱器を経由して膨張機と連通することを圧縮機と蒸気通路は高温熱交熱器を経由して増設した圧縮機と連通することにに調整した。また、増設した圧縮機と蒸気通路は増設した高温熱交交器を経由して膨張機と連通し、増設した高温熱交換器と熱源媒体通路は外部に接続し、膨張機は新増した圧縮機と連通して、動力を出力し、連合サイクル蒸気動力装置を形成する。
【００２８】
23. 連合サイクル蒸気動力装置は、請求項１９〜21のいずれかの連合サイクル蒸気動力装置の中で、新たな膨張機と高温熱交換器を増設した。圧縮機と蒸気通路は高温熱交熱器を経由して膨張機と連通することを圧縮機と蒸気通路は高温熱交熱器を経由して増設した膨張機と連通することにに調整した。また、増設した膨張機と蒸気通路は増設した高温熱交交器を経由して膨張機と連通し、増設した高温熱交換器と熱源媒体通路は外部に接続し、増設した膨張機は圧縮機と連通して、動力を出力し、連合サイクル蒸気動力装置を形成する。
【００２９】
24. 連合サイクル蒸気動力装置は、請求項１９〜21のいずれかの連合サイクル蒸気動力装置の中で、新たな高温回熱器を増設した。圧縮機と蒸気通路は高温熱交熱器を経由して膨張機と連通することを圧縮機と蒸気通路は高温回熱器を経由して高温熱交熱器と膨張機と連通することにに調整する。また、膨張機と蒸気通路は混合蒸発器と連通することを膨張機と蒸気通路が高温回熱器を経由して混合蒸発器と連通し、連合サイクル蒸気動力装置を形成する。
【００３０】
25. 連合サイクル蒸気動力装置は、請求項１９〜21のいずれかの連合サイクル蒸気動力装置の中で、新たな高温回熱器と圧縮機と高温熱交熱器を増設した。圧縮機と蒸気通路は高温熱交熱器を経由して膨張機と連通することを圧縮機と蒸気通路は高温回熱器を経由して高温熱交熱器と増設した圧縮機と連通することにに調整した。また、増設した圧縮機と蒸気通路は増設した高温熱交換器を経由して膨張機と連通し、膨張機と蒸気通路が混合蒸発器と連通することを、膨張機と蒸気通路が高温回熱器を経由して混合蒸発器と連通することに調整する。増設した高温熱交換器と熱源媒体通路は外部に接続し、膨張機は増設した圧縮機と連通し、動力を出力する。これで、連合サイクル蒸気動力装置を形成する。
【００３１】
26. 連合サイクル蒸気動力装置は、請求項１９〜21のいずれかの連合サイクル蒸気動力装置の中で、新たな高温回熱器と膨張機と高温熱交熱器を増設した。圧縮機と蒸気通路は高温熱交熱器を経由して膨張機と連通することを圧縮機と蒸気通路は高温回熱器を経由して高温熱交熱器と増設した膨張機と連通することにに調整した。また、増設した膨張機と蒸気通路は増設した高温熱交換器を経由して膨張機と連通し、膨張機と蒸気通路が混合蒸発器と連通することを、膨張機と蒸気通路が高温回熱器を経由して混合蒸発器と連通することに調整する。増設した高温熱交換器と熱源媒体通路は外部に接続し、増設した膨張機は圧縮機と連通し、動力を出力する。これで、連合サイクル蒸気動力装置を形成する。
【００３２】
27. 連合サイクル蒸気動力装置は、主に圧縮機、膨張機、第二膨張機、サイクルポンプ、高温熱交換器、凝縮器、混合蒸発器、第三膨張機、第二サイクルポンプと中温蒸発器によって構成されている。凝縮器と凝縮液管路はサイクルポンプを経由して混合蒸発器と連通し、膨張機と蒸気通路は中温蒸発器を経由して混合蒸発器と連通し、混合蒸発器と蒸気通路はそれぞれ圧縮機と第二膨張機と連通し、圧縮機と蒸気通路は高温熱交熱器を経由して膨張機と連通し、第二膨張機と蒸気通路は凝縮器と連通する。また、凝縮器と凝縮液管路は第二サイクルポンプを経由して中温蒸発器と連通した後、中温蒸発器と蒸気通路は第三膨張機と連通し、第三膨張機と蒸気通路は凝縮器と連通する。高温熱交熱器と熱源媒体通路は外部と連通し、凝縮器と冷却媒体通路は外部と連通し、膨張機は圧縮機と連通し、動力を出力する。第二膨張機と第三膨張機は外部と連通し、かつ動力を出力する。これで、連合サイクル蒸気動力装置を形成する。
【００３３】
28. 連合サイクル蒸気動力装置は、主に圧縮機、膨張機、第二膨張機、サイクルポンプ、高温熱交換器、凝縮器、混合蒸発器、第三膨張機、第二サイクルポンプと中温蒸発器によって構成されている。凝縮器と凝縮液管路はサイクルポンプを経由して混合蒸発器と連通し、膨張機と蒸気通路は中温蒸発器を経由して混合蒸発器と連通し、混合蒸発器と蒸気通路はそれぞれ圧縮機と第二膨張機と連通し、圧縮機と蒸気通路は高温熱交熱器を経由して膨張機と連通し、第二膨張機と蒸気通路は凝縮器と連通する。また、凝縮器と凝縮液管路は第二サイクルポンプを経由して中温蒸発器と連通した後、中温蒸発器と蒸気通路は第三膨張機と連通し、第三膨張機と蒸気通路は凝縮器と連通する。高温熱交熱器と熱源媒体通路は外部と連通し、凝縮器と冷却媒体通路は外部と連通し、中温蒸発器或いは混合蒸発器と熱源媒体通路は外部と連通し、膨張機は圧縮機と連通し、かつ動力を出力する。膨張機と第二膨張機と第三膨張機は外部と連通し、かつ動力を出力する。これで、連合サイクル蒸気動力装置を形成する。
【００３４】
29. 連合サイクル蒸気動力装置は、主に圧縮機、膨張機、第二膨張機、サイクルポンプ、高温熱交換器、凝縮器、混合蒸発器、第三膨張機、第二サイクルポンプと中温蒸発器によって構成されている。凝縮器と凝縮液管路はサイクルポンプを経由して混合蒸発器と連通し、膨張機と蒸気通路は中温蒸発器を経由して混合蒸発器と連通し、混合蒸発器と蒸気通路はそれぞれ圧縮機と第二膨張機と連通し、圧縮機と蒸気通路は高温熱交熱器を経由して膨張機と連通し、第二膨張機と蒸気通路は凝縮器と連通する。また、凝縮器と凝縮液管路は第二サイクルポンプを経由して中温蒸発器と連通した後、中温蒸発器と蒸気通路は第三膨張機と連通し、第三膨張機と蒸気通路は凝縮器と連通する。高温熱交熱器と熱源媒体通路は外部と連通し、凝縮器と冷却媒体通路は外部と連通し、中温蒸発器或いは混合蒸発器と熱源媒体通路は外部と連通し、膨張機は圧縮機と連通し、かつ動力を出力する。膨張機と第二膨張機と第三膨張機は外部と連通し、かつ動力を出力する。これで、連合サイクル蒸気動力装置を形成する。
【００３５】
30. 連合サイクル蒸気動力装置は、主に圧縮機、膨張機、第二膨張機、サイクルポンプ、高温熱交換器、凝縮器、混合蒸発器、回熱器、第二サイクルポンプ、第三膨張機、中温蒸発器と第三サイクルポンプによって構成されている。凝縮器と凝縮液管路はサイクルポンプを経由して回熱器と連通し、第二膨張機或いは第三膨張機と蒸気を引く通路は回熱器と連通し、回熱器と冷凝液管路は第二サイクルポンプを経由し混合蒸発器と連通し、膨張機と蒸気通路は中温蒸発器を経由して混合蒸発器と連通し、混合蒸発器と蒸気通路はそれぞれ圧縮機と第二膨張機と連通し、圧縮機と蒸気通路は高温熱交熱器を経由して膨張機と連通し、第二膨張機と蒸気通路は凝縮器と連通する。また、凝縮器と凝縮液管路は第三サイクルポンプを経由して中温蒸発器と連通した後、中温蒸発器と蒸気通路は第三膨張機と連通し、第三膨張機と蒸気通路は凝縮器と連通する。高温熱交熱器と熱源媒体通路は外部と連通し、凝縮器と冷却媒体通路は外部と連通し、膨張機は圧縮機と連通し、かつ動力を出力する。膨張機と第二膨張機と第三膨張機は外部と連通し、かつ動力を出力する。これで、連合サイクル蒸気動力装置を形成する。
【００３６】
31. 連合サイクル蒸気動力装置は、主に圧縮機、膨張機、第二膨張機、サイクルポンプ、高温熱交換器、凝縮器、混合蒸発器、回熱器、第二サイクルポンプ、第三膨張機、中温蒸発器と第三サイクルポンプによって構成されている。凝縮器と凝縮液管路はサイクルポンプを経由して回熱器と連通し、第二膨張機或いは第三膨張機と蒸気を引く通路は回熱器と連通し、回熱器と冷凝液管路は第二サイクルポンプを経由し混合蒸発器と連通し、膨張機と蒸気通路は中温蒸発器を経由して混合蒸発器と連通し、混合蒸発器と蒸気通路はそれぞれ圧縮機と第二膨張機と連通し、圧縮機と蒸気通路は高温熱交熱器を経由して膨張機と連通し、第二膨張機と蒸気通路は凝縮器と連通する。また、凝縮器と凝縮液管路は第三サイクルポンプを経由して中温蒸発器と連通した後、中温蒸発器と蒸気通路は第三膨張機と連通し、第三膨張機と蒸気通路は凝縮器と連通する。高温熱交熱器と熱源媒体通路は外部と連通し、凝縮器と冷却媒体通路は外部と連通し、中温蒸発器或いは混合蒸発器と熱源媒体管路は外部と連通し、膨張機は圧縮機と連通し、かつ動力を出力する。膨張機と第二膨張機と第三膨張機は外部と連通し、かつ動力を出力する。これで、連合サイクル蒸気動力装置を形成する。
【００３７】
32. 連合サイクル蒸気動力装置は、主に圧縮機、膨張機、第二膨張機、サイクルポンプ、高温熱交換器、凝縮器、混合蒸発器、回熱器、第二サイクルポンプ、第三膨張機、中温蒸発器と第三サイクルポンプによって構成されている。凝縮器と凝縮液管路はサイクルポンプを経由して回熱器と連通し、第二膨張機或いは第三膨張機と蒸気を引く通路は回熱器と連通し、回熱器と冷凝液管路は第二サイクルポンプを経由し混合蒸発器と連通し、膨張機と蒸気通路は中温蒸発器を経由して混合蒸発器と連通し、混合蒸発器と蒸気通路はそれぞれ圧縮機と第二膨張機と連通し、圧縮機と蒸気通路は高温熱交熱器を経由して膨張機と連通し、第二膨張機と蒸気通路は凝縮器と連通する。また、凝縮器と凝縮液管路は第三サイクルポンプを経由して中温蒸発器と連通した後、中温蒸発器と蒸気通路は第三膨張機と連通し、第三膨張機と蒸気通路は凝縮器と連通する。高温熱交熱器と熱源媒体通路は外部と連通し、凝縮器と冷却媒体通路は外部と連通し、中温蒸発器或いは混合蒸発器と熱源媒体管路は外部と連通し、膨張機は圧縮機と連通し、かつ動力を出力する。膨張機と第二膨張機と第三膨張機は外部と連通し、かつ動力を出力する。これで、連合サイクル蒸気動力装置を形成する。
【００３８】
33. 連合サイクル蒸気動力装置は、主に圧縮機、膨張機、第二膨張機、サイクルポンプ、高温熱交換器、凝縮器、混合蒸発器、回熱器、第二サイクルポンプ、第三膨張機、中温蒸発器と第三サイクルポンプによって構成されている。凝縮器と凝縮液管路はサイクルポンプを経由して混合蒸発器と連通し、膨張機と蒸気通路は中温蒸発器を経由して混合蒸発器と連通し、混合蒸発器と蒸気通路はそれぞれ圧縮機と第二膨張機と連通し、圧縮機と蒸気通路は高温熱交熱器を経由して膨張機と連通し、第二膨張機と蒸気通路は凝縮器と連通する。また、凝縮器と凝縮液管路は第二サイクルポンプを経由して回熱器と連通し、第三膨張機或いは第二膨張機と蒸気を引く管路は回熱器と連通し、回熱器と冷凝液管路は第三サイクルポンプを経由して中温蒸発器と連通した後、中温蒸発器と蒸気通路は第三膨張機と連通し、第三膨張機と蒸気通路は凝縮器と連通する。高温熱交熱器と熱源媒体通路は外部と連通し、凝縮器と冷却媒体通路は外部と連通し、膨張機は圧縮機と連通し、かつ動力を出力する。膨張機と第二膨張機と第三膨張機は外部と連通し、かつ動力を出力する。これで、連合サイクル蒸気動力装置を形成する。
【００３９】
34. 連合サイクル蒸気動力装置は、主に圧縮機、膨張機、第二膨張機、サイクルポンプ、高温熱交換器、凝縮器、混合蒸発器、回熱器、第二サイクルポンプ、第三膨張機、中温蒸発器と第三サイクルポンプによって構成されている。凝縮器と凝縮液管路はサイクルポンプを経由して混合蒸発器と連通し、膨張機と蒸気通路は中温蒸発器を経由して混合蒸発器と連通し、混合蒸発器と蒸気通路はそれぞれ圧縮機と第二膨張機と連通し、圧縮機と蒸気通路は高温熱交熱器を経由して膨張機と連通し、第二膨張機と蒸気通路は凝縮器と連通する。また、凝縮器と凝縮液管路は第二サイクルポンプを経由して回熱器と連通し、第三膨張機或いは第二膨張機と蒸気を引く管路は回熱器と連通し、回熱器と冷凝液管路は第三サイクルポンプを経由して中温蒸発器と連通した後、中温蒸発器と蒸気通路は第三膨張機と連通し、第三膨張機と蒸気通路は凝縮器と連通する。高温熱交熱器と熱源媒体通路は外部と連通し、凝縮器と冷却媒体通路は外部と連通し、中温蒸発器或いは混合蒸発器と熱源媒体管路は外部と連通し、膨張機は圧縮機と連通し、かつ動力を出力する。膨張機と第二膨張機と第三膨張機は外部と連通し、かつ動力を出力する。これで、連合サイクル蒸気動力装置を形成する。
【００４０】
35. 連合サイクル蒸気動力装置は、主に圧縮機、膨張機、第二膨張機、サイクルポンプ、高温熱交換器、凝縮器、混合蒸発器、回熱器、第二サイクルポンプ、第三膨張機、中温蒸発器と第三サイクルポンプによって構成されている。凝縮器と凝縮液管路はサイクルポンプを経由して混合蒸発器と連通し、膨張機と蒸気通路は中温蒸発器を経由して混合蒸発器と連通し、混合蒸発器と蒸気通路はそれぞれ圧縮機と第二膨張機と連通し、圧縮機と蒸気通路は高温熱交熱器を経由して膨張機と連通し、第二膨張機と蒸気通路は凝縮器と連通する。また、凝縮器と凝縮液管路は第二サイクルポンプを経由して回熱器と連通し、第三膨張機或いは第二膨張機と蒸気を引く管路は回熱器と連通し、回熱器と冷凝液管路は第三サイクルポンプを経由して中温蒸発器と連通した後、中温蒸発器と蒸気通路は第三膨張機と連通し、第三膨張機と蒸気通路は凝縮器と連通する。高温熱交熱器と熱源媒体通路は外部と連通し、凝縮器と冷却媒体通路は外部と連通し、中温蒸発器或いは混合蒸発器と熱源媒体管路は外部と連通し、膨張機は圧縮機と連通し、かつ動力を出力する。膨張機と第二膨張機と第三膨張機は外部と連通し、かつ動力を出力する。これで、連合サイクル蒸気動力装置を形成する。
【００４１】
36. 連合サイクル蒸気動力装置は、主に圧縮機、膨張機、第二膨張機、サイクルポンプ、高温熱交換器、凝縮器、混合蒸発器、回熱器、第二サイクルポンプ、第三膨張機、中温蒸発器、第三サイクルポンプ、第二回熱器と第四サイクルポンプによって構成されている。凝縮器と凝縮液管路はサイクルポンプを経由して回熱器と連通し、第二膨張機或いは第三膨張機と蒸気を引く通路は回熱器と連通し、回熱器と冷凝液管路は第二サイクルポンプを経由し混合蒸発器と連通し、膨張機と蒸気通路は中温蒸発器を経由して混合蒸発器と連通し、混合蒸発器と蒸気通路はそれぞれ圧縮機と第二膨張機と連通し、圧縮機と蒸気通路は高温熱交熱器を経由して膨張機と連通し、第二膨張機と蒸気通路は凝縮器と連通する。また、凝縮器と凝縮液管路は第三サイクルポンプを経由して第二回熱器と連通し、第三膨張機或いは第二膨張機と蒸気を引く管路は第二回熱器と連通し、第二回熱器と冷凝液管路は第四サイクルポンプを経由して中温蒸発器と連通した後、中温蒸発器と蒸気通路は第三膨張機と連通し、第三膨張機と蒸気通路は凝縮器と連通する。高温熱交熱器と熱源媒体通路は外部と連通し、凝縮器と冷却媒体通路は外部と連通し、膨張機は圧縮機と連通し、かつ動力を出力する。膨張機と第二膨張機と第三膨張機は外部と連通し、かつ動力を出力する。これで、連合サイクル蒸気動力装置を形成する。
【００４２】
37. 連合サイクル蒸気動力装置は、主に圧縮機、膨張機、第二膨張機、サイクルポンプ、高温熱交換器、凝縮器、混合蒸発器、回熱器、第二サイクルポンプ、第三膨張機、中温蒸発器、第三サイクルポンプ、第二回熱器と第四サイクルポンプによって構成されている。凝縮器と凝縮液管路はサイクルポンプを経由して回熱器と連通し、第二膨張機或いは第三膨張機と蒸気を引く通路は回熱器と連通し、回熱器と冷凝液管路は第二サイクルポンプを経由し混合蒸発器と連通し、膨張機と蒸気通路は中温蒸発器を経由して混合蒸発器と連通し、混合蒸発器と蒸気通路はそれぞれ圧縮機と第二膨張機と連通し、圧縮機と蒸気通路は高温熱交熱器を経由して膨張機と連通し、第二膨張機と蒸気通路は凝縮器と連通する。また、凝縮器と凝縮液管路は第三サイクルポンプを経由して第二回熱器と連通し、第三膨張機或いは第二膨張機と蒸気を引く管路は第二回熱器と連通し、第二回熱器と冷凝液管路は第四サイクルポンプを経由して中温蒸発器と連通した後、中温蒸発器と蒸気通路は第三膨張機と連通し、第三膨張機と蒸気通路は凝縮器と連通する。高温熱交熱器と熱源媒体通路は外部と連通し、凝縮器と冷却媒体通路は外部と連通し、中温蒸発器或いは混合蒸発器と熱源媒体管路は外部と連通し、膨張機は圧縮機と連通し、かつ動力を出力する。膨張機と第二膨張機と第三膨張機は外部と連通し、かつ動力を出力する。これで、連合サイクル蒸気動力装置を形成する。
【００４３】
38. 連合サイクル蒸気動力装置は、主に圧縮機、膨張機、第二膨張機、サイクルポンプ、高温熱交換器、凝縮器、混合蒸発器、回熱器、第二サイクルポンプ、第三膨張機、中温蒸発器、第三サイクルポンプ、第二回熱器と第四サイクルポンプによって構成されている。凝縮器と凝縮液管路はサイクルポンプを経由して回熱器と連通し、第二膨張機或いは第三膨張機と蒸気を引く通路は回熱器と連通し、回熱器と冷凝液管路は第二サイクルポンプを経由し混合蒸発器と連通し、膨張機と蒸気通路は中温蒸発器を経由して混合蒸発器と連通し、混合蒸発器と蒸気通路はそれぞれ圧縮機と第二膨張機と連通し、圧縮機と蒸気通路は高温熱交熱器を経由して膨張機と連通し、第二膨張機と蒸気通路は凝縮器と連通する。また、凝縮器と凝縮液管路は第三サイクルポンプを経由して第二回熱器と連通し、第三膨張機或いは第二膨張機と蒸気を引く管路は第二回熱器と連通し、第二回熱器と冷凝液管路は第四サイクルポンプを経由して中温蒸発器と連通した後、中温蒸発器と蒸気通路は第三膨張機と連通し、第三膨張機と蒸気通路は凝縮器と連通する。高温熱交熱器と熱源媒体通路は外部と連通し、凝縮器と冷却媒体通路は外部と連通し、中温蒸発器と混合蒸発器はそれぞれ熱源媒体管路で外部と連通し、膨張機は圧縮機と連通し、かつ動力を出力する。膨張機と第二膨張機と第三膨張機は外部と連通し、かつ動力を出力する。これで、連合サイクル蒸気動力装置を形成する。
【００４４】
39. 連合サイクル蒸気動力装置は、主に圧縮機、膨張機、第二膨張機、サイクルポンプ、高温熱交換器、凝縮器、混合蒸発器、第二サイクルポンプ、予熱器、第三膨張機と中温蒸発器によって構成されている。凝縮器と凝縮液管路はサイクルポンプを経由して予熱器と混合蒸発器と連通し、膨張機と蒸気通路は中温蒸発器を経由して混合蒸発器と連通し、混合蒸発器と蒸気通路はそれぞれ圧縮機と第二膨張機と連通し、圧縮機と蒸気通路は高温熱交熱器を経由して膨張機と連通し、第二膨張機と蒸気通路は凝縮器と連通する。また、凝縮器と凝縮液管路は第二サイクルポンプを経由して中温蒸発器と連通した後、中温蒸発器と蒸気通路は第三膨張機と連通し、第三膨張機と蒸気通路は凝縮器と連通する。高温熱交熱器と熱源媒体通路は外部と連通し、凝縮器と冷却媒体通路は外部と連通し、予熱器と熱源媒体管路は外部と連通し、膨張機は圧縮機と連通し、かつ動力を出力する。膨張機と第二膨張機と第三膨張機は外部と連通し、かつ動力を出力する。これで、連合サイクル蒸気動力装置を形成する。
【００４５】
40. 連合サイクル蒸気動力装置は、主に圧縮機、膨張機、第二膨張機、サイクルポンプ、高温熱交換器、凝縮器、混合蒸発器、第二サイクルポンプ、予熱器、第三膨張機と中温蒸発器によって構成されている。凝縮器と凝縮液管路はサイクルポンプを経由して予熱器と混合蒸発器と連通し、膨張機と蒸気通路は中温蒸発器を経由して混合蒸発器と連通し、混合蒸発器と蒸気通路はそれぞれ圧縮機と第二膨張機と連通し、圧縮機と蒸気通路は高温熱交熱器を経由して膨張機と連通し、第二膨張機と蒸気通路は凝縮器と連通する。また、凝縮器と凝縮液管路は第二サイクルポンプを経由して中温蒸発器と連通した後、中温蒸発器と蒸気通路は第三膨張機と連通し、第三膨張機と蒸気通路は凝縮器と連通する。高温熱交熱器と熱源媒体通路は外部と連通し、凝縮器と冷却媒体通路は外部と連通し、中温蒸発器或いは混合蒸発器は熱源媒体管路で外部と連通し、予熱器と熱源媒体管路は外部と連通し、膨張機は圧縮機と連通し、かつ動力を出力する。膨張機と第二膨張機と第三膨張機は外部と連通し、かつ動力を出力する。これで、連合サイクル蒸気動力装置を形成する。
【００４６】
41. 連合サイクル蒸気動力装置は、主に圧縮機、膨張機、第二膨張機、サイクルポンプ、高温熱交換器、凝縮器、混合蒸発器、第二サイクルポンプ、予熱器、第三膨張機と中温蒸発器によって構成されている。凝縮器と凝縮液管路はサイクルポンプを経由して予熱器と混合蒸発器と連通し、膨張機と蒸気通路は中温蒸発器を経由して混合蒸発器と連通し、混合蒸発器と蒸気通路はそれぞれ圧縮機と第二膨張機と連通し、圧縮機と蒸気通路は高温熱交熱器を経由して膨張機と連通し、第二膨張機と蒸気通路は凝縮器と連通する。また、凝縮器と凝縮液管路は第二サイクルポンプを経由して中温蒸発器と連通した後、中温蒸発器と蒸気通路は第三膨張機と連通し、第三膨張機と蒸気通路は凝縮器と連通する。高温熱交熱器と熱源媒体通路は外部と連通し、凝縮器と冷却媒体通路は外部と連通し、中温蒸発器と混合蒸発器はそれぞれ熱源媒体管路で外部と連通し、予熱器と熱源媒体管路は外部と連通し、膨張機は圧縮機と連通し、かつ動力を出力する。膨張機と第二膨張機と第三膨張機は外部と連通し、かつ動力を出力する。これで、連合サイクル蒸気動力装置を形成する。
【００４７】
42. 連合サイクル蒸気動力装置は、主に圧縮機、膨張機、第二膨張機、サイクルポンプ、高温熱交換器、凝縮器、混合蒸発器、第二サイクルポンプ、予熱器、第三膨張機と中温蒸発器によって構成されている。凝縮器と凝縮液管路はサイクルポンプを経由して混合蒸発器と連通し、膨張機と蒸気通路は中温蒸発器を経由して混合蒸発器と連通し、混合蒸発器と蒸気通路はそれぞれ圧縮機と第二膨張機と連通し、圧縮機と蒸気通路は高温熱交熱器を経由して膨張機と連通し、第二膨張機と蒸気通路は凝縮器と連通する。また、凝縮器と凝縮液管路は第二サイクルポンプと予熱器を経由して中温蒸発器連通した後、中温蒸発器と蒸気通路は第三膨張機と連通し、第三膨張機と蒸気通路は凝縮器と連通する。高温熱交熱器と熱源媒体通路は外部と連通し、凝縮器と冷却媒体通路は外部と連通し、予熱器と熱源媒体管路は外部と連通し、膨張機は圧縮機と連通し、かつ動力を出力する。膨張機と第二膨張機と第三膨張機は外部と連通し、かつ動力を出力する。これで、連合サイクル蒸気動力装置を形成する。
【００４８】
43. 連合サイクル蒸気動力装置は、主に圧縮機、膨張機、第二膨張機、サイクルポンプ、高温熱交換器、凝縮器、混合蒸発器、第二サイクルポンプ、予熱器、第三膨張機と中温蒸発器によって構成されている。凝縮器と凝縮液管路はサイクルポンプを経由して混合蒸発器と連通し、膨張機と蒸気通路は中温蒸発器を経由して混合蒸発器と連通し、混合蒸発器と蒸気通路はそれぞれ圧縮機と第二膨張機と連通し、圧縮機と蒸気通路は高温熱交熱器を経由して膨張機と連通し、第二膨張機と蒸気通路は凝縮器と連通する。また、凝縮器と凝縮液管路は第二サイクルポンプと予熱器を経由して中温蒸発器連通した後、中温蒸発器と蒸気通路は第三膨張機と連通し、第三膨張機と蒸気通路は凝縮器と連通する。高温熱交熱器と熱源媒体通路は外部と連通し、凝縮器と冷却媒体通路は外部と連通し、中温蒸発器或いは混合蒸発器と熱源媒体管路は外部と連通し、予熱器と熱源媒体管路は外部と連通し、膨張機は圧縮機と連通し、かつ動力を出力する。膨張機と第二膨張機と第三膨張機は外部と連通し、かつ動力を出力する。これで、連合サイクル蒸気動力装置を形成する。
【００４９】
44. 連合サイクル蒸気動力装置は、主に圧縮機、膨張機、第二膨張機、サイクルポンプ、高温熱交換器、凝縮器、混合蒸発器、第二サイクルポンプ、予熱器、第三膨張機と中温蒸発器によって構成されている。凝縮器と凝縮液管路はサイクルポンプを経由して混合蒸発器と連通し、膨張機と蒸気通路は中温蒸発器を経由して混合蒸発器と連通し、混合蒸発器と蒸気通路はそれぞれ圧縮機と第二膨張機と連通し、圧縮機と蒸気通路は高温熱交熱器を経由して膨張機と連通し、第二膨張機と蒸気通路は凝縮器と連通する。また、凝縮器と凝縮液管路は第二サイクルポンプと予熱器を経由して中温蒸発器連通した後、中温蒸発器と蒸気通路は第三膨張機と連通し、第三膨張機と蒸気通路は凝縮器と連通する。高温熱交熱器と熱源媒体通路は外部と連通し、凝縮器と冷却媒体通路は外部と連通し、中温蒸発器と混合蒸発器はそれぞれ熱源媒体管路で外部と連通し、予熱器と熱源媒体管路は外部と連通し、膨張機は圧縮機と連通し、かつ動力を出力する。膨張機と第二膨張機と第三膨張機は外部と連通し、かつ動力を出力する。これで、連合サイクル蒸気動力装置を形成する。
【００５０】
45. 連合サイクル蒸気動力装置は、主に圧縮機、膨張機、第二膨張機、サイクルポンプ、高温熱交換器、凝縮器、混合蒸発器、第二サイクルポンプ、予熱器、第三膨張機、中温蒸発器と第二予熱器によって構成されている。凝縮器と凝縮液管路はサイクルポンプを経由して予熱器と混合蒸発器と連通し、膨張機と蒸気通路は中温蒸発器を経由して混合蒸発器と連通し、混合蒸発器と蒸気通路はそれぞれ圧縮機と第二膨張機と連通し、圧縮機と蒸気通路は高温熱交熱器を経由して膨張機と連通し、第二膨張機と蒸気通路は凝縮器と連通する。また、凝縮器と凝縮液管路は第二サイクルポンプと第二予熱器を経由して中温蒸発器連通した後、中温蒸発器と蒸気通路は第三膨張機と連通し、第三膨張機と蒸気通路は凝縮器と連通する。高温熱交熱器と熱源媒体通路は外部と連通し、凝縮器と冷却媒体通路は外部と連通し、予熱器と第二予熱器はそれぞれ熱源媒体管路で外部と連通し、膨張機は圧縮機と連通し、かつ動力を出力する。膨張機と第二膨張機と第三膨張機は外部と連通し、かつ動力を出力する。これで、連合サイクル蒸気動力装置を形成する。
【００５１】
46. 連合サイクル蒸気動力装置は、主に圧縮機、膨張機、第二膨張機、サイクルポンプ、高温熱交換器、凝縮器、混合蒸発器、第二サイクルポンプ、予熱器、第三膨張機、中温蒸発器と第二予熱器によって構成されている。凝縮器と凝縮液管路はサイクルポンプを経由して予熱器と混合蒸発器と連通し、膨張機と蒸気通路は中温蒸発器を経由して混合蒸発器と連通し、混合蒸発器と蒸気通路はそれぞれ圧縮機と第二膨張機と連通し、圧縮機と蒸気通路は高温熱交熱器を経由して膨張機と連通し、第二膨張機と蒸気通路は凝縮器と連通する。また、凝縮器と凝縮液管路は第二サイクルポンプと第二予熱器を経由して中温蒸発器連通後、中温蒸発器と蒸気通路は第三膨張機と連通し、第三膨張機と蒸気通路は凝縮器と連通する。高温熱交熱器と熱源媒体通路は外部と連通し、凝縮器と冷却媒体通路は外部と連通し、中温蒸発器或いは混合蒸発器は熱源媒体管路で外部と連通し、予熱器と第二予熱器はそれぞれ熱源媒体管路で外部と連通し、膨張機は圧縮機と連通し、かつ動力を出力する。膨張機と第二膨張機と第三膨張機は外部と連通し、かつ動力を出力する。これで、連合サイクル蒸気動力装置を形成する。
【００５２】
47. 連合サイクル蒸気動力装置は、主に圧縮機、膨張機、第二膨張機、サイクルポンプ、高温熱交換器、凝縮器、混合蒸発器、第二サイクルポンプ、予熱器、第三膨張機、中温蒸発器と第二予熱器によって構成されている。凝縮器と凝縮液管路はサイクルポンプを経由して予熱器と混合蒸発器と連通し、膨張機と蒸気通路は中温蒸発器を経由して混合蒸発器と連通し、混合蒸発器と蒸気通路はそれぞれ圧縮機と第二膨張機と連通し、圧縮機と蒸気通路は高温熱交熱器を経由して膨張機と連通し、第二膨張機と蒸気通路は凝縮器と連通する。また、凝縮器と凝縮液管路は第二サイクルポンプと第二予熱器を経由して中温蒸発器連通した後、中温蒸発器と蒸気通路は第三膨張機と連通し、第三膨張機と蒸気通路は凝縮器と連通する。高温熱交熱器と熱源媒体通路は外部と連通し、凝縮器と冷却媒体通路は外部と連通し、中温蒸発器と混合蒸発器はそれぞれ熱源媒体管路で外部と連通し、予熱器と第二予熱器はそれぞれ熱源媒体管路で外部と連通し、膨張機は圧縮機と連通し、かつ動力を出力する。膨張機と第二膨張機と第三膨張機は外部と連通し、かつ動力を出力する。これで、連合サイクル蒸気動力装置を形成する。
【００５３】
48. 連合サイクル蒸気動力装置は、主に圧縮機、膨張機、第二膨張機、サイクルポンプ、高温熱交換器、凝縮器、混合蒸発器、第二サイクルポンプ、予熱器、中温蒸発器と第二予熱器によって構成されている。凝縮器と凝縮液管路はサイクルポンプを経由して予熱器と混合蒸発器と連通し、膨張機と蒸気通路は中温蒸発器を経由して混合蒸発器と連通し、混合蒸発器と蒸気通路は圧縮機と連通し、混合蒸発器と中間蒸気を入れる通路は第二膨張機と連通し、圧縮機と蒸気通路は高温熱交熱器を経由して膨張機と連通する。また、凝縮器と凝縮液管路は第二サイクルポンプと第二予熱器を経由して中温蒸発器連通した後、中温蒸発器と蒸気通路は第二膨張機と連通し、第二膨張機と蒸気通路は凝縮器と連通する。高温熱交熱器と熱源媒体通路は外部と連通し、凝縮器と冷却媒体通路は外部と連通し、中温蒸発器と混合蒸発器はそれぞれ熱源媒体管路で外部と連通し、予熱器と第二予熱器はそれぞれ熱源媒体管路で外部と連通し、膨張機は圧縮機と連通し、かつ動力を出力する。膨張機と第二膨張機と第三膨張機は外部と連通し、かつ動力を出力する。これで、連合サイクル蒸気動力装置を形成する。
【００５４】
49. 連合サイクル蒸気動力装置は、請求項の27〜47項目のいずれかの連合サイクル蒸気動力装置の中で、新たな中間再熱器を増設した。中温蒸発器と蒸気通路は第三膨張機と連通し、第三膨張機と蒸気通路は凝縮器と連通することを、中温蒸発器と蒸気通路は第三膨張機と連通し、第三膨張機と中間再熱蒸気通路は中間再熱器を経由して第三膨張機と連通し、第三膨張機と蒸気通路は凝縮器と連通することに調整した。中間再熱器と熱源媒体通路は外部と連通し、連合サイクル蒸気動力装置を形成する。
【００５５】
50. 連合サイクル蒸気動力装置は、請求項の27〜47項目のいずれかの連合サイクル蒸気動力装置の中で、第三膨張機と蒸気通路は凝縮器と連通することを第三膨張機と蒸気通路は第二膨張機と連通することに調整した。これで、連合サイクル蒸気動力装置を形成する。
【００５６】
51. 連合サイクル蒸気動力装置は、請求項の45〜47項目のいずれかの連合サイクル蒸気動力装置の中で、新たに第二凝縮器を増設した。第三膨張機と蒸気通路は凝縮器と連通することを、第三膨張機と蒸気通路は第二凝縮器と連通することに調整した。また、凝縮器と凝縮液管路は第二サイクルポンプと第二予熱器を経由して中温蒸発器連通することを第二凝縮器と凝縮液管路は第二サイクルポンプと第二予熱器を経由して中温蒸発器連通することに調整した。第二凝縮器と冷却媒体通路は外部と連通し、連合サイクル蒸気動力装置を形成する。
【００５７】
52. 連合サイクル蒸気動力装置は、請求項の45〜47項目のいずれかの連合サイクル蒸気動力装置の中で、凝縮器と凝縮液管路はサイクルポンプを経由して予熱器と混合蒸発器と連通することと、凝縮器と凝縮液管路は第二サイクルポンプと第二予熱器を経由して中温蒸発器に連通することと合わせて、凝縮器と凝縮液管路はサイクルポンプと予熱器を経由して二つのルートに分けて、一つ目は混合蒸発器と直接に連通し、二つ目は第二サイクルポンプと第二予熱器を経由して中温蒸発器と連通することに調整した。これで、連合サイクル蒸気動力装置を形成する。
【００５８】
53. 連合サイクル蒸気動力装置は、請求項の27〜52項目のいずれかの連合サイクル蒸気動力装置の中で、新たに圧縮機と高温熱交換器を増設した。圧縮機と蒸気通路は高温熱交換器を経由して膨張機と連通することを、圧縮機と蒸気通路は高温熱交換器を経由して増設した圧縮機と連通し、増設した圧縮機と蒸気通路は増設した高温熱交換器を経由して膨張機と連通し、増設した高温熱交換器と熱源媒体通路は外部と連通することに調整した。膨張機は増設した圧縮機と連通し、かつ動力を出力する。これで、連合サイクル蒸気動力装置を形成する。
【００５９】
54. 連合サイクル蒸気動力装置は、請求項の27〜52項目のいずれかの連合サイクル蒸気動力装置の中で、新たに高温回熱器を増設した。圧縮機と蒸気通路は高温熱交換器を経由して膨張機と連通することを、圧縮機と蒸気通路は高温回熱器と高温熱交換器を経由して膨張機と連通することに調整した。膨張機と蒸気通路は中温蒸発器を経由して混合蒸発器と連通することを、膨張機と蒸気通路は高温回熱器と中温蒸発器を経由して混合蒸発器と連通することに調整した。これで、連合サイクル蒸気動力装置を形成する。
【００６０】
55. 連合サイクル蒸気動力装置は、請求項の27〜52項目のいずれかの連合サイクル蒸気動力装置の中で、新たに高温回熱器、圧縮機と高温熱交換器を増設した。圧縮機と蒸気通路は高温熱交換器を経由して膨張機と連通することを、圧縮機と蒸気通路は高温回熱器と高温熱交換器を経由して増設した圧縮機と連通することに調整した。増設した圧縮機と蒸気通路は増設した高温熱交換器を経由して膨張機と連通する。また、膨張機と蒸気通路は中温蒸発器を経由して混合蒸発器と連通することを、膨張機と蒸気通路は高温回熱器と中温蒸発器を経由して混合蒸発器と連通することに調整した。増設した高温熱交換器と熱源媒体通路は外部と連通し、膨張機は増設した圧縮機と連通し、かつ動力を出力する。これで、連合サイクル蒸気動力装置を形成する。
【００６１】
56. 連合サイクル蒸気動力装置は、請求項の27〜52項目のいずれかの連合サイクル蒸気動力装置の中で、新たに膨張機と高温熱交換器を増設した。圧縮機と蒸気通路は高温熱交換器を経由して膨張機と連通することを、圧縮機と蒸気通路は高温熱交換器を経由して増設した膨張機と連通することに調整した。増設した膨張機と蒸気通路は増設した高温熱交換器を経由して膨張機と連通し、増設した高温熱交換器と熱源媒体通路は外部と連通し、増設した膨張機は圧縮機と連通し、かつ動力を出力する。これで、連合サイクル蒸気動力装置を形成する。
【００６２】
57. 連合サイクル蒸気動力装置は、請求項の27〜52項目のいずれかの連合サイクル蒸気動力装置の中で、新たに高温回熱器、膨張機と高温熱交換器を増設した。圧縮機と蒸気通路は高温熱交換器を経由して膨張機と連通することを、圧縮機と蒸気通路は高温回熱器と高温熱交換器を経由して増設した膨張機と連通することに調整した。増設した膨張機と蒸気通路は増設した高温熱交換器を経由して膨張機と連通する。また、膨張機と蒸気通路は中温蒸発器を経由して混合蒸発器と連通することを、膨張機と蒸気通路は高温回熱器と中温蒸発器を経由して混合蒸発器と連通することに調整した。増設した高温熱交換器と熱源媒体通路は外部と連通し、増設した膨張機は圧縮機と連通し、かつ動力を出力する。これで、連合サイクル蒸気動力装置を形成する。
【００６３】
58. 連合サイクル蒸気動力装置は、請求項の27〜53項目のいずれかの連合サイクル蒸気動力装置の中で、新たに膨張機、中温蒸発器とサイクルポンプを増設した。凝縮器と増設した冷凝液管路は増設したサイクルポンプを経由して増設した中温蒸発器と連通した後、増設した中温蒸発器と蒸気通路は増設した膨張機と連通し、増設した膨張機と蒸気通路は凝縮器と連通する。膨張機と蒸気通路は中温蒸発器を経由して混合蒸発器と連通することを、膨張機と蒸気通路は増設した中温蒸発器と中温蒸発器を経由して混合蒸発器と連通することに調整した。増設した中温蒸発器と熱源媒体通路は外部と連通し、増設した膨張機は外部と連通し、かつ動力を出力する。これで、連合サイクル蒸気動力装置を形成する。
【００６４】
59. 連合サイクル蒸気動力装置は、請求項の27〜53項目のいずれかの連合サイクル蒸気動力装置の中で、新たに膨張機、中温蒸発器、サイクルポンプと予熱器を増設した。凝縮器と増設した冷凝液管路は増設したサイクルポンプと増設した予熱器を経由して増設した中温蒸発器と連通した後、増設した中温蒸発器と蒸気通路は増設した膨張機と連通し、増設した膨張機と蒸気通路は凝縮器と連通する。膨張機と蒸気通路は中温蒸発器を経由して混合蒸発器と連通することを、膨張機と蒸気通路は増設した中温蒸発器と中温蒸発器を経由して混合蒸発器と連通することに調整した。増設した予熱器と熱源媒体通路は外部と連通し、増設した中温蒸発器と熱源媒体通路は外部と連通し、増設した膨張機は外部と連通し、かつ動力を出力する。これで、連合サイクル蒸気動力装置を形成する。
【００６５】
60. 連合サイクル蒸気動力装置は、請求項の27〜53項目のいずれかの連合サイクル蒸気動力装置の中で、新たに膨張機、中温蒸発器、サイクルポンプ、回熱器と第二サイクルポンプを増設した。凝縮器と増設した冷凝液管路は増設したサイクルポンプを経由して増設した回熱器と連通する。増設した膨張機或いは第三膨張機と蒸気を引く通路は増設した回熱器と連通する。増設した回熱器と冷凝液管路は第二サイクルポンプを経由して増設した中温蒸発器と連通した後、中温蒸発器と蒸気通路は増設した膨張機と連通し、増設した膨張機と蒸気通路は凝縮器と連通する。膨張機と蒸気通路は中温蒸発器を経由して混合蒸発器と連通することを、膨張機と蒸気通路は増設した中温蒸発器と中温蒸発器を経由して混合蒸発器と連通することに調整した。増設した中温蒸発器と熱源媒体通路は外部と連通し、増設した膨張機は外部と連通し、かつ動力を出力する。これで、連合サイクル蒸気動力装置を形成する。
【００６６】
61. 連合サイクル蒸気動力装置は、請求項の54〜55項目のいずれかの連合サイクル蒸気動力装置の中で、新たに膨張機、中温蒸発器、サイクルポンプを増設した。凝縮器と増設した冷凝液管路は増設したサイクルポンプを経由して増設した中温蒸発器と連通した後、増設した中温蒸発器と蒸気通路は増設した膨張機と連通し、増設した膨張機と蒸気通路は凝縮器と連通する。また、膨張機と蒸気通路は高温回熱器と中温蒸発器を経由して混合蒸発器と連通することを、膨張機と蒸気通路は高温回熱器と増設した中温蒸発器と中温蒸発器を経由して混合蒸発器と連通することに調整した。増設した中温蒸発器と熱源媒体通路は外部と連通し、増設した膨張機は外部と連通し、かつ動力を出力する。これで、連合サイクル蒸気動力装置を形成する。
【００６７】
62. 連合サイクル蒸気動力装置は、請求項の54〜55項目のいずれかの連合サイクル蒸気動力装置の中で、新たに膨張機、中温蒸発器、サイクルポンプと予熱器を増設した。凝縮器と増設した冷凝液管路は増設したサイクルポンプを経由して増設した予熱器と増設した中温蒸発器と連通した後、増設した中温蒸発器と蒸気通路は増設した膨張機と連通し、増設した膨張機と蒸気通路は凝縮器と連通する。また、膨張機と蒸気通路は高温回熱器と中温蒸発器を経由して混合蒸発器と連通することを、膨張機と蒸気通路は高温回熱器と増設した中温蒸発器と中温蒸発器を経由して混合蒸発器と連通することに調整した。増設した予熱器と熱源媒体通路は外部と連通し、増設した中温蒸発器と熱源媒体通路は外部と連通し、増設した膨張機は外部と連通し、かつ動力を出力する。これで、連合サイクル蒸気動力装置を形成する。
【００６８】
63. 連合サイクル蒸気動力装置は、請求項の54〜55項目のいずれかの連合サイクル蒸気動力装置の中で、新たに膨張機、中温蒸発器、サイクルポンプ、回熱器と第二サイクルポンプを増設した。凝縮器と増設した冷凝液管路は増設したサイクルポンプを経由して増設した回熱器と連通する。増設した膨張機或いは第三膨張機と蒸気を引く通路は増設した回熱器と連通する。増設した回熱器と冷凝液管路は増設した第二サイクルポンプを経由して増設した中温蒸発器と連通した後、増設した中温蒸発器と蒸気通路は増設した膨張機と連通し、増設した膨張機と蒸気通路は凝縮器と連通する。また、膨張機と蒸気通路は高温回熱器と中温蒸発器を経由して混合蒸発器と連通することを、膨張機と蒸気通路は高温回熱器と増設した中温蒸発器と中温蒸発器を経由して混合蒸発器と連通することに調整した。増設した中温蒸発器と熱源媒体通路は外部と連通し、増設した膨張機は外部と連通し、かつ動力を出力する。これで、連合サイクル蒸気動力装置を形成する。
【００６９】
64. 連合サイクル蒸気動力装置は、請求項の56項目目の連合サイクル蒸気動力装置の中で、新たに第二膨張機、中温蒸発器とサイクルポンプを増設した。凝縮器と増設した冷凝液管路は増設したサイクルポンプを経由して増設した中温蒸発器と連通した後、増設した中温蒸発器と蒸気通路は増設した第二膨張機と連通し、増設した第二膨張機と蒸気通路は凝縮器と連通する。また、膨張機と蒸気通路は中温蒸発器を経由して混合蒸発器と連通することを、膨張機と蒸気通路は増設した中温蒸発器と中温蒸発器を経由して混合蒸発器と連通することに調整した。増設した中温蒸発器と熱源媒体通路は外部と連通し、増設した膨張機は外部と連通し、かつ動力を出力する。これで、連合サイクル蒸気動力装置を形成する。
【００７０】
65. 連合サイクル蒸気動力装置は、請求項の56項目目の連合サイクル蒸気動力装置の中で、新たに第二膨張機、中温蒸発器、サイクルポンプと予熱器を増設した。凝縮器と増設した冷凝液管路は増設したサイクルポンプと増設した予熱器を経由して増設した中温蒸発器と連通した後、増設した中温蒸発器と蒸気通路は増設した第二膨張機と連通し、増設した第二膨張機と蒸気通路は凝縮器と連通する。また、膨張機と蒸気通路は中温蒸発器を経由して混合蒸発器と連通することを、膨張機と蒸気通路は増設した中温蒸発器と中温蒸発器を経由して混合蒸発器と連通することに調整した。増設した熱器と熱源媒体通路は外部と連通し、増設した中温蒸発器と熱源媒体通路は外部と連通し、増設した第二膨張機は外部と連通し、かつ動力を出力する。これで、連合サイクル蒸気動力装置を形成する。
【００７１】
66. 連合サイクル蒸気動力装置は、請求項の56項目目の連合サイクル蒸気動力装置の中で、新たに第二膨張機、中温蒸発器、サイクルポンプ、回熱器と第二サイクルポンプを増設した。凝縮器と増設した冷凝液管路は増設したサイクルポンプを経由して増設した回熱器と連通し、増設した第二膨張機或いは第三膨張機と蒸気を引く通路は増設した回熱器と連通する。増設した回熱器と冷凝液管路は増設した第二サイクルポンプを経由して増設した中温蒸発器と連通した後、増設した中温蒸発器と蒸気通路は増設した第二膨張機と連通し、増設した第二膨張機と蒸気通路は凝縮器と連通する。また、膨張機と蒸気通路は中温蒸発器を経由して混合蒸発器と連通することを、膨張機と蒸気通路は増設した中温蒸発器と中温蒸発器を経由して混合蒸発器と連通することに調整した。増設した中温蒸発器と熱源媒体通路は外部と連通し、増設した第二膨張機は外部と連通し、かつ動力を出力する。これで、連合サイクル蒸気動力装置を形成する。
【００７２】
67. 連合サイクル蒸気動力装置は、請求項の57項目目の連合サイクル蒸気動力装置の中で、新たに第二膨張機、中温蒸発器とサイクルポンプを増設した。凝縮器と増設した冷凝液管路は増設したサイクルポンプを経由して増設した中温蒸発器と連通した後、増設した中温蒸発器と蒸気通路は増設した第二膨張機と連通し、増設した第二膨張機と蒸気通路は凝縮器と連通する。また、膨張機と蒸気通路は高温回熱器と中温蒸発器を経由して混合蒸発器と連通することを、膨張機と蒸気通路は高温回熱器と増設した中温蒸発器と中温蒸発器を経由して混合蒸発器と連通することに調整した。増設した中温蒸発器または熱源媒体通路は外部と連通し、増設した第二膨張機は外部と連通し、かつ動力を出力する。これで、連合サイクル蒸気動力装置を形成する。
【００７３】
68. 連合サイクル蒸気動力装置は、請求項の57項目目の連合サイクル蒸気動力装置の中で、新たに第二膨張機、中温蒸発器、サイクルポンプと予熱器を増設した。凝縮器と増設した冷凝液管路は増設したサイクルポンプと増設した予熱器を経由して増設した中温蒸発器と連通した後、増設した中温蒸発器と蒸気通路は増設した第二膨張機と連通し、増設した第二膨張機と蒸気通路は凝縮器と連通する。また、膨張機と蒸気通路は高温回熱器と中温蒸発器を経由して混合蒸発器と連通することを、膨張機と蒸気通路は高温回熱器と増設した中温蒸発器と中温蒸発器を経由して混合蒸発器と連通することに調整した。増設した予熱器と熱源媒体通路は外部と連通し、増設した中温蒸発器と熱源媒体通路は外部と連通し、増設した第二膨張機は外部と連通し、かつ動力を出力する。これで、連合サイクル蒸気動力装置を形成する。
【００７４】
69. 連合サイクル蒸気動力装置は、請求項の57項目目の連合サイクル蒸気動力装置の中で、新たに第二膨張機、中温蒸発器、サイクルポンプ、回熱器と第二サイクルポンプを増設した。凝縮器と増設した冷凝液管路は増設したサイクルポンプを経由して増設した回熱器と連通し、増設した第二膨張機或いは第三膨張機と蒸気を引く通路は増設した回熱器と連通する。増設した回熱器と冷凝液管路は増設した第二サイクルポンプを経由して増設した中温蒸発器と連通した後、増設した中温蒸発器と蒸気通路は増設した第二膨張機と連通し、増設した第二膨張機と蒸気通路は凝縮器と連通する。また、膨張機と蒸気通路は高温回熱器と中温蒸発器を経由して混合蒸発器と連通することを、膨張機と蒸気通路は高温回熱器と増設した中温蒸発器と中温蒸発器を経由して混合蒸発器と連通することに調整した。増設した中温蒸発器と熱源媒体通路は外部と連通し、増設した第二膨張機は外部と連通し、かつ動力を出力する。これで、連合サイクル蒸気動力装置を形成する。
【００７５】
〔図面による説明〕
図1/25は、本発明によって提供されたシングル作業物質の蒸気連合サイクルの第1種のフローチャートである。
【００７６】
図2/25は、本発明によって提供されたシングル作業物質の蒸気連合サイクルの第2種のフローチャートである。
【００７７】
図3/25は、本発明によって提供された連合サイクル蒸気動力装置の第1種の原則的な熱力システム構成図である。
【００７８】
図4/25は、本発明によって提供された連合サイクル蒸気動力装置の第2種の原則的な熱力システム構成図である。
【００７９】
図5/25は、本発明によって提供された連合サイクル蒸気動力装置の第3種の原則的な熱力システム構成図である。
【００８０】
図6/25は、本発明によって提供された連合サイクル蒸気動力装置の第4種の原則的な熱力システム構成図である。
【００８１】
図7/25は、本発明によって提供された連合サイクル蒸気動力装置の第5種の原則的な熱力システム構成図である。
【００８２】
図8/25は、本発明によって提供された連合サイクル蒸気動力装置の第6種の原則的な熱力システム構成図である。
【００８３】
図9/25は、本発明によって提供された連合サイクル蒸気動力装置の第7種の原則的な熱力システム構成図である。
【００８４】
図10/25は、本発明によって提供された連合サイクル蒸気動力装置の第8種の原則的な熱力システム構成図である。
【００８５】
図11/25は、本発明によって提供された連合サイクル蒸気動力装置の第9種の原則的な熱力システム構成図である。
【００８６】
図12/25は、本発明によって提供された連合サイクル蒸気動力装置の第10種の原則的な熱力システム構成図である。
【００８７】
図13/25は、本発明によって提供された連合サイクル蒸気動力装置の第11種の原則的な熱力システム構成図である。
【００８８】
図14/25は、本発明によって提供された連合サイクル蒸気動力装置の第12種の原則的な熱力システム構成図である。
【００８９】
図15/25は、本発明によって提供された連合サイクル蒸気動力装置の第13種の原則的な熱力システム構成図である。
【００９０】
図16/25は、本発明によって提供された連合サイクル蒸気動力装置の第14種の原則的な熱力システム構成図である。
【００９１】
図17/25は、本発明によって提供された連合サイクル蒸気動力装置の第15種の原則的な熱力システム構成図である。
【００９２】
図18/25は、本発明によって提供された連合サイクル蒸気動力装置の第16種の原則的な熱力システム構成図である。
【００９３】
図19/25は、本発明によって提供された連合サイクル蒸気動力装置の第17種の原則的な熱力システム構成図である。
【００９４】
図20/25は、本発明によって提供された連合サイクル蒸気動力装置の第18種の原則的な熱力システム構成図である。
【００９５】
図21/25は、本発明によって提供された連合サイクル蒸気動力装置の第19種の原則的な熱力システム構成図である。
【００９６】
図22/25は、本発明によって提供された連合サイクル蒸気動力装置の第20種の原則的な熱力システム構成図である。
【００９７】
図23/25は、本発明によって提供された連合サイクル蒸気動力装置の第21種の原則的な熱力システム構成図である。
【００９８】
図24/25は、本発明によって提供された連合サイクル蒸気動力装置の第22種の原則的な熱力システム構成図である。
【００９９】
図25/25は、本発明によって提供された連合サイクル蒸気動力装置の第23種の原則的な熱力システム構成図である。
【０１００】
図の中に、1-圧縮機、2-膨張機、3-第二膨張機、4-サイクルポンプ、5-高温熱交換器、6-凝縮器、7-混合蒸発器、8-回熱器、9-第二サイクルポンプ、10-予熱器、11-高温回熱器、12-第三膨張機、13-中温蒸発器、14-第三サイクルポンプ、15-第二回熱器、16-第四サイクルポンプ、17-第二予熱器、18-第二凝縮器、19-中間再熱器；A-増設した圧縮機、B-増設した膨張機、C-増設した高温熱交換器、D-増設した中温蒸発器、E-増設したサイクルポンプ、F-増設した予熱器、G-増設した第二膨張機。
【０１０１】
〔具体的な実施手段〕
まず説明しなければならないのは、構造や流れの表現において必要ではない場合が繰り返さないこと、明らかに見える流れに対しては表現しません。以下の図と例に合わせて本発明を詳しく説明する。
【０１０２】
図1/25に示すT-s図の中にシングル作業物質の蒸気連合サイクルの流れの例示は、それぞれ以下のようなものである。
【０１０３】
（1）例示１は、m1キログラム作業物質とm2キログラム作業物質によってそれぞれ行われた熱力サイクルおよび二者の間で行われた混合加熱プロセスで構成されている。その中で、m1キログラム作業物質は以下の順序で行われる。液状で低温からの昇圧プロセス1-2、m2キログラム作業物質と混合して行われた吸熱昇温と蒸気化するプロセス2-3、降圧をワークするプロセス3-7、冷源に熱を放出して凝縮するプロセス7-1、サイクル1-2-3-7-1を形成する。m2キログラム作業物質は以下の順序で行われる。昇圧プロセス3-4、熱源から吸熱するプロセス4-5、降圧をワークするプロセス5-6、m1キログラム作業物質と混合して行われた放熱降温プロセス6-3、サイクル3-4-5-6-3を形成する。
【０１０４】
また説明しなければならないのは例示１の中に、m1キログラム作業物質はm2キログラム作業物質と混合して行われた吸熱昇温と蒸気化するプロセス2-3は同時に外部の熱源から吸熱する。m1キログラム作業物質が行われた熱力サイクル1-2-3-7-1のサイクルネットワークと、m2キログラム作業物質が行われた熱力サイクル3-4-5-6-3のサイクルネットワークは共同で動力を出力し作業機や発電機を動かす。
【０１０５】
（2）例示２は、m1キログラム作業物質とm2キログラム作業物質によってそれぞれ行われた熱力サイクルおよび二者の間で行われた混合加熱プロセスで構成されている。その中で、m1キログラム作業物質は以下の順序で行われる。液状で低温からの昇圧プロセス1-2、熱源から吸熱するプロセス2-a、m2キログラム作業物質と混合して行われた吸熱と蒸気化するプロセスa-3、降圧をワークするプロセス3-7、冷源に熱を放出して凝縮するプロセス7-1、サイクル1-2-a-3-7-1を形成する。m2キログラム作業物質は以下の順序で行われる。昇圧プロセス3-4、熱源から吸熱するプロセス4-5、降圧をワークするプロセス5-6、m1キログラム作業物質と混合して行われた放熱降温プロセス6-3、サイクル3-4-5-6-3を形成する。
【０１０６】
また説明しなければならないのは例示２の中に、m1キログラム作業物質はm2キログラム作業物質と混合して行われた吸熱と蒸気化するプロセスa-3は同時に外部の熱源から吸熱する。m1キログラム作業物質が行われた熱力サイクル1-2-a-3-7-1のサイクルネットワークと、m2キログラム作業物質が行われた熱力サイクル3-4-5-6-3のサイクルネットワークは共同で動力を出力し作業機や発電機を動かす。
【０１０７】
（3）例示３は、m1キログラム作業物質とm2キログラム作業物質によってそれぞれ行われた熱力サイクルおよび二者の間で行われた混合加熱プロセスで構成されている。その中で、m1キログラム作業物質は以下の順序で行われる。液状で(m1-mc)キログラムは低温からの昇圧プロセス1-2、(m1-mc)キログラムとmcキログラムと混合して行われる蒸気を引くプロセス2-b、m1キログラムが昇圧するプロセスb-c、m1キログラム作業物質はm2キログラム作業物質と混合して吸熱し昇温と蒸気化が行われるプロセスc-3、m1キログラムが降圧をワークするプロセス3-a、mcキログラム作業物質が二点状態の(m1-mc)キログラム作業物質と混合して行われる放熱し、凝縮プロセスa-b、(m1-mc)キログラム作業物質が降圧をワークするプロセスa-7、(m1-mc)キログラム作業物質が冷源に放出し、凝縮するプロセス7-1、蒸気を引く回熱サイクル（1-2-b-c-3-7-1+b-c-3-a-b）を形成する。m2キログラム作業物質は以下の順序で行われる。昇圧プロセス3-4、熱源から吸熱するプロセス4-5、降圧をワークするプロセス5-6、m1キログラム作業物質と混合して行われた放熱する降温プロセス6-3、サイクル3-4-5-6-3を形成する。
【０１０８】
また説明しなければならないのは例示３の中に、m1キログラム作業物質はm2キログラム作業物質と混合して行われた吸熱と蒸気化するプロセスc-3は同時に外部の熱源から吸熱する。m1キログラム作業物質が行われた熱力サイクル（1-2-b-c-3-7-1+b-c-3-a-b）のサイクルネットワークと、m2キログラム作業物質が行われた熱力サイクル3-4-5-6-3のサイクルネットワークは共同で動力を出力し作業機や発電機を動かす。
（4）例示４は、例示１が示したシングル作業物質の蒸気連合サイクルの流れの中に、m2キログラム作業物質が熱源から吸熱するプロセス4-5を吸熱するプロセス4-eと熱源から吸熱するプロセスe-5に修正した。m2キログラム作業物質はm1キログラム作業物質と混合して行われた放熱する降温プロセス6-3を回熱の放熱する降温プロセス6-dと混合して放熱する降温プロセスd-3に修正した。また、プロセス6-dの放熱がプロセス4-eの吸熱に使われて、例示４が示したシングル作業物質の蒸気連合サイクルを形成する。
【０１０９】
図2/25に示すT-s図の中にシングル作業物質の蒸気連合サイクルの流れの例示は、それぞれ以下のようなものである。
【０１１０】
（1）例示１は、m1キログラム作業物質とm2キログラム作業物質とm3キログラム作業物質によってそれぞれ行われた熱力サイクルと、m1キログラム作業物質とm3キログラム作業物質の間で行われた熱交換プロセスで構成されている。その中で、m1キログラム作業物質は以下の順序で行われる。液状で低温からの昇圧プロセス1-2、m3キログラム作業物質と混合して行われた吸熱昇温と蒸気化するプロセス2-3、降圧をワークするプロセス3-7、冷源に熱を放出して凝縮するプロセス7-1、サイクル1-2-3-7-1を形成する。m2キログラム作業物質は以下の順序で行われる。液状で低温からの昇圧プロセス1-a、m3キログラム作業物質が放熱するプロセス6-bより提供された熱負荷を吸収して行われる昇温と蒸気化するプロセスa-8、降圧をワークするプロセス8-9、冷源に熱を放出して凝縮するプロセス9-1、サイクル1-a-8-9-1を形成する。m3キログラム作業物質は以下の順序で行われる。昇圧プロセス3-4、熱源から吸熱するプロセス4-5、降圧をワークするプロセス5-6、m2キログラム作業物質に放熱するプロセス6-b、m1キログラム作業物質と混合して行われる放熱降温プロセスb-3、サイクル3-4-5-6-b-3を形成する。
【０１１１】
また説明しなければならないのは例示１の中に、m1キログラム作業物質はm3キログラム作業物質と混合して行われた吸熱昇温と蒸気化するプロセス2-3は同時に外部の熱源から吸熱することができる。m2キログラム作業物質はm3キログラム作業物質が放熱するプロセス6-bより提供された熱負荷を吸収して行われる昇温と蒸気化するプロセスa-8は同時に外部の熱源から吸熱することができる。m1キログラム作業物質が行われた熱力サイクル1-2-3-7-1のサイクルネットワークと、m2キログラム作業物質が行われた熱力サイクル1-a-8-9-1のサイクルネットワーク及びm3キログラム作業物質が行われた熱力サイクル3-4-5-6-b-3のサイクルネットワークは共同で動力を出力し作業機や発電機を動かす。
【０１１２】
（2）例示２は、m1キログラム作業物質とm2キログラム作業物質とm3キログラム作業物質によってそれぞれ行われた熱力サイクルと、m1キログラム作業物質とm3キログラム作業物質の間で行われた熱交換プロセスで構成されている。その中で、m1キログラム作業物質は以下の順序で行われる。液状で低温からの昇圧プロセス1-2、外部の熱源から吸熱するプロセス2-c、m3キログラム作業物質と混合する或いは外部熱源から吸熱で行われる吸熱と蒸気化するプロセスc-3、降圧をワークするプロセス3-7、冷源に熱を放出して凝縮するプロセス7-1、サイクル1-2-c-3-7-1を形成する。m2キログラム作業物質は以下の順序で行われる。液状で低温からの昇圧プロセス1-a、m3キログラム作業物質が放熱するプロセス6-bより提供された熱負荷を吸収して行われる昇温と蒸気化するプロセスa-8、降圧をワークするプロセス8-9、冷源に熱を放出して凝縮するプロセス9-1、サイクル1-a-8-9-1を形成する。m3キログラム作業物質は以下の順序で行われる。昇圧プロセス3-4、熱源から吸熱するプロセス4-5、降圧をワークするプロセス5-6、m2キログラム作業物質に放熱し降温するプロセス6-b、m1キログラム作業物質と混合して行われる放熱と降温プロセスb-3、サイクル3-4-5-6-b-3を形成する。
【０１１３】
また説明しなければならないのは例示２の中に、m1キログラム作業物質はm3キログラム作業物質と混合して行われた吸熱と蒸気化するプロセスc-3は同時に外部の熱源から吸熱することができる。m2キログラム作業物質はm3キログラム作業物質が放熱するプロセス6-bより提供された熱負荷を吸収して行われる昇温と蒸気化するプロセスa-8は同時に外部の熱源から吸熱することができる。m1キログラム作業物質が行われた熱力サイクル1-2-c-3-7-1のサイクルネットワークと、m2キログラム作業物質が行われた熱力サイクル1-a-8-9-1のサイクルネットワーク及びm3キログラム作業物質が行われた熱力サイクル3-4-5-6-b-3のサイクルネットワークは共同で動力を出力し作業機や発電機を動かす。
【０１１４】
（3）例示３は、m1キログラム作業物質とm2キログラム作業物質とm3キログラム作業物質によってそれぞれ行われた熱力サイクルと、m1キログラム作業物質とm3キログラム作業物質の間で行われた熱交換プロセスで構成されている。その中で、液状で(m1-mc)キログラムは低温からの昇圧プロセス1-2、(m1-mc)キログラムとmcキログラムと混合して行われる蒸気を引くプロセス2-e、m1キログラムが昇圧するプロセスe-f、m1キログラム作業物質はm3キログラム作業物質と混合して吸熱し昇温と蒸気化が行われるプロセスf-3、m1キログラムが降圧をワークするプロセス3-d、mcキログラム作業物質が二点状態の(m1-mc)キログラム作業物質と混合して行われる放熱し、凝縮プロセスd-e、(m1-mc)キログラム作業物質が降圧をワークするプロセスd-7、(m1-mc)キログラム作業物質が冷源に放出し、凝縮するプロセス7-1、蒸気を引く回熱サイクル（1-2-e-f-3-7-1+e-f-3-d-e）を形成する。m2キログラム作業物質は以下の順序で行われる。液状で低温からの昇圧プロセス1-a、m3キログラム作業物質が放熱するプロセス6-bより提供された熱負荷を吸収して行われる昇温と蒸気化するプロセスa-8、降圧をワークするプロセス8-9、冷源に熱を放出して凝縮するプロセス9-1、サイクル1-a-8-9-1を形成する。m3キログラム作業物質は以下の順序で行われる。昇圧プロセス3-4、熱源から吸熱するプロセス4-5、降圧をワークするプロセス5-6、m2キログラム作業物質に放熱し降温するプロセス6-b、m1キログラム作業物質と混合して行われる放熱と降温プロセスb-3、サイクル3-4-5-6-b-3を形成する。
【０１１５】
また説明しなければならないのは例示３の中に、m1キログラム作業物質はm3キログラム作業物質と混合して行われた吸熱昇温と蒸気化するプロセスf-3は同時に外部の熱源から吸熱することができる。m2キログラム作業物質はm3キログラム作業物質が放熱するプロセス6-bより提供された熱負荷を吸収して行われる昇温と蒸気化するプロセスa-8は同時に外部の熱源から吸熱することができる。m1キログラム作業物質が行われた熱力サイクル（1-2-e-f-3-7-1+e-f-3-d-e）のサイクルネットワークと、m2キログラム作業物質が行われた熱力サイクル1-a-8-9-1のサイクルネットワーク及びm3キログラム作業物質が行われた熱力サイクル3-4-5-6-b-3のサイクルネットワークは共同で動力を出力し作業機や発電機を動かす。
【０１１６】
（4）例示４は、例示１が示したシングル作業物質の蒸気連合サイクルの流れの中に、m3キログラム作業物質が熱源から吸熱するプロセス4-5を吸熱するプロセス4-kと熱源から吸熱するプロセスk-5に修正した。m3キログラム作業物質がm2キログラム作業物質に放熱する降温プロセス6-bを吸熱プロセス4kの熱需要を満たす放熱する降温プロセス6-jとm2キログラム作業物質に熱負荷を提供する放熱する降温プロセスj-bに修正し、例示４が示したシングル作業物質の蒸気連合サイクルを形成する。
【０１１７】
図3/25に示す連合サイクル蒸気動力装置は以下のように実現した。
【０１１８】
（1）構造上には、主に圧縮機、膨張機、第二膨張機、サイクルポンプ、高温熱交換器、凝縮器と混合蒸発器によって構成されている。凝縮器6と凝縮液管路はサイクルポンプ4を経由して混合蒸発器7と連通し、膨張機2と蒸気通路は混合蒸発器7と連通し、混合蒸発器7と蒸気通路はそれぞれ圧縮機1と第二膨張機3と連通し、圧縮機1と蒸気通路は高温熱交熱器5を経由して膨張機2と連通し、第二膨張機3と蒸気通路は凝縮器6と連通する。高温熱交熱器5と熱源媒体通路は外部と連通し、凝縮器6と冷却媒体通路は外部と連通し、混合蒸発器7と熱源媒体管路は外部と連通し、膨張機2は圧縮機1と連通し、かつ動力を出力する。膨張機2と第二膨張機3は外部と連通し、かつ動力を出力する。
【０１１９】
（2）流れ的には、凝縮器6の凝縮液はサイクルポンプ4を経由し昇圧して混合蒸発器7に入って、膨張機2からの高温蒸気と混合し、外部熱源から提供された熱負荷を吸収した後に蒸気化する。混合蒸発器7が発生した蒸気はそれぞれ圧縮機1に入って昇圧と昇温する、第二膨張機3に入って降圧をワークする。圧縮機1が排出した蒸気は高温交換器5を経由してかつ吸熱し、膨張機2を経由して降圧をワークした後に混合蒸発器7に入って放熱して温度を下がる。第二膨張機3が排出した蒸気は凝縮器6に入って、冷却媒体に放熱し凝縮する。熱源媒体は高温熱交換器5を通して混合蒸発器7と駆動する熱負荷を提供し、冷却媒体は凝縮器6を通して低温の熱負荷を持ち去る。膨張機2が出力する一部のワークは圧縮機1に動力として提供され、膨張機2と第二膨張機3は共同で外部に動力を提供する（例え工作機または発電機を動かす）、連合サイクル蒸気動力装置を形成する。
【０１２０】
図4/25に示す連合サイクル蒸気動力装置は以下のように実現した。
【０１２１】
（1）構造上には、主に圧縮機、膨張機、第二膨張機、サイクルポンプ、高温熱交換器、凝縮器、混合蒸発器、回熱機と第二サイクルポンプによって構成されている。
凝縮器6と凝縮液管路はサイクルポンプ4を経由して回熱器8と連通し、第二膨張機3と蒸気を引く通路は回熱器8と連通し、回熱器8と冷凝液管路は第二サイクルポンプ9を経由し混合蒸発器7と連通し、膨張機2と蒸気通路は混合蒸発器7と連通し、混合蒸発器7と蒸気通路はそれぞれ圧縮機1と第二膨張機3と連通し、圧縮機1と蒸気通路は高温熱交熱器5を経由して膨張機2と連通し、第二膨張機3と蒸気通路は凝縮器6と連通する。高温熱交熱器5と熱源媒体通路は外部と連通し、凝縮器6と冷却媒体通路は外部と連通し、混合蒸発器（7）と熱源媒体管路は外部と連通し、膨張機2は圧縮機1と連通し、かつ動力を出力する。膨張機2と第二膨張機3は外部と連通し、かつ動力を出力する。
【０１２２】
（2）流れ的には、凝縮器6の凝縮液はサイクルポンプ4を経由し昇圧して回熱器8に入って、第二膨張機3から蒸気を引き回熱器8に入って放熱かつ凝縮する。回熱器8の凝縮液は第二サイクルポンプ9を経由して昇圧し混合蒸発器7に入る。それに、膨張機2からの高温蒸気と混合し、外部熱源から提供された熱負荷を吸収した後に蒸気化する。混合蒸発器7が発生した蒸気は二つのルートに分けている。一部は圧縮機1に提供され、一部は第二膨張機3に提供される。一つ目ルートの蒸気は圧縮機1に経由して昇圧と昇温し、そして高温交換器5を経由してかつ吸熱し、膨張機2を経由して降圧をワークした後に混合蒸発器7に入って放熱して温度を下がる。二つ目ルートの蒸気は第二膨張機3に入って部分のワークをした後、また二つのルートに分ける。一部の蒸気は回熱器8に入って、一部の蒸気は降圧し続き、その後凝縮器6に放熱し凝縮する。熱源媒体は高温熱交換器5を通して混合蒸発器7と駆動する熱負荷を提供し、冷却媒体は凝縮器6を通して低温の熱負荷を持ち去る。膨張機2が出力する一部のワークは圧縮機1に動力として提供され、膨張機2と第二膨張機3は共同で外部に動力を提供する、連合サイクル蒸気動力装置を形成する。
【０１２３】
図5/25に示す連合サイクル蒸気動力装置は以下のように実現した。
【０１２４】
（1）構造上には、主に圧縮機、膨張機、第二膨張機、サイクルポンプ、高温熱交換器、凝縮器、混合蒸発器と予熱器によって構成されている。凝縮器6と凝縮液管路はサイクルポンプ4と予熱器10を経由して混合蒸発器7と連通し、膨張機2と蒸気通路は混合蒸発器7と連通し、混合蒸発器7と蒸気通路はそれぞれ圧縮機1と第二膨張機3と連通し、圧縮機1と蒸気通路は高温熱交熱器5を経由して膨張機2と連通し、第二膨張機3と蒸気通路は凝縮器6と連通する。高温熱交熱器5と熱源媒体通路は外部と連通し、凝縮器6と冷却媒体通路は外部と連通し、混合蒸発器7と熱源媒体管路は外部と連通し、予熱器10と熱源媒体管路は外部と連通し、膨張機2は圧縮機1と連通し、かつ動力を出力する。膨張機2と第二膨張機3は外部と連通し、かつ動力を出力する。
【０１２５】
（2）流れ的には、凝縮器6の凝縮液はサイクルポンプ4を経由し昇圧し、予熱器10を経由して吸熱し昇温する、その後混合蒸発器7に入る。膨張機2が排出した高温蒸気は混合蒸発器7に入って凝縮液と混合し放熱する。外部の熱源媒体は凝縮液に熱負荷を提供し、凝縮液が吸熱して蒸気化する。混合蒸発器7が発生した蒸気はそれぞれ圧縮機1に入って昇圧と昇温する、第二膨張機3に入って降圧をワークする。圧縮機1が排出した蒸気は高温交換器5を経由してかつ吸熱し、膨張機2を経由して降圧をワークした後に混合蒸発器7に入って放熱して温度を下がる。第二膨張機3が排出した蒸気は凝縮器6に入って、冷却媒体に放熱し凝縮する。熱源媒体は高温熱交換器5を通して混合蒸発器7と予熱器10に駆動する熱負荷を提供し、冷却媒体は凝縮器6を通して低温の熱負荷を持ち去る。膨張機2が出力する一部のワークは圧縮機1に動力として提供され、膨張機2と第二膨張機3は共同で外部に動力を提供する、連合サイクル蒸気動力装置を形成する。
【０１２６】
図6/25に示す連合サイクル蒸気動力装置は以下のように実現した。
【０１２７】
（1）構造上には、図5/25に示す連合サイクル蒸気動力装置の中に、新たに圧縮機と高温熱交換器を増設した。圧縮機1と蒸気通路は高温熱交換器5を経由して膨張機2と連通することを、圧縮機1と蒸気通路は高温熱交換器5を経由して増設した圧縮機Aと連通して、増設した圧縮機Aと蒸気通路は増設した高温熱交換器Cを経由して膨張機2と連通して、増設した高温熱交換器Cと熱源媒体通路は外部と連通することに調整した。膨張機2は増設した圧縮機Aと連通し、かつ動力を出力する。
【０１２８】
（2）流れ的には、図5/25に示す連合サイクル蒸気動力装置と比べ、違うところは以下のようである。圧縮機1が排出した蒸気は高温熱交換器5を経由して吸熱した後増設した圧縮機Aに入って昇圧と昇温する。増設した圧縮機Aが排出した蒸気は増設した高温熱交換器Cを経由して吸熱した後膨張機2に入って降圧をワークする。膨張機2は増設した圧縮機Aに動力を提供し、熱源媒体はそれぞれ高温熱交換器5と増設した高温熱交換器Cと混合蒸発器7と予熱器10を通して駆動する熱負荷を提供する、連合サイクル蒸気動力装置を形成する。
【０１２９】
図7/25に示す連合サイクル蒸気動力装置は以下のように実現した。
【０１３０】
（1）構造上には、図5/25に示す連合サイクル蒸気動力装置の中に、新たに膨張機と高温熱交換器を増設した。圧縮機1と蒸気通路は高温熱交換器5を経由して膨張機2と連通することを、圧縮機1と蒸気通路は高温熱交換器5を経由して増設した膨張機Bと連通することに調整した。増設した膨張機Bと蒸気通路は増設した高温熱交換器Cを経由して膨張機2と連通して、増設した高温熱交換器Cと熱源媒体通路は外部と連通する。増設した膨張機Bは圧縮機1と連通し、かつ動力を出力する。
【０１３１】
（2）流れ的には、図5/25に示す連合サイクル蒸気動力装置と比べ、違うところは以下のようである。圧縮機1が排出した蒸気は高温熱交換器5を経由して吸熱した後増設した増設した膨張機Bに入って降圧をワークする。増設した膨張機Bが排出した蒸気は増設した高温熱交換器Cを経由して吸熱した後膨張機2に入って降圧をワークする。増設した膨張機Bが出力するワークは圧縮機1に動力として提供する或いは外部に提供する。熱源媒体はそれぞれ高温熱交換器5と増設した高温熱交換器Cと混合蒸発器7と予熱器10を通して駆動する熱負荷を提供する、連合サイクル蒸気動力装置を形成する。
【０１３２】
図8/25に示す連合サイクル蒸気動力装置は以下のように実現した。
【０１３３】
（1）構造上には、図5/25に示す連合サイクル蒸気動力装置の中に、新たに高温回熱器を増設した。圧縮機1と蒸気通路は高温熱交換器5を経由して膨張機2と連通することを、圧縮機1と蒸気通路は高温回熱器11と高温熱交換器5を経由して膨張機2と連通することに調整した。膨張機2と蒸気通路は混合蒸発器7と連通することを膨張機2と蒸気通路は高温回熱器11を経由して混合蒸発器7と連通することに調整した。
【０１３４】
（2）流れ的には、図5/25に示す連合サイクル蒸気動力装置と比べ、違うところは以下のようである。圧縮機1が排出した蒸気は高温回熱器11と高温熱交換器5を経由して一歩一歩吸熱し昇温する。膨張機2が排出した蒸気は高温回熱器11を経由して放熱し降温した後混合蒸発器7に入って、連合サイクル蒸気動力装置を形成する。
【０１３５】
図9/25に示す連合サイクル蒸気動力装置は以下のように実現した。
【０１３６】
（1）構造上には、図5/25に示す連合サイクル蒸気動力装置の中に、新たに高温回熱器、圧縮機と高温熱交換器を増設した。圧縮機1と蒸気通路は高温熱交換器5を経由して膨張機2と連通することを、圧縮機1と蒸気通路は高温回熱器11と高温熱交換器5を経由して増設した圧縮機Aと連通することに調整した。増設した圧縮機Aと蒸気通路は増設した高温熱交換器Cを経由して膨張機2と連通する。また、膨張機2と蒸気通路は混合蒸発器7と連通することを、膨張機2と蒸気通路は高温回熱器11を経由して混合蒸発器7と連通することに調整した。増設した高温熱交換器Cと熱源媒体通路は外部と連通し、膨張機2は増設した圧縮機Aと連通し、かつ動力を出力する。
【０１３７】
（2）流れ的には、図5/25に示す連合サイクル蒸気動力装置と比べ、違うところは以下のようである。圧縮機1が排出した蒸気は高温回熱器11と高温熱交換器5を経由して一歩一歩吸熱し昇温した後増設した圧縮機Aに入って昇圧と昇温する。増設した圧縮機Aが排出した蒸気は増設した高温熱交換器Cを経由して吸熱した後膨張機2に入って降圧をワークする。膨張機2が排出した蒸気は高温回熱器11を経由して放熱し降温した後混合蒸発器7に入る。膨張機2は増設した圧縮機Aに動力を提供し、熱源媒体はそれぞれ高温熱交換器5と増設した高温熱交換器Cと混合蒸発器7と予熱器10を通して駆動する熱負荷を提供する、連合サイクル蒸気動力装置を形成する。
【０１３８】
図10/25に示す連合サイクル蒸気動力装置は以下のように実現した。
【０１３９】
（1）構造上には、主に圧縮機、膨張機、第二膨張機、サイクルポンプ、高温熱交換器、凝縮器、混合蒸発器、第三膨張機、第二サイクルポンプと中温蒸発器によって構成されている。凝縮器6と凝縮液管路はサイクルポンプ4を経由して混合蒸発器7と連通し、膨張機2と蒸気通路は中温蒸発器13を経由して混合蒸発器7と連通し、混合蒸発器7と蒸気通路はそれぞれ圧縮機1と第二膨張機3と連通し、圧縮機1と蒸気通路は高温熱交熱器5を経由して膨張機2と連通し、第二膨張機3と蒸気通路は凝縮器6と連通する。また、凝縮器6と凝縮液管路は第二サイクルポンプ9を経由して中温蒸発器13連通後、中温蒸発器13と蒸気通路は第三膨張機12と連通し、第三膨張機12と蒸気通路は凝縮器6と連通する。高温熱交熱器5と熱源媒体通路は外部と連通し、凝縮器6と冷却媒体通路は外部と連通し、膨張機2は圧縮機1と連通し、かつ動力を出力する。膨張機2と第二膨張機3と第三膨張機12は外部と連通し、かつ動力を出力する。
【０１４０】
（2）流れ的には、圧縮機1が排出した蒸気は高温熱交換器5を経由して吸熱し、その後膨張機2に入って降圧をワークする。膨張機２が排出した蒸気は中温蒸発器13を経由して放熱し降温した後、混合蒸発器７に入って凝縮器6からの冷凝縮液と混合し、放熱かつ降温する。凝縮器6の冷凝縮液は二つのルートに分けている。一部はサイクルポンプ4を経由して加圧し混合蒸発器7に入る。もう一部は第二サイクルポンプ9を経由して加圧し中温蒸発器13に入って吸熱しかつ蒸気化する。混合蒸発器7が発生した蒸気はそれぞれ圧縮機1に入って昇圧と昇温し、そして第二膨張機3に入って降圧をワークする。第二膨張機3が排出した蒸気は凝縮器6に入って放熱かつ凝縮する。中温蒸発器13が発生した蒸気は第三膨張機12を経由して降圧をワークし、その後凝縮器６に入って放熱かつ凝縮する。熱源媒体は高温熱交換器5を通して駆動する熱負荷を提供し、冷却媒体は凝縮器6を通して低温の熱負荷を持ち去る。膨張機2が出力する一部のワークは圧縮機1に動力として提供され、膨張機2と第二膨張機3と第三膨張機12は共同で外部に動力を提供する（例え工作機または発電機を動かす）、連合サイクル蒸気動力装置を形成する。
【０１４１】
図11/25に示す連合サイクル蒸気動力装置は以下のように実現した。
【０１４２】
図10/25に示した連合サイクル蒸気動力装置の中に、混合蒸発器7と中温蒸発器13はそれぞれ熱源媒体通路を増加して外部と連通する。混合蒸発器7に入る冷凝縮液は蒸気と混合して吸熱するとともに外部の熱源媒体が提供した熱負荷を吸収し、中温蒸発器13に入った冷凝縮液は同時に蒸気と熱源媒体から提供した熱負荷を吸収して、連合サイクル蒸気動力装置を形成する。
【０１４３】
図12/25に示す連合サイクル蒸気動力装置は以下のように実現した。
【０１４４】
（1）構造上には、主に圧縮機、膨張機、第二膨張機、サイクルポンプ、高温熱交換器、凝縮器、混合蒸発器、第三膨張機、第二サイクルポンプ、中温蒸発器、回熱器と第三サイクルポンプによって構成されている。凝縮器6と凝縮液管路はサイクルポンプ4を経由して回熱器8と連通し、第二膨張機3と蒸気を引く通路は回熱器8と連通し、回熱器8と冷凝液管路は第二サイクルポンプ9を経由し混合蒸発器7と連通し、膨張機2と蒸気通路は中温蒸発器13を経由して混合蒸発器7と連通し、混合蒸発器7と蒸気通路はそれぞれ圧縮機1と第二膨張機3と連通し、圧縮機1と蒸気通路は高温熱交熱器5を経由して膨張機2と連通し、第二膨張機3と蒸気通路は凝縮器6と連通する。また、凝縮器6と凝縮液管路は第三サイクルポンプ14を経由して中温蒸発器13と連通した後、中温蒸発器13と蒸気通路は第三膨張機12と連通し、第三膨張機12と蒸気通路は凝縮器6と連通する。高温熱交熱器5と熱源媒体通路は外部と連通し、凝縮器6と冷却媒体通路は外部と連通し、中温蒸発器13と混合蒸発器7はそれぞれ熱源媒体管路で外部と連通し、膨張機2は圧縮機1と連通し、かつ動力を出力する。膨張機2と第二膨張機3と第三膨張機12は外部と連通し、かつ動力を出力する。
【０１４５】
（2）流れ的には、圧縮機1が排出した蒸気は高温熱交換器5を経由して吸熱し、その後膨張機2に入って降圧をワークする。膨張機２が排出した蒸気は中温蒸発器13を経由して放熱し降温した後、混合蒸発器７に入って回熱器8からの冷凝縮液と混合し、放熱かつ降温する。凝縮器6の冷凝縮液は二つのルートに分けている。一部はサイクルポンプ4を経由して加圧し回熱器8に入る。第二膨張機3が抽出した蒸気は回熱器8に入って放熱し凝縮する。回熱器8の凝縮液は第二サイクルポンプ9を経由して混合蒸発器７に入る。もう一部は第三サイクルポンプ14を経由して加圧し中温蒸発器13に入って吸熱しかつ蒸気化する。混合蒸発器7が発生した蒸気はそれぞれ二つのルートに分ける。一部は圧縮機1に入って昇圧と昇温し、一部は第二膨張機3に提供される。蒸気は第二膨張機3に入って部分的なワークをした後、二つのルートに分けている。一部の蒸気は回熱器8に入って、一部の蒸気は降圧し続き、その後凝縮器6に放熱し凝縮する。中温蒸発器13が発生した蒸気は第三膨張機12を経由して降圧をワークし、その後凝縮器６に入って放熱かつ凝縮する。熱源媒体は高温熱交換器5、中温蒸発器13と混合蒸発器７を通して駆動する熱負荷を提供し、冷却媒体は凝縮器6を通して低温の熱負荷を持ち去る。膨張機2が出力する一部のワークは圧縮機1に動力として提供され、膨張機2と第二膨張機3と第三膨張機12は共同で外部に動力を提供する、連合サイクル蒸気動力装置を形成する。
【０１４６】
図13/25に示す連合サイクル蒸気動力装置は以下のように実現した。
【０１４７】
（1）構造上には、主に圧縮機、膨張機、第二膨張機、サイクルポンプ、高温熱交換器、凝縮器、混合蒸発器、回熱器、第二サイクルポンプ、中温蒸発器、第三サイクルポンプ、第二回熱器と第四サイクルポンプによって構成されている。凝縮器6と凝縮液管路はサイクルポンプ4を経由して回熱器8と連通し、第二膨張機3と蒸気を引く通路は回熱器8と連通し、回熱器8と冷凝液管路は第二サイクルポンプ9を経由し混合蒸発器7と連通し、膨張機2と蒸気通路は中温蒸発器13を経由して混合蒸発器7と連通し、混合蒸発器7と蒸気通路はそれぞれ圧縮機1と第二膨張機3と連通し、圧縮機1と蒸気通路は高温熱交熱器5を経由して膨張機2と連通し、第二膨張機3と蒸気通路は凝縮器6と連通する。また、凝縮器6と凝縮液管路は第三サイクルポンプ14を経由して第二回熱器15と連通し、第三膨張機12と蒸気を抽出する通路は第二回熱器15と連通する。第二回熱器15と冷凝縮液管路は第四サイクルポンプ16を経由して中温蒸発器13と連通した後、中温蒸発器13と蒸気通路は第三膨張機12と連通し、第三膨張機12と蒸気通路は凝縮器6と連通する。高温熱交熱器5と熱源媒体通路は外部と連通し、凝縮器6と冷却媒体通路は外部と連通し、中温蒸発器13と混合蒸発器7はそれぞれ熱源媒体管路で外部と連通し、膨張機2は圧縮機1と連通し、かつ動力を出力する。膨張機2と第二膨張機3と第三膨張機12は外部と連通し、かつ動力を出力する。
【０１４８】
（2）流れ的には、圧縮機1が排出した蒸気は高温熱交換器5を経由して吸熱し、その後膨張機2に入って降圧をワークする。膨張機２が排出した蒸気は中温蒸発器13を経由して放熱し降温した後、混合蒸発器７に入って回熱器8からの凝縮液と混合し、放熱かつ降温する。凝縮器6の冷凝縮液は二つのルートに分けている。一部はサイクルポンプ4を経由して加圧し回熱器8に入る。第二膨張機3が抽出した蒸気は回熱器8に入って放熱し凝縮する。回熱器8の凝縮液は第二サイクルポンプ9を経由して混合蒸発器７に入る。もう一部は第三サイクルポンプ14を経由して加圧し第二回熱器15に入る。第三膨張機12が抽出した蒸気は第二回熱器15に入って放熱し凝縮する。第二回熱器15の凝縮液は第四サイクルポンプ16を経由して加圧した後中温蒸発器13に入って吸熱し、蒸気化する。混合蒸発器7が発生した蒸気はそれぞれ二つのルートに分ける。一部は圧縮機1に入って昇圧と昇温し、一部は第二膨張機3に提供される。蒸気は第二膨張機3に入って部分的なワークをした後、二つのルートに分けている。一部の蒸気は回熱器8に入って、一部の蒸気は降圧し続き、その後凝縮器6に放熱し凝縮する。中温蒸発器13が発生した蒸気は第三膨張機12を経由して降圧をワークした後、また二つのルートに分ける。一部は第二回熱器15に入り、一部は降圧をワークした後凝縮器6に放熱し凝縮する。熱源媒体は高温熱交換器5、中温蒸発器13と混合蒸発器７を通して駆動する熱負荷を提供し、冷却媒体は凝縮器6を通して低温の熱負荷を持ち去る。膨張機2が出力する一部のワークは圧縮機1に動力として提供され、膨張機2と第二膨張機3と第三膨張機12は共同で外部に動力を提供する、連合サイクル蒸気動力装置を形成する。
【０１４９】
図14/25に示す連合サイクル蒸気動力装置は以下のように実現した。
【０１５０】
（1）構造上には、主に圧縮機、膨張機、第二膨張機、サイクルポンプ、高温熱交換器、凝縮器、混合蒸発器、第二サイクルポンプ、予熱器、第三膨張機、中温蒸発器と第二予熱器によって構成されている。凝縮器6と凝縮液管路はサイクルポンプ4と予熱器10を経由してと混合蒸発器7と連通し、膨張機2と蒸気通路は中温蒸発器13を経由して混合蒸発器7と連通し、混合蒸発器7と蒸気通路はそれぞれ圧縮機1と第二膨張機3と連通し、圧縮機1と蒸気通路は高温熱交熱器5を経由して膨張機2と連通する。第二膨張機3と蒸気通路は凝縮器6と連通する。また、凝縮器6と凝縮液管路は第二サイクルポンプ9と第二予熱器17を経由して中温蒸発器13と連通した後、中温蒸発器13と蒸気通路は第三膨張機12と連通し、第三膨張機12と蒸気通路は凝縮器6と連通する。高温熱交熱器5と熱源媒体通路は外部と連通し、凝縮器6と冷却媒体通路は外部と連通し、中温蒸発器13と混合蒸発器7はそれぞれ熱源媒体管路で外部と連通し、予熱器10と第二予熱器17はそれぞれ熱源媒体管路で外部と連通し、膨張機2は圧縮機1と連通し、かつ動力を出力する。膨張機2と第二膨張機3と第三膨張機12は外部と連通し、かつ動力を出力する。
【０１５１】
（2）流れ的には、圧縮機1が排出した蒸気は高温熱交換器5を経由して吸熱し、その後膨張機2に入って降圧をワークする。膨張機２が排出した蒸気は中温蒸発器13を経由して放熱し降温した後、混合蒸発器７に入って予熱器10からの凝縮液と混合し、放熱かつ降温する。凝縮器6の凝縮液は二つのルートに分けている。一部はサイクルポンプ4を経由して加圧し予熱器10を経由して吸熱と昇温した後混合蒸発器7に入る。もう一部は第二サイクルポンプ９を経由して加圧し、第二予熱器17を経由して吸熱と昇温した後中温蒸発器13に入って吸熱し蒸気化する。混合蒸発器7が発生した蒸気はそれぞれ圧縮機1に入って昇圧と昇温し、第二膨張機3に入って降圧をワークする。第二膨張機3が排出した蒸気は凝縮器６に入って放熱し凝縮する。中温蒸発器13が発生した蒸気は第三膨張機12を経由して降圧をワークした後、凝縮器6に入って放熱し凝縮する。熱源媒体は高温熱交換器5、中温蒸発器13、混合蒸発器７、予熱器10と第二予熱機17を通して駆動する熱負荷を提供し、冷却媒体は凝縮器6を通して低温の熱負荷を持ち去る。膨張機2が出力する一部のワークは圧縮機1に動力として提供され、膨張機2と第二膨張機3と第三膨張機12は共同で外部に動力を提供する（例え工作機または発電機を動かす）、連合サイクル蒸気動力装置を形成する。
【０１５２】
図15/25に示す連合サイクル蒸気動力装置は以下のように実現した。
【０１５３】
（1）構造上には、主に圧縮機、膨張機、第二膨張機、サイクルポンプ、高温熱交換器、凝縮器、混合蒸発器、第二サイクルポンプ、予熱器、中温蒸発器と第二予熱器によって構成されている。凝縮器6と凝縮液管路はサイクルポンプ4と予熱器10を経由してと混合蒸発器7と連通し、膨張機2と蒸気通路は中温蒸発器13を経由して混合蒸発器7と連通し、混合蒸発器7と蒸気通路は圧縮機1と連通し、混合蒸発器7と中間入気通路は第二膨張機3と連通し、圧縮機1と蒸気通路は高温熱交熱器5を経由して膨張機2と連通する。また、凝縮器6と凝縮液管路は第二サイクルポンプ9と第二予熱器17を経由して中温蒸発器13と連通した後、中温蒸発器13と蒸気通路は第二膨張機3と連通し、第二膨張機3と蒸気通路は凝縮器6と連通する。高温熱交熱器5と熱源媒体通路は外部と連通し、凝縮器6と冷却媒体通路は外部と連通し、中温蒸発器13と混合蒸発器7はそれぞれ熱源媒体管路で外部と連通し、予熱器10と第二予熱器17はそれぞれ熱源媒体管路で外部と連通し、膨張機2は圧縮機1と連通し、かつ動力を出力する。膨張機2と第二膨張機3は外部と連通し、かつ動力を出力する。
【０１５４】
（2）流れ的には、圧縮機1が排出した蒸気は高温熱交換器5を経由して吸熱し、その後膨張機2に入って降圧をワークする。膨張機２が排出した蒸気は中温蒸発器13を経由して放熱し降温した後、混合蒸発器７に入って予熱器10からの凝縮液と混合し、放熱かつ降温する。凝縮器6の凝縮液は二つのルートに分けている。一部はサイクルポンプ4を経由して加圧し予熱器10を経由して吸熱と昇温した後混合蒸発器7に入る。もう一部は第二サイクルポンプ９を経由して加圧し、第二予熱器17を経由して吸熱と昇温した後中温蒸発器13に入って吸熱し蒸気化する。混合蒸発器7が発生した蒸気はそれぞれ圧縮機1に入って昇圧と昇温することと、中間入気通路を通して第二膨張機3に入って降圧をワークする。中温蒸発器13が発生した蒸気は第二膨張機3に入って降圧をワークする。第二膨張器3が排出した蒸気は凝縮器6に入って放熱し凝縮する。熱源媒体は高温熱交換器5、中温蒸発器13、混合蒸発器７、予熱器10と第二予熱機17を通して駆動する熱負荷を提供し、冷却媒体は凝縮器6を通して低温の熱負荷を持ち去る。膨張機2が出力する一部のワークは圧縮機1に動力として提供され、膨張機2と第二膨張機3は共同で外部に動力を提供する（例え工作機または発電機を動かす）、連合サイクル蒸気動力装置を形成する。
【０１５５】
図16/25に示す連合サイクル蒸気動力装置は以下のように実現した。
【０１５６】
図11/25に示した連合サイクル蒸気動力装置の中に、中間再熱器を増設した。中温蒸発器13と蒸気通路は第三膨張機12と連通し、第三膨張機12と蒸気通路は凝縮器6と連通することを、中温蒸発器13と蒸気通路は第三膨張機12と連通し、第三膨張機12と中間再熱蒸気通路は中間再熱器19を経由して第三膨張機12と連通し、第三膨張機12と蒸気通路は凝縮器6と連通することに調整した。中間再熱器19と熱源媒体通路は外部と連通する。中温蒸発器13が排出した蒸気は第三膨張機12に入って一定の中間圧力まで降圧をワークした後、中間再熱蒸気通路を経由して中間再熱器19に入って吸熱し昇温する。その後中間再熱蒸気通路を経由して第三膨張機12に入って降圧をワークし続き、凝縮器10に入って放熱し凝縮する。連合サイクル蒸気動力装置を形成する。
【０１５７】
図17/25に示す連合サイクル蒸気動力装置は以下のように実現した。
【０１５８】
図14/25に示した連合サイクル蒸気動力装置の中に、第三膨張機12と蒸気通路は凝縮器6と連通することを第三膨張機12と蒸気通路は第二膨張機3と連通することに調整した。第三膨張機12に入った蒸気は部分的な降圧をワークし、第二膨張機3に入って降圧をワークし続き、その後凝縮器6に入って放熱し凝縮する。連合サイクル蒸気動力装置を形成する。
【０１５９】
図18/25に示す連合サイクル蒸気動力装置は以下のように実現した。
【０１６０】
（1）構造上には、図14/25に示した連合サイクル蒸気動力装置の中に、第二凝縮器を増設した。第三膨張機12と蒸気通路は凝縮器6と連通することを第三膨張機12と蒸気通路は第二凝縮器18と連通することに調整した。凝縮器6と凝縮液管路は第二サイクルポンプ9と第二予熱器17を経由して中温蒸発器13と連通することを、第二凝縮器18と凝縮液管路は第二サイクルポンプ9と第二予熱器17を経由して中温蒸発器13と連通することに調整した。第二凝縮器18と冷却媒体通路は外部と蓮痛する。
【０１６１】
（2）流れ的には、図14/25に示した連合サイクル蒸気動力装置と比べて、違うところは以下のようです。第三膨張機12が排出した蒸気は第二凝縮器18に入って冷却媒体に放熱し凝縮する。第二凝縮器18の凝縮液は第二サイクルポンプ9を経由して昇圧し、第二予熱器17を経由して吸熱し昇温しする。中温蒸発器13を経由して吸熱し蒸気化した後第三膨張機12を経由して降圧をワークし、連合サイクル蒸気動力装置を形成する。
【０１６２】
図19/25に示す連合サイクル蒸気動力装置は以下のように実現した。
【０１６３】
（1）構造上には、図14/25に示した連合サイクル蒸気動力装置の中に、凝縮器6と凝縮液管路はサイクルポンプ4と予熱器10を経由してと混合蒸発器7と連通することと凝縮器6と凝縮液管路は第二サイクルポンプ9と第二予熱器17を経由して中温蒸発器13と連通することを、凝縮器6と凝縮液管路はサイクルポンプ4と予熱器10を経由した後に二つのルートに分けて、一つは直接に混合蒸発器7と連通し、もう一つは第二サイクルポンプ9と第二予熱器17を経由して中温蒸発器13と連通することに調整した。
【０１６４】
（2）流れ的には、図14/25に示した連合サイクル蒸気動力装置と比べて、違うところは以下のようです。凝縮器6の凝縮液はサイクルポンプ4を経由して昇圧することと予熱器10を経由して吸熱し昇温する後に二つのルートに分けている。一つは混合蒸発器7に入り、もう一つは第二サイクルポンプ9を経由して昇圧し、第二予熱器17を経由して吸熱し昇温し、中温蒸発器13を経由して吸熱し蒸気化する、連合サイクル蒸気動力装置を形成する。
【０１６５】
図20/25に示す連合サイクル蒸気動力装置は以下のように実現した。
【０１６６】
（1）構造上には、図11/25に示した連合サイクル蒸気動力装置の中に、新たに圧縮機と高温熱交換器を増設した。圧縮機1と蒸気通路は高温熱交換器5を経由して膨張機2と連通することを圧縮機1と蒸気通路は高温熱交換器5を経由して増設した圧縮機Aと連通することに調整した。増設した圧縮機Aと蒸気通路は増設した高温熱交換器Cを経由して膨張機2と連通し、増設した高温熱交換器Cと熱源媒体通路は外部と連通し、膨張機2は増設した圧縮機Aと連通して動力を出力する。
【０１６７】
（2）流れ的には、図11/25に示した連合サイクル蒸気動力装置と比べて、違うところは以下のようです。圧縮機１が排出した蒸気は高温熱交換器5を経由して吸熱し、その後増設した圧縮機Aに入って昇圧と昇温する。増設した圧縮機Aが排出した蒸気は増設した高温熱交換器Cを経由して吸熱し、その後膨張機2に入って降圧をワークする。膨張機2は増設した圧縮機Aに動力を提供する。熱源媒体は増設した高温熱交換器Cと高温熱交換器5と中温蒸発器13と混合蒸発器7を通して駆動する熱負荷を提供して、連合サイクル蒸気動力装置を形成する。
【０１６８】
図21/25に示す連合サイクル蒸気動力装置は以下のように実現した。
【０１６９】
（1）構造上には、図11/25に示した連合サイクル蒸気動力装置の中に、新たに高温回熱器を増設した。圧縮機1と蒸気通路は高温熱交換器5を経由して膨張機2と連通することを圧縮機1と蒸気通路は高温回熱器11と高温熱交換器5を経由して膨張機2と連通することに調整した。膨張機2と蒸気通路は中温蒸発器13を経由して混合蒸発器7と連通することを膨張機2と蒸気通路は高温回熱器11と中温蒸発器13を経由して混合蒸発器7と連通することに調整した。
【０１７０】
（2）流れ的には、図11/25に示した連合サイクル蒸気動力装置と比べて、違うところは以下のようです。圧縮機１が排出した蒸気は高温回熱器11と高温熱交換器5を経由して吸熱し昇温する。膨張機2が排出した蒸気は高温回熱器11と中温蒸発器13を経由して吸熱して温度が下がった後、混合蒸発器7に入って、連合サイクル蒸気動力装置を形成する。
【０１７１】
図22/25に示す連合サイクル蒸気動力装置は以下のように実現した。
【０１７２】
（1）構造上には、図11/25に示した連合サイクル蒸気動力装置の中に、新たに高温回熱器と圧縮機と高温熱交換器を増設した。圧縮機1と蒸気通路は高温熱交換器5を経由して膨張機2と連通することを圧縮機1と蒸気通路は高温回熱器11と高温熱交換器5を経由して増設した圧縮機Aと連通することに調整した。増設した圧縮機Aと蒸気通路は増設した高温熱交換器Cを経由して膨張機2と連通しする。膨張機2と蒸気通路は中温蒸発器13を経由して混合蒸発器7と連通することを膨張機2と蒸気通路は高温回熱器11と中温蒸発器13を経由して混合蒸発器7と連通することに調整した。増設した高温熱交換器Cと熱源媒体通路は外部と連通し、膨張機2は増設した圧縮機Aと連通し動力を出力する。
【０１７３】
（2）流れ的には、図11/25に示した連合サイクル蒸気動力装置と比べて、違うところは以下のようです。圧縮機１が排出した蒸気は高温回熱器11と高温熱交換器5を経由して吸熱し、その後増設した圧縮機Aに入って昇圧と昇温する。増設した圧縮機Aが排出した蒸気は増設した高温熱交換器Cを経由して吸熱し、その後膨張機2に入って降圧をワークする。膨張機2が排出した蒸気は高温回熱器11と中温蒸発器13を経由して吸熱した後、混合蒸発器7に入る。膨張機2は増設した圧縮機Aに動力を提供し、熱源媒体は増設した高温熱交換器C、高温熱交換器5、中温蒸発器13と混合蒸発器7を通して駆動する熱負荷を提供する、連合サイクル蒸気動力装置を形成する。
【０１７４】
図23/25に示す連合サイクル蒸気動力装置は以下のように実現した。
【０１７５】
（1）構造上には、図11/25に示した連合サイクル蒸気動力装置の中に、新たに膨張機と高温熱交換器を増設した。圧縮機1と蒸気通路は高温熱交換器5を経由して膨張機2と連通することを圧縮機1と蒸気通路は高温熱交換器5を経由して増設した膨張機Bと連通することに調整した。増設した膨張機Bと蒸気通路は増設した高温熱交換器Cを経由して膨張機2と連通しする。増設した高温熱交換器Cと熱源媒体通路は外部と連通し、増設した膨張機Bは圧縮機1と連通し動力を出力する。
【０１７６】
（2）流れ的には、図11/25に示した連合サイクル蒸気動力装置と比べて、違うところは以下のようです。圧縮機１が排出した蒸気は高温熱交換器5を経由して吸熱し、その後増設した膨張機Bに入って降圧をワークする。増設した膨張機Bが排出した蒸気は増設した高温熱交換器Cを経由して吸熱し、その後膨張機2に入って降圧をワークする。増設した膨張機Bが出力したワークを圧縮機1に動力として提供され、熱源媒体は増設した高温熱交換器C、高温熱交換器5、中温蒸発器13と混合蒸発器7を通して駆動する熱負荷を提供する、連合サイクル蒸気動力装置を形成する。
【０１７７】
図24/25に示す連合サイクル蒸気動力装置は以下のように実現した。
【０１７８】
（1）構造上には、図14/25に示した連合サイクル蒸気動力装置の中に、新たに膨張機、中温蒸発器、サイクルポンプと予熱器を増設した。凝縮器6と増設した冷凝液管路は増設したサイクルポンプEと増設した予熱器Fを経由して増設した中温蒸発器Dと連通した後、増設した中温蒸発器Dと蒸気通路は増設した膨張機Bと連通し、増設した膨張機Bと蒸気通路は凝縮器6と連通する。また、膨張機2と蒸気通路は中温蒸発器13を経由して混合蒸発器7と連通することを、膨張機2と蒸気通路は増設した中温蒸発器Dと中温蒸発器13を経由して混合蒸発器7と連通することに調整した。増設した予熱器Fと熱源媒体通路は外部と連通し、増設した中温蒸発器Dと熱源媒体通路は外部と連通し、増設した膨張機Bは外部と連通し、かつ動力を出力する。
【０１７９】
（2）流れ的には、図14/25に示した連合サイクル蒸気動力装置と比べて、違うところは以下のようです。膨張機2が排出した蒸気は増設した中温蒸発器Dと中温蒸発器13を経由して放熱し降温した後混合蒸発器７に入る。凝縮器6の一部の凝縮液は増設したサイクルポンプEを経由して昇圧し、増設した予熱器Fを経由して吸熱し昇温し、増設した中温蒸発器Dを経由して吸熱し蒸気化し、その後増設した膨張機Bに提供され降圧をワークし、増設した膨張機Bが排出した蒸気は凝縮器6に入って放熱し凝縮する。熱源媒体は高温熱交換器5、増設した中温蒸発器D、中温蒸発器13、混合蒸発器7、増設した予熱器B、予熱器10と第二予熱器17を通して駆動する熱負荷を提供する。膨張機2は圧縮機1に動力を提供し、膨張機2と第二膨張機3と第三膨張機12と増設した膨張機Bは共同で外部に動力を提供する、連合サイクル蒸気動力装置を形成する。
【０１８０】
図25/25に示す連合サイクル蒸気動力装置は以下のように実現した。
【０１８１】
（1）構造上には、図23/25に示した連合サイクル蒸気動力装置の中に、新たに第二膨張機、中温蒸発器とサイクルポンプを増設した。凝縮器6と増設した凝縮液管路は増設したサイクルポンプEを経由して増設した中温蒸発器Dと連通した後、増設した中温蒸発器Dと蒸気通路は増設した第二膨張機Gと連通し、増設した第二膨張機Gと蒸気通路は凝縮器6と連通する。また、膨張機2と蒸気通路は中温蒸発器13を経由して混合蒸発器7と連通することを、膨張機2と蒸気通路は増設した中温蒸発器Dと中温蒸発器13を経由して混合蒸発器7と連通することに調整した。増設した中温蒸発器Dと熱源媒体通路は外部と連通し、増設した第二膨張機Gは外部と連通し、かつ動力を出力する。
【０１８２】
（2）流れ的には、図23/25に示した連合サイクル蒸気動力装置と比べて、違うところは以下のようです。膨張機2が排出した蒸気は増設した中温蒸発器Dと中温蒸発器13を経由して放熱し降温した後混合蒸発器７に入る。凝縮器6の一部の凝縮液は増設したサイクルポンプEを経由して昇圧した後、増設した中温蒸発器Dを経由して吸熱し蒸気化し、その後増設した第二膨張機Gに提供され降圧をワークし、増設した第二膨張機Gが排出した蒸気は凝縮器6に入って放熱し凝縮する。熱源媒体は高温熱交換器5、増設した高温熱交換器C、増設した中温蒸発器D、中温蒸発器13と混合蒸発器7を通して駆動する熱負荷を提供する。膨張機2は圧縮機1に動力を提供し、膨張機2と第二膨張機3と第三膨張機12と増設した第二膨張機Gは共同で外部に動力を出力する、連合サイクル蒸気動力装置を形成する。
【０１８３】
〔発明の効果〕
本発明の技術は以下のような効果を実現することができる。本発明が提出したシングル作業物質の蒸気連合サイクルと連合サイクル蒸気動力装置は、以下のような効果と優位がある（主に水蒸気でサイクル作業物質の蒸気動力装置を組み合わせて説明する）。
【０１８４】
（1）伝統的な蒸気動力サイクルが保有している優位を保留する。例えば、水蒸気は熱変功媒体としての蒸気動力サイクル装置の中で、水蒸気の出所は幅広く、価格は安く、仕事のパラメータの範囲は広いので、亜臨界、臨界、超臨界あるいは超超の臨界で仕事するのを選ばれている。環境との間に何の非相容性もなく熱の汚染は極めて低いである。
【０１８５】
（2）水蒸気はサイクル作業物質としての伝統的な蒸気動力装置に比べ、相転移プロセス中に熱源負荷（外部熱源と膨張機が排出した蒸気の放熱が提供した）は大幅に増大され、温度差を減らすことに有利である。
【０１８６】
（3）混合蒸発器が採用され、伝熱のリンクが減少し、熱効率をアップした。
【０１８７】
（4）蒸発は段階的に実施され、温度差の合理的な利用が実現され、伝熱の不可逆損失を減らし、熱効率をアップした。
【０１８８】
（5）高温区域のサイクル媒体と熱源媒体は共にガスであり、サイクル作業物質が熱源から吸熱する部分は温度差の伝熱損失を低くするのは有利であり、熱効率をアップした。
【０１８９】
（6）高温区域に低圧高温の運転方式が採用され、伝統的な蒸気動力装置が熱効率とサイクル媒体パラメータと管路材料の耐圧体温性能の間に不可調和の矛盾を解決した。熱源とサイクル媒体の間の温度差損失は大幅にカットダウンされ、熱効率が大幅にアップした。
【０１９０】
（7）単一の作業物質が採用され、運行コストが下がり、サイクル調節の柔軟性をアップした。
【０１９１】
（8）石炭を代表としての固体燃料を使用した蒸気動力装置に対して、高温区域にサイクル蒸気の設備と貯蔵に余分な負担増に掛からない。
【０１９２】
（9）高い熱効率を実現する大前提の下に、低圧運行の選択が可能であり、装置運行の安全性は大幅にアップされた。
【図面の簡単な説明】
【０１９３】
【図１】図1/25は、本発明によって提供されたシングル作業物質の蒸気連合サイクルの第1種のフローチャートである。
【図２】図2/25は、本発明によって提供されたシングル作業物質の蒸気連合サイクルの第2種のフローチャートである。
【図３】図3/25は、本発明によって提供された連合サイクル蒸気動力装置の第1種の原則的な熱力システム構成図である。
【図４】図4/25は、本発明によって提供された連合サイクル蒸気動力装置の第2種の原則的な熱力システム構成図である。
【図５】図5/25は、本発明によって提供された連合サイクル蒸気動力装置の第3種の原則的な熱力システム構成図である。
【図６】図6/25は、本発明によって提供された連合サイクル蒸気動力装置の第4種の原則的な熱力システム構成図である。
【図７】図7/25は、本発明によって提供された連合サイクル蒸気動力装置の第5種の原則的な熱力システム構成図である。
【図８】図8/25は、本発明によって提供された連合サイクル蒸気動力装置の第6種の原則的な熱力システム構成図である。
【図９】図9/25は、本発明によって提供された連合サイクル蒸気動力装置の第7種の原則的な熱力システム構成図である。
【図１０】図10/25は、本発明によって提供された連合サイクル蒸気動力装置の第8種の原則的な熱力システム構成図である。
【図１１】図11/25は、本発明によって提供された連合サイクル蒸気動力装置の第9種の原則的な熱力システム構成図である。
【図１２】図12/25は、本発明によって提供された連合サイクル蒸気動力装置の第10種の原則的な熱力システム構成図である。
【図１３】図13/25は、本発明によって提供された連合サイクル蒸気動力装置の第11種の原則的な熱力システム構成図である。
【図１４】図14/25は、本発明によって提供された連合サイクル蒸気動力装置の第12種の原則的な熱力システム構成図である。
【図１５】図15/25は、本発明によって提供された連合サイクル蒸気動力装置の第13種の原則的な熱力システム構成図である。
【図１６】図16/25は、本発明によって提供された連合サイクル蒸気動力装置の第14種の原則的な熱力システム構成図である。
【図１７】図17/25は、本発明によって提供された連合サイクル蒸気動力装置の第15種の原則的な熱力システム構成図である。
【図１８】図18/25は、本発明によって提供された連合サイクル蒸気動力装置の第16種の原則的な熱力システム構成図である。
【図１９】図19/25は、本発明によって提供された連合サイクル蒸気動力装置の第17種の原則的な熱力システム構成図である。
【図２０】図20/25は、本発明によって提供された連合サイクル蒸気動力装置の第18種の原則的な熱力システム構成図である。
【図２１】図21/25は、本発明によって提供された連合サイクル蒸気動力装置の第19種の原則的な熱力システム構成図である。
【図２２】図22/25は、本発明によって提供された連合サイクル蒸気動力装置の第20種の原則的な熱力システム構成図である。
【図２３】図23/25は、本発明によって提供された連合サイクル蒸気動力装置の第21種の原則的な熱力システム構成図である。
【図２４】図24/25は、本発明によって提供された連合サイクル蒸気動力装置の第22種の原則的な熱力システム構成図である。
【図２５】図25/25は、本発明によって提供された連合サイクル蒸気動力装置の第23種の原則的な熱力システム構成図である。
【図１】
2019516057.tif 000003
【図２】
2019516057.tif 000004
【図３】
2019516057.tif 000005
【図４】
2019516057.tif 000006
【図５】
2019516057.tif 000007
【図６】
2019516057.tif 000008
【図７】
2019516057.tif 000009
【図８】
2019516057.tif 000010
【図９】
2019516057.tif 000011
【図１０】
2019516057.tif 000012
【図１１】
2019516057.tif 000013
【図１２】
2019516057.tif 000014
【図１３】
2019516057.tif 000015
【図１４】
2019516057.tif 000016
【図１５】
2019516057.tif 000017
【図１６】
2019516057.tif 000018
【図１７】
2019516057.tif 000019
【図１８】
2019516057.tif 000020
【図１９】
2019516057.tif 000021
【図２０】
2019516057.tif 000022
【図２１】
2019516057.tif 000023
【図２２】
2019516057.tif 000024
【図２３】
2019516057.tif 000025
【図２４】
2019516057.tif 000026
【図２５】
2019516057.tif 000027
【国際調査報告】
2019516057.tif 000028
2019516057.tif 000029
2019516057.tif 000030
2019516057.tif 000031
2019516057.tif 000032
2019516057.tif 000033